(57)【要約】【課題】従来技術においては、電池の構成部材の間の接合強度を高めることが望まれる。【解決手段】電池は、第１集電体と、第１電極層と、第１対極層と、第２電極層と、を備え、第１集電体は、第１導電部分と、第１絶縁部分と、第２導電部分と、を有し、第２導電部分は、第１端部領域と、第１表面領域と、第１裏面領域と、第１折曲部分と、第２表面領域と、第２裏面領域と、第２端部領域と、を有し、第１集電体が第１折曲部分において折り曲げられていることで、第１裏面領域と第２裏面領域とは、互いに、対向して位置し、第１電極層は、第１導電部分に接して、配置され、第１対極層は、第１表面領域に接して、配置され、第２電極層は、第２表面領域に接して、配置され、第１絶縁部分は、第１導電部分と第１端部領域とを連結し、第１集電体が第１絶縁部分において折り曲げられていることで、第１電極層と第１対極層とは、互いに対向して、位置する。【選択図】図１
2019003934.tif 000002
【特許請求の範囲】
【請求項１】
第１集電体と、第１電極層と、第１対極層と、第２電極層と、を備え、
前記第１対極層は、前記第１電極層および前記第２電極層の対極であり、
前記第１集電体は、第１導電部分と、第１絶縁部分と、第２導電部分と、を有し、
前記第２導電部分は、第１端部領域と、第１表面領域と、第１裏面領域と、第１折曲部分と、第２表面領域と、第２裏面領域と、第２端部領域と、を有し、
前記第１表面領域は、前記第１端部領域と前記第１折曲部分との間に位置する領域であり、
前記第１裏面領域は、前記第１表面領域の裏面に位置する領域であり、
前記第２表面領域は、前記第２端部領域と前記第１折曲部分との間に位置する領域であり、
前記第２裏面領域は、前記第２表面領域の裏面に位置する領域であり、
前記第１集電体が前記第１折曲部分において折り曲げられていることで、前記第１裏面領域と前記第２裏面領域とは、互いに、対向して位置し、
前記第１電極層は、前記第１導電部分に接して、配置され、
前記第１対極層は、前記第１表面領域に接して、配置され、
前記第２電極層は、前記第２表面領域に接して、配置され、
前記第１絶縁部分は、前記第１導電部分と前記第１端部領域とを連結し、
前記第１集電体が前記第１絶縁部分において折り曲げられていることで、前記第１電極層と前記第１対極層とは、互いに対向して、位置する、
電池。
【請求項２】
第２対極層をさらに備え、
前記第２対極層は、前記第１電極層および前記第２電極層の対極であり、
前記第１集電体は、第２絶縁部分と、第３導電部分と、を有し、
前記第２対極層は、前記第３導電部分に接して、配置され、
前記第２絶縁部分は、前記第２端部領域と前記第３導電部分とを連結し、
前記第１集電体が前記第２絶縁部分において折り曲げられていることで、前記第２電極層と前記第２対極層とは、互いに対向して、位置する、
請求項１に記載の電池。
【請求項３】
第１固体電解質層と、第２固体電解質層と、をさらに備え、
前記第１固体電解質層は、前記第１電極層と前記第１対極層の間に位置し、
前記第２固体電解質層は、前記第２電極層と前記第２対極層の間に位置し、
前記第１折曲部分は、前記第１固体電解質層と前記第２固体電解質層とのうちの少なくとも一方により、覆われる、
請求項２に記載の電池。
【請求項４】
第３電極層と、第３対極層と、をさらに備え、
前記第３対極層は、前記第１電極層および前記第２電極層および前記第３電極層の対極であり、
前記第１集電体は、第３絶縁部分と、第４導電部分と、を有し、
前記第３導電部分は、第３端部領域と、第３表面領域と、第３裏面領域と、第２折曲部分と、第４表面領域と、第４裏面領域と、第４端部領域と、を有し、
前記第３表面領域は、前記第３端部領域と前記第２折曲部分との間に位置する領域であり、
前記第３裏面領域は、前記第３表面領域の裏面に位置する領域であり、
前記第４表面領域は、前記第４端部領域と前記第２折曲部分との間に位置する領域であり、
前記第４裏面領域は、前記第４表面領域の裏面に位置する領域であり、
前記第１集電体が前記第２折曲部分において折り曲げられていることで、前記第３裏面領域と前記第４裏面領域とは、互いに、対向して位置し、
前記第２対極層は、前記第３表面領域に接して、配置され、
前記第３電極層は、前記第４表面領域に接して、配置され、
前記第３対極層は、前記第４導電部分に接して、配置され、
前記第２絶縁部分は、前記第２端部領域と前記第３端部領域とを連結し、
前記第３絶縁部分は、前記第４端部領域と前記第４導電部分とを連結し、
前記第１集電体が前記第３絶縁部分において折り曲げられていることで、前記第３電極層と前記第３対極層とは、互いに対向して、位置する、
請求項２または３に記載の電池。
【請求項５】
第１固体電解質層と、第２固体電解質層と、第３固体電解質層と、をさらに備え、
前記第１固体電解質層は、前記第１電極層と前記第１対極層の間に位置し、
前記第２固体電解質層は、前記第２電極層と前記第２対極層の間に位置し、
前記第３固体電解質層は、前記第３電極層と前記第３対極層の間に位置する、
請求項４に記載の電池。
【請求項６】
前記第１裏面領域と前記第２裏面領域とは、互いに、接触する、
請求項１から５のいずれかに記載の電池。
【請求項７】
前記第１裏面領域と前記第２裏面領域とを接着する第１接着部分を、さらに備え、
前記第１接着部分は、前記第１裏面領域と前記第２裏面領域との間に、配置される、
請求項１から６のいずれかに記載の電池。
【請求項８】
前記第１表面領域は、第１材料を含み、
前記第２表面領域は、第２材料を含み、
前記第２材料は、前記第１材料とは異なる材料である、
請求項１から７のいずれかに記載の電池。
【請求項９】
前記第１裏面領域と前記第２裏面領域とは、第３材料を含む、
請求項１から８のいずれかに記載の電池。
【請求項１０】
前記第１表面領域は、第１材料を含み、
前記第１材料は、前記第３材料とは異なる材料である、
請求項９に記載の電池。
【請求項１１】
前記第２表面領域は、第２材料を含み、
前記第２材料は、前記第３材料とは異なる材料である、
請求項９に記載の電池。
【請求項１２】
第２集電体と、第２対極層と、第３電極層と、第３対極層と、を備え、
前記第２対極層と第３対極層は、前記第１電極層および前記第２電極層および前記第３電極層の対極であり、
前記第２集電体は、第３導電部分と、第２絶縁部分と、第４導電部分と、を有し、
前記第３導電部分は、第３端部領域と、第３表面領域と、第３裏面領域と、第２折曲部分と、第４表面領域と、第４裏面領域と、第４端部領域と、を有し、
前記第３表面領域は、前記第３端部領域と前記第２折曲部分との間に位置する領域であり、
前記第３裏面領域は、前記第３表面領域の裏面に位置する領域であり、
前記第４表面領域は、前記第４端部領域と前記第２折曲部分との間に位置する領域であり、
前記第４裏面領域は、前記第４表面領域の裏面に位置する領域であり、
前記第２集電体が前記第２折曲部分において折り曲げられていることで、前記第３裏面領域と前記第４裏面領域とは、互いに、対向して位置し、
前記第３導電部分は、前記第１導電部分と前記第２導電部分との間に、配置され、
前記第２対極層は、前記第３表面領域に接して、前記第１電極層と対向する位置に、配置され、
前記第３電極層は、前記第４表面領域に接して、前記第１対極層と対向する位置に、配置され、
前記第３対極層は、前記第４導電部分に接して、配置され、
前記第２絶縁部分は、前記第４端部領域と前記第４導電部分とを連結し、
前記第２集電体が前記第２絶縁部分において折り曲げられていることで、前記第２電極層と前記第３対極層とは、互いに対向して、位置する、
請求項１から７のいずれかに記載の電池。
【請求項１３】
第３集電体と、第４電極層と、第４対極層と、第５電極層と、第５対極層と、を備え、
前記第４対極層と第５対極層は、前記第１電極層および前記第２電極層および前記第３電極層および前記第４電極層および前記第５電極層の対極であり、
前記第３集電体は、第５導電部分と、第３絶縁部分と、第６導電部分と、を有し、
前記第５導電部分は、第５端部領域と、第５表面領域と、第５裏面領域と、第３折曲部分と、第６表面領域と、第６裏面領域と、第６端部領域と、を有し、
前記第５表面領域は、前記第５端部領域と前記第３折曲部分との間に位置する領域であり、
前記第５裏面領域は、前記第５表面領域の裏面に位置する領域であり、
前記第６表面領域は、前記第６端部領域と前記第３折曲部分との間に位置する領域であり、
前記第６裏面領域は、前記第６表面領域の裏面に位置する領域であり、
前記第３集電体が前記第３折曲部分において折り曲げられていることで、前記第５裏面領域と前記第６裏面領域とは、互いに、対向して位置し、
前記第５導電部分は、前記第３導電部分と前記第２導電部分との間に、配置され、
前記第４電極層は、前記第４導電部分に接して、配置され、
前記第４対極層は、前記第５表面領域に接して、前記第３電極層と対向する位置に、配置され、
前記第５電極層は、前記第６表面領域に接して、前記第１対極層と対向する位置に、配置され、
前記第５対極層は、前記第６導電部分に接して、配置され、
前記第３絶縁部分は、前記第６端部領域と前記第６導電部分とを連結し、
前記第３集電体が前記第３絶縁部分において折り曲げられていることで、前記第４電極層と前記第５対極層とは、互いに対向して、位置する、
請求項１２に記載の電池。
【請求項１４】
第４集電体と、第６電極層と、第６対極層と、第７電極層と、第７対極層と、を備え、
前記第６対極層と第７対極層は、前記第１電極層および前記第２電極層および前記第３電極層および前記第４電極層および前記第５電極層および前記第６電極層および前記第７電極層の対極であり、
前記第４集電体は、第７導電部分と、第４絶縁部分と、第８導電部分と、を有し、
前記第７導電部分は、第７端部領域と、第７表面領域と、第７裏面領域と、第４折曲部分と、第８表面領域と、第８裏面領域と、第８端部領域と、を有し、
前記第７表面領域は、前記第７端部領域と前記第４折曲部分との間に位置する領域であり、
前記第７裏面領域は、前記第７表面領域の裏面に位置する領域であり、
前記第８表面領域は、前記第８端部領域と前記第４折曲部分との間に位置する領域であり、
前記第８裏面領域は、前記第８表面領域の裏面に位置する領域であり、
前記第４集電体が前記第４折曲部分において折り曲げられていることで、前記第７裏面領域と前記第８裏面領域とは、互いに、対向して位置し、
前記第７導電部分は、前記第５導電部分と前記第２導電部分との間に、配置され、
前記第６電極層は、前記第６導電部分に接して、配置され、
前記第６対極層は、前記第７表面領域に接して、前記第５電極層と対向する位置に、配置され、
前記第７電極層は、前記第８表面領域に接して、前記第１対極層と対向する位置に、配置され、
前記第７対極層は、前記第８導電部分に接して、配置され、
前記第４絶縁部分は、前記第８端部領域と前記第８導電部分とを連結し、
前記第４集電体が前記第４絶縁部分において折り曲げられていることで、前記第６電極層と前記第７対極層とは、互いに対向して、位置する、
請求項１３に記載の電池。
【請求項１５】
第１固体電解質層と、第２固体電解質層と、第３固体電解質層と、第４固体電解質層と、第５固体電解質層と、第６固体電解質層と、第７固体電解質層と、をさらに備え、
前記第１固体電解質層は、前記第１電極層と前記第２対極層の間に位置し、
前記第２固体電解質層は、前記第３電極層と前記第４対極層の間に位置し、
前記第３固体電解質層は、前記第２電極層と前記第３対極層の間に位置し、
前記第４固体電解質層は、前記第５電極層と前記第６対極層の間に位置し、
前記第５固体電解質層は、前記第４電極層と前記第５対極層の間に位置し、
前記第６固体電解質層は、前記第７電極層と前記第１対極層の間に位置し、
前記第７固体電解質層は、前記第６電極層と前記第７対極層の間に位置する、
請求項１４に記載の電池。
【請求項１６】
電池製造装置を用いた電池製造方法であって、
前記電池製造装置は、電極層形成部と、対極層形成部と、第１集電体を折り曲げる集電体折曲部と、を備え、
前記第１集電体は、第１導電部分と、第１絶縁部分と、第２導電部分と、を有し、
前記第２導電部分は、第１端部領域と、第１表面領域と、第１裏面領域と、第１折曲領域と、第２表面領域と、第２裏面領域と、第２端部領域と、を有し、
前記第１表面領域は、前記第１端部領域と前記第１折曲領域との間に位置する領域であり、
前記第１裏面領域は、前記第１表面領域の裏面に位置する領域であり、
前記第２表面領域は、前記第２端部領域と前記第１折曲領域との間に位置する領域であり、
前記第２裏面領域は、前記第２表面領域の裏面に位置する領域であり、
前記第１絶縁部分は、前記第１導電部分と前記第１端部領域とを連結し、
前記電極層形成部により、前記第１導電部分に接して、第１電極層を形成する形成工程（ａ１１）と、
前記電極層形成部により、前記第２表面領域に接して、第２電極層を形成する形成工程（ａ１２）と、
前記対極層形成部により、前記第１表面領域に接して、前記第１電極層の対極である第１対極層を形成する形成工程（ｂ１１）と、
前記集電体折曲部により、前記第１折曲領域を折り曲げる折曲工程（ｃ１１）と、
前記集電体折曲部により、前記第１絶縁部分を折り曲げる折曲工程（ｄ１１）と、
を包含し、
前記折曲工程（ｃ１１）において、前記集電体折曲部により前記第１集電体が前記第１折曲領域において折り曲げられることで、前記第１裏面領域と前記第２裏面領域とは、互いに対向して、位置し、
前記折曲工程（ｄ１１）において、前記集電体折曲部により前記第１集電体が前記第１絶縁部分において折り曲げられることで、前記第１電極層と前記第１対極層とは、互いに対向して、位置する、
電池製造方法。
【請求項１７】
前記折曲工程（ｃ１１）において、前記集電体折曲部により前記第１集電体が前記第１折曲領域において折り曲げられることで、前記第１裏面領域と前記第２裏面領域とは、互いに、接触する、
請求項１６に記載の電池製造方法。
【請求項１８】
前記電池製造装置は、前記第１裏面領域と前記第２裏面領域とを接着する第１接着部分を形成する接着部分形成部を備え、
前記接着部分形成部により、前記第１裏面領域と前記第２裏面領域とのうちの少なくとも一方に接して、前記第１接着部分を形成する形成工程（ｅ１）を、
さらに包含する、
請求項１６または１７に記載の電池製造方法。
【請求項１９】
前記第１集電体は、第２絶縁部分と、第３導電部分と、を有し、
前記第２絶縁部分は、前記第２端部領域と前記第３導電部分とを連結し、
前記対極層形成部により、前記第３導電部分に接して、前記第２電極層の対極である第２対極層を形成する形成工程（ｂ１２）と、
前記集電体折曲部により、前記第２絶縁部分を折り曲げる折曲工程（ｄ１２）と、
をさらに包含し、
前記折曲工程（ｄ１２）において、前記集電体折曲部により前記第１集電体が前記第２絶縁部分において折り曲げられることで、前記第２電極層と前記第２対極層とは、互いに対向して、位置する、
請求項１６から１８のいずれかに記載の電池製造方法。
【請求項２０】
前記電池製造装置は、固体電解質層形成部を備え、
前記固体電解質層形成部により、前記第１電極層と前記第１対極層とのうちの少なくとも一方の上に、第１固体電解質層を形成する形成工程（ｆ１１）と、
前記固体電解質層形成部により、前記第２電極層と前記第２対極層とのうちの少なくとも一方の上に、第２固体電解質層を形成する形成工程（ｆ１２）と、
をさらに包含し、
前記形成工程（ｆ１１）において、前記固体電解質層形成部により、前記第１折曲領域の一部の上に、前記第１固体電解質層が形成されるか、
もしくは、
前記形成工程（ｆ１２）において、前記固体電解質層形成部により、前記第１折曲領域の一部の上に、前記第２固体電解質層が形成される、
請求項１９に記載の電池製造方法。
【請求項２１】
前記第１集電体は、第３絶縁部分と、第４導電部分と、を有し、
前記第３導電部分は、第３端部領域と、第３表面領域と、第３裏面領域と、第２折曲領域と、第４表面領域と、第４裏面領域と、第４端部領域と、を有し、
前記第３表面領域は、前記第３端部領域と前記第２折曲領域との間に位置する領域であり、
前記第３裏面領域は、前記第３表面領域の裏面に位置する領域であり、
前記第４表面領域は、前記第４端部領域と前記第２折曲領域との間に位置する領域であり、
前記第４裏面領域は、前記第４表面領域の裏面に位置する領域であり、
前記第２絶縁部分は、前記第２端部領域と前記第３端部領域とを連結し、
前記第３絶縁部分は、前記第４端部領域と前記第４導電部分とを連結し、
前記電極層形成部により、前記第４表面領域に接して、第３電極層を形成する形成工程（ａ１３）と、
前記対極層形成部により、前記第４導電部分に接して、前記第３電極層の対極である第３対極層を形成する形成工程（ｂ１３）と、
前記集電体折曲部により、前記第２折曲領域を折り曲げる折曲工程（ｃ１２）と、
前記集電体折曲部により、前記第３絶縁部分を折り曲げる折曲工程（ｄ１３）と、
をさらに包含し、
前記折曲工程（ｃ１２）において、前記集電体折曲部により前記第１集電体が前記第２折曲領域において折り曲げられることで、前記第３裏面領域と前記第４裏面領域とは、互いに対向して、位置し、
前記折曲工程（ｄ１３）において、前記集電体折曲部により前記第１集電体が前記第３絶縁部分において折り曲げられることで、前記第３電極層と前記第３対極層とは、互いに対向して、位置する、
請求項１９または２０に記載の電池製造方法。
【請求項２２】
前記電池製造装置は、固体電解質層形成部を備え、
前記固体電解質層形成部により、前記第１電極層と前記第１対極層とのうちの少なくとも一方の上に、第１固体電解質層を形成する形成工程（ｆ１１）と、
前記固体電解質層形成部により、前記第２電極層と前記第２対極層とのうちの少なくとも一方の上に、第２固体電解質層を形成する形成工程（ｆ１２）と、
前記固体電解質層形成部により、前記第３電極層と前記第３対極層とのうちの少なくとも一方の上に、第３固体電解質層を形成する形成工程（ｆ１３）と、
をさらに包含する、
請求項２１に記載の電池製造方法。
【請求項２３】
前記電池製造装置は、前記第１集電体と第２集電体とを積層する積層部を備え、
前記第２集電体は、第３導電部分と、第２絶縁部分と、第４導電部分と、を有し、
前記第３導電部分は、第３端部領域と、第３表面領域と、第３裏面領域と、第２折曲領域と、第４表面領域と、第４裏面領域と、第４端部領域と、を有し、
前記第３表面領域は、前記第３端部領域と前記第２折曲領域との間に位置する領域であり、
前記第３裏面領域は、前記第３表面領域の裏面に位置する領域であり、
前記第４表面領域は、前記第４端部領域と前記第２折曲領域との間に位置する領域であり、
前記第４裏面領域は、前記第４表面領域の裏面に位置する領域であり、
前記第２絶縁部分は、前記第４端部領域と前記第４導電部分とを連結し、
前記電極層形成部により、前記第４表面領域に接して、第３電極層を形成する形成工程（ａ２３）と、
前記対極層形成部により、前記第３表面領域に接して、前記第３電極層の対極である第２対極層を形成する形成工程（ｂ２２）と、
前記対極層形成部により、前記第４導電部分に接して、前記第３電極層の対極である第３対極層を形成する形成工程（ｂ２３）と、
前記集電体折曲部により、前記第２折曲領域を折り曲げる折曲工程（ｃ２２）と、
前記集電体折曲部により、前記第２絶縁部分を折り曲げる折曲工程（ｄ２２）と、
前記積層部により、前記第１電極層と前記第２対極層とを互いに対向させて、前記第１集電体と前記第２集電体とを積層する積層工程（ｓ１）と、
をさらに包含し、
前記折曲工程（ｃ２２）において、前記集電体折曲部により前記第２集電体が前記第２折曲領域において折り曲げられることで、前記第３裏面領域と前記第４裏面領域とは、互いに対向して、位置し、
前記折曲工程（ｄ２２）において、前記集電体折曲部により前記第２集電体が前記第２絶縁部分において折り曲げられることで、前記第３電極層と前記第３対極層とは、互いに対向して、位置する、
請求項１６から１８のいずれかに記載の電池製造方法。
【請求項２４】
前記折曲工程（ｄ１１）は、前記積層工程（ｓ１）および前記折曲工程（ｃ２２）よりも後に、実行され、
前記折曲工程（ｄ１１）において、前記集電体折曲部により前記第１集電体が前記第１絶縁部分において折り曲げられることで、前記第３電極層と前記第１対極層とは、互いに対向して、位置し、
前記折曲工程（ｄ２２）は、前記折曲工程（ｄ１１）よりも後に、実行され、
前記折曲工程（ｄ２２）において、前記集電体折曲部により前記第２集電体が前記第２絶縁部分において折り曲げられることで、前記第２電極層と前記第３対極層とは、互いに対向して、位置する、
請求項２３に記載の電池製造方法。
【請求項２５】
前記積層工程（ｓ１）は、前記折曲工程（ｃ１１）および前記折曲工程（ｃ２２）および前記折曲工程（ｄ１１）および前記折曲工程（ｄ２２）よりも後に、実行され、
前記積層工程（ｓ１）において、前記第３導電部分が前記第１導電部分と前記第２導電部分との間に差し込まれ、かつ、前記第２導電部分が前記第３導電部分と前記第４導電部分との間に差し込まれることで、前記第１集電体と前記第２集電体とが積層される、
請求項２３に記載の電池製造方法。
【請求項２６】
前記積層部は、前記第１集電体と前記第２集電体と第３集電体とを積層し、
前記第３集電体は、第５導電部分と、第３絶縁部分と、第６導電部分と、を有し、
前記第５導電部分は、第５端部領域と、第５表面領域と、第５裏面領域と、第３折曲領域と、第６表面領域と、第６裏面領域と、第６端部領域と、を有し、
前記第５表面領域は、前記第５端部領域と前記第３折曲領域との間に位置する領域であり、
前記第５裏面領域は、前記第５表面領域の裏面に位置する領域であり、
前記第６表面領域は、前記第６端部領域と前記第３折曲領域との間に位置する領域であり、
前記第６裏面領域は、前記第６表面領域の裏面に位置する領域であり、
前記第３絶縁部分は、前記第６端部領域と前記第６導電部分とを連結し、
前記電極層形成部により、前記第４導電部分に接して、第４電極層を形成する形成工程（ａ２４）と、
前記電極層形成部により、前記第６表面領域に接して、第５電極層を形成する形成工程（ａ２５）と、
前記対極層形成部により、前記第５表面領域に接して、前記第５電極層の対極である第４対極層を形成する形成工程（ｂ２４）と、
前記対極層形成部により、前記第６導電部分に接して、前記第５電極層の対極である第５対極層を形成する形成工程（ｂ２５）と、
前記集電体折曲部により、前記第３折曲領域を折り曲げる折曲工程（ｃ２３）と、
前記集電体折曲部により、前記第３絶縁部分を折り曲げる折曲工程（ｄ２３）と、
前記積層部により、前記第３電極層と前記第４対極層とを互いに対向させて、前記第２集電体と前記第３集電体とを積層する積層工程（ｓ２）と、
をさらに包含し、
前記折曲工程（ｃ２３）において、前記集電体折曲部により前記第３集電体が前記第３折曲領域において折り曲げられることで、前記第５裏面領域と前記第６裏面領域とは、互いに対向して、位置し、
前記折曲工程（ｄ２３）において、前記集電体折曲部により前記第３集電体が前記第３絶縁部分において折り曲げられることで、前記第５電極層と前記第５対極層とは、互いに対向して、位置する、
請求項２３に記載の電池製造方法。
【請求項２７】
前記折曲工程（ｄ１１）は、前記積層工程（ｓ１）および前記積層工程（ｓ２）および前記折曲工程（ｃ２２）および前記折曲工程（ｃ２３）よりも後に、実行され、
前記折曲工程（ｄ１１）において、前記集電体折曲部により前記第１集電体が前記第１絶縁部分において折り曲げられることで、前記第５電極層と前記第１対極層とは、互いに対向して、位置し、
前記折曲工程（ｄ２２）は、前記折曲工程（ｄ１１）よりも後に、実行され、
前記折曲工程（ｄ２２）において、前記集電体折曲部により前記第２集電体が前記第２絶縁部分において折り曲げられることで、前記第２電極層と前記第３対極層とは、互いに対向して、位置し、
前記折曲工程（ｄ２３）は、前記折曲工程（ｄ２２）よりも後に、実行され、
前記折曲工程（ｄ２３）において、前記集電体折曲部により前記第３集電体が前記第３絶縁部分において折り曲げられることで、前記第４電極層と前記第５対極層とは、互いに対向して、位置する、
請求項２６に記載の電池製造方法。
【請求項２８】
前記積層工程（ｓ１）は、前記折曲工程（ｃ１１）および前記折曲工程（ｃ２２）および前記折曲工程（ｄ１１）および前記折曲工程（ｄ２２）よりも後に、実行され、
前記積層工程（ｓ１）において、前記第３導電部分が前記第１導電部分と前記第２導電部分との間に差し込まれ、かつ、前記第２導電部分が前記第３導電部分と前記第４導電部分との間に差し込まれることで、前記第１集電体と前記第２集電体とが積層され、
前記積層工程（ｓ２）は、前記積層工程（ｓ１）および前記折曲工程（ｃ２３）および前記折曲工程（ｄ２３）よりも後に、実行され、
前記積層工程（ｓ２）において、前記第５導電部分が前記第３導電部分と前記第２導電部分との間に差し込まれ、かつ、前記第２導電部分および前記第４導電部分が前記第５導電部分と前記第６導電部分との間に差し込まれることで、前記第２集電体と前記第３集電体とが積層される、
請求項２６に記載の電池製造方法。
【請求項２９】
前記積層部は、前記第１集電体と前記第２集電体と前記第３集電体と第４集電体とを積層し、
前記第４集電体は、第７導電部分と、第４絶縁部分と、第８導電部分と、を有し、
前記第７導電部分は、第７端部領域と、第７表面領域と、第７裏面領域と、第４折曲領域と、第８表面領域と、第８裏面領域と、第８端部領域と、を有し、
前記第７表面領域は、前記第７端部領域と前記第４折曲領域との間に位置する領域であり、
前記第７裏面領域は、前記第７表面領域の裏面に位置する領域であり、
前記第８表面領域は、前記第８端部領域と前記第４折曲領域との間に位置する領域であり、
前記第８裏面領域は、前記第８表面領域の裏面に位置する領域であり、
前記第４絶縁部分は、前記第８端部領域と前記第８導電部分とを連結し、
前記電極層形成部により、前記第６導電部分に接して、第６電極層を形成する形成工程（ａ２６）と、
前記電極層形成部により、前記第８表面領域に接して、第７電極層を形成する形成工程（ａ２７）と、
前記対極層形成部により、前記第７表面領域に接して、前記第７電極層の対極である第６対極層を形成する形成工程（ｂ２６）と、
前記対極層形成部により、前記第８導電部分に接して、前記第７電極層の対極である第７対極層を形成する形成工程（ｂ２７）と、
前記集電体折曲部により、前記第４折曲領域を折り曲げる折曲工程（ｃ２４）と、
前記集電体折曲部により、前記第４絶縁部分を折り曲げる折曲工程（ｄ２４）と、
前記積層部により、前記第５電極層と前記第６対極層とを互いに対向させて、前記第３集電体と前記第４集電体とを積層する積層工程（ｓ３）と、
をさらに包含し、
前記折曲工程（ｃ２４）において、前記集電体折曲部により前記第４集電体が前記第４折曲領域において折り曲げられることで、前記第７裏面領域と前記第８裏面領域とは、互いに対向して、位置し、
前記折曲工程（ｄ２４）において、前記集電体折曲部により前記第４集電体が前記第４絶縁部分において折り曲げられることで、前記第７電極層と前記第７対極層とは、互いに対向して、位置する、
請求項２６に記載の電池製造方法。
【請求項３０】
前記折曲工程（ｄ１１）は、前記積層工程（ｓ１）および前記積層工程（ｓ２）および前記積層工程（ｓ３）および前記折曲工程（ｃ２２）および前記折曲工程（ｃ２３）および前記折曲工程（ｃ２４）よりも後に、実行され、
前記折曲工程（ｄ１１）において、前記集電体折曲部により前記第１集電体が前記第１絶縁部分において折り曲げられることで、前記第７電極層と前記第１対極層とは、互いに対向して、位置し、
前記折曲工程（ｄ２２）は、前記折曲工程（ｄ１１）よりも後に、実行され、
前記折曲工程（ｄ２２）において、前記集電体折曲部により前記第２集電体が前記第２絶縁部分において折り曲げられることで、前記第２電極層と前記第３対極層とは、互いに対向して、位置し、
前記折曲工程（ｄ２３）は、前記折曲工程（ｄ２２）よりも後に、実行され、
前記折曲工程（ｄ２３）において、前記集電体折曲部により前記第３集電体が前記第３絶縁部分において折り曲げられることで、前記第４電極層と前記第５対極層とは、互いに対向して、位置し、
前記折曲工程（ｄ２４）は、前記折曲工程（ｄ２３）よりも後に、実行され、
前記折曲工程（ｄ２４）において、前記集電体折曲部により前記第４集電体が前記第４絶縁部分において折り曲げられることで、前記第６電極層と前記第７対極層とは、互いに対向して、位置する、
請求項２９に記載の電池製造方法。
【請求項３１】
前記積層工程（ｓ１）は、前記折曲工程（ｃ１１）および前記折曲工程（ｃ２２）および前記折曲工程（ｄ１１）および前記折曲工程（ｄ２２）よりも後に、実行され、
前記積層工程（ｓ１）において、前記第３導電部分が前記第１導電部分と前記第２導電部分との間に差し込まれ、かつ、前記第２導電部分が前記第３導電部分と前記第４導電部分との間に差し込まれることで、前記第１集電体と前記第２集電体とが積層され、
前記積層工程（ｓ２）は、前記積層工程（ｓ１）および前記折曲工程（ｃ２３）および前記折曲工程（ｄ２３）よりも後に、実行され、
前記積層工程（ｓ２）において、前記第５導電部分が前記第３導電部分と前記第２導電部分との間に差し込まれ、かつ、前記第２導電部分および前記第４導電部分が前記第５導電部分と前記第６導電部分との間に差し込まれることで、前記第２集電体と前記第３集電体とが積層され、
前記積層工程（ｓ３）は、前記積層工程（ｓ２）および前記折曲工程（ｃ２４）および前記折曲工程（ｄ２４）よりも後に、実行され、
前記積層工程（ｓ３）において、前記第７導電部分が前記第５導電部分と前記第２導電部分との間に差し込まれ、かつ、前記第２導電部分および前記第４導電部分および前記第６導電部分が前記第７導電部分と前記第８導電部分との間に差し込まれることで、前記第３集電体と前記第４集電体とが積層される、
請求項２９に記載の電池製造方法。
【請求項３２】
前記電池製造装置は、固体電解質層形成部を備え、
前記固体電解質層形成部により、前記第１電極層と前記第２対極層とのうちの少なくとも一方の上に、第１固体電解質層を形成する形成工程（ｆ２１）と、
前記固体電解質層形成部により、前記第３電極層と前記第４対極層とのうちの少なくとも一方の上に、第２固体電解質層を形成する形成工程（ｆ２２）と、
前記固体電解質層形成部により、前記第２電極層と前記第３対極層とのうちの少なくとも一方の上に、第３固体電解質層を形成する形成工程（ｆ２３）と、
前記固体電解質層形成部により、前記第５電極層と前記第６対極層とのうちの少なくとも一方の上に、第４固体電解質層を形成する形成工程（ｆ２４）と、
前記固体電解質層形成部により、前記第４電極層と前記第５対極層とのうちの少なくとも一方の上に、第５固体電解質層を形成する形成工程（ｆ２５）と、
前記固体電解質層形成部により、前記第７電極層と前記第１対極層とのうちの少なくとも一方の上に、第６固体電解質層を形成する形成工程（ｆ２６）と、
前記固体電解質層形成部により、前記第６電極層と前記第７対極層とのうちの少なくとも一方の上に、第７固体電解質層を形成する形成工程（ｆ２７）と、
をさらに包含する、
請求項２９から３１のいずれかに記載の電池製造方法。
【請求項３３】
前記電池製造装置は、絶縁部分加工部を備え、
前記折曲工程（ｄ１１）よりも後に、前記絶縁部分加工部により、前記第１絶縁部分を収縮させる収縮工程（ｇ１）と、
前記折曲工程（ｄ２２）よりも後に、前記絶縁部分加工部により、前記第２絶縁部分を収縮させる収縮工程（ｇ２）と、
前記折曲工程（ｄ２３）よりも後に、前記絶縁部分加工部により、前記第３絶縁部分を収縮させる収縮工程（ｇ３）と、
前記折曲工程（ｄ２４）よりも後に、前記絶縁部分加工部により、前記第４絶縁部分を収縮させる収縮工程（ｇ４）と、
をさらに包含する、
請求項２９から３２のいずれかに記載の電池製造方法。
【発明の詳細な説明】
【技術分野】
【０００１】
本開示は、電池、および、電池製造方法に関する。
【背景技術】
【０００２】
特許文献１には、一方の面側に正極集電体層を有し他方の面側に負極集電体層を有する複合集電体を備えるシート電池が、開示されている。
【０００３】
特許文献２には、複数の領域に区画され各領域ごとに折りたたまれた電極基材と、前記電極基材の折りたたまれた各領域に設けられ固体電解質層および該固体電解質層を挟む正負１対の電極活物質層を含む単位電池部と、を備えている電池が、開示されている。
【０００４】
特許文献３には、帯状に成形された正、負各極を、一方の極の両面に他方の極が対向するように配して、折り畳むことにより形成した電極体を持つ積層型電池が開示されている。
【０００５】
特許文献４には、正極と負極がセパレータを介して交互に交差して折り畳まれた構造の二次電池が開示されている。
【０００６】
特許文献５には、帯状正極集電体と帯状負極集電体を交差させて交互に折り込む工程を含む固体組電池の製造方法が開示されている。
【０００７】
特許文献６には、互い違いに重ね合わされた正極及び負極を上下方向からプレスして圧着することにより正極と負極とが固体電解質フィルムを介して交互に積層されてなる素電池が開示されている。
【先行技術文献】
【特許文献】
【０００８】
【特許文献１】特開２０００−１９５４９５号公報
【特許文献２】特開２０１０−６７４４３号公報
【特許文献３】特開平８−２０３５３９号公報
【特許文献４】国際公開第８８／００８２１０号
【特許文献５】特許第５５９９３６６号明細書
【特許文献６】特開２００３−１２３７４３号公報
【発明の概要】
【発明が解決しようとする課題】
【０００９】
従来技術においては、電池の構成部材の間の接合強度を高めることが望まれる。
【課題を解決するための手段】
【００１０】
本開示の一様態における電池は、第１集電体と、第１電極層と、第１対極層と、第２電極層と、を備え、前記第１対極層は、前記第１電極層および前記第２電極層の対極であり、前記第１集電体は、第１導電部分と、第１絶縁部分と、第２導電部分と、を有し、前記第２導電部分は、第１端部領域と、第１表面領域と、第１裏面領域と、第１折曲部分と、第２表面領域と、第２裏面領域と、第２端部領域と、を有し、前記第１表面領域は、前記第１端部領域と前記第１折曲部分との間に位置する領域であり、前記第１裏面領域は、前記第１表面領域の裏面に位置する領域であり、前記第２表面領域は、前記第２端部領域と前記第１折曲部分との間に位置する領域であり、前記第２裏面領域は、前記第２表面領域の裏面に位置する領域であり、前記第１集電体が前記第１折曲部分において折り曲げられていることで、前記第１裏面領域と前記第２裏面領域とは、互いに、対向して位置し、前記第１電極層は、前記第１導電部分に接して、配置され、前記第１対極層は、前記第１表面領域に接して、配置され、前記第２電極層は、前記第２表面領域に接して、配置され、前記第１絶縁部分は、前記第１導電部分と前記第１端部領域とを連結し、前記第１集電体が前記第１絶縁部分において折り曲げられていることで、前記第１電極層と前記第１対極層とは、互いに対向して、位置する。
【００１１】
本開示の一様態における電池製造方法は、電池製造装置を用いた電池製造方法であって、前記電池製造装置は、電極層形成部と、対極層形成部と、第１集電体を折り曲げる集電体折曲部と、を備え、前記第１集電体は、第１導電部分と、第１絶縁部分と、第２導電部分と、を有し、前記第２導電部分は、第１端部領域と、第１表面領域と、第１裏面領域と、第１折曲領域と、第２表面領域と、第２裏面領域と、第２端部領域と、を有し、前記第１表面領域は、前記第１端部領域と前記第１折曲領域との間に位置する領域であり、前記第１裏面領域は、前記第１表面領域の裏面に位置する領域であり、前記第２表面領域は、前記第２端部領域と前記第１折曲領域との間に位置する領域であり、前記第２裏面領域は、前記第２表面領域の裏面に位置する領域であり、前記第１絶縁部分は、前記第１導電部分と前記第１端部領域とを連結し、前記電極層形成部により、前記第１導電部分に接して、第１電極層を形成する形成工程（ａ１１）と、前記電極層形成部により、前記第２表面領域に接して、第２電極層を形成する形成工程（ａ１２）と、前記対極層形成部により、前記第１表面領域に接して、前記第１電極層の対極である第１対極層を形成する形成工程（ｂ１１）と、前記集電体折曲部により、前記第１折曲領域を折り曲げる折曲工程（ｃ１１）と、前記集電体折曲部により、前記第１絶縁部分を折り曲げる折曲工程（ｄ１１）と、を包含し、前記折曲工程（ｃ１１）において、前記集電体折曲部により前記第１集電体が前記第１折曲領域において折り曲げられることで、前記第１裏面領域と前記第２裏面領域とは、互いに対向して、位置し、前記折曲工程（ｄ１１）において、前記集電体折曲部により前記第１集電体が前記第１絶縁部分において折り曲げられることで、前記第１電極層と前記第１対極層とは、互いに対向して、位置する。
【発明の効果】
【００１２】
本開示によれば、電池の構成部材の間の接合強度を高めることができる。
【図面の簡単な説明】
【００１３】
【図１】図１は、実施の形態１における電池１０００の概略構成を示す図である。
【図２】図２は、第１集電体１０１の一例の概略構成を示す図である。
【図３】図３は、第１集電体１０１の一例の概略構成を示す図である。
【図４】図４は、第１集電体１０１の一例の概略構成を示す図である。
【図５】図５は、実施の形態１における電池１１００の概略構成を示す図である。
【図６】図６は、実施の形態１における電池１２００の概略構成を示す図である。
【図７】図７は、実施の形態１における第２導電部分１１２の一例の概略構成を示す断面図である。
【図８】図８は、実施の形態１における第２導電部分１１２の一例の概略構成を示す断面図である。
【図９】図９は、実施の形態１における第２導電部分１１２の一例の概略構成を示す断面図である。
【図１０】図１０は、実施の形態１における第２導電部分１１２の一例の概略構成を示す断面図である。
【図１１】図１１は、実施の形態１における電池１３００の概略構成を示す断面図である。
【図１２】図１２は、実施の形態１における電池１４００の概略構成を示す断面図である。
【図１３】図１３は、実施の形態１における電池１５００の概略構成を示す断面図である。
【図１４】図１４は、実施の形態２における電池２０００の概略構成を示す斜視図である。
【図１５】図１５は、実施の形態２における電池２０００の概略構成を示すｘ−ｚ図（１４Ａ断面図）である。
【図１６】図１６は、実施の形態２における電池２０００の概略構成を示すｙ−ｚ図（１４Ｂ断面図）である。
【図１７】図１７は、実施の形態２における電池２１００の概略構成を示す斜視図である。
【図１８】図１８は、実施の形態２における電池２１００の概略構成を示すｘ−ｚ図（１７Ａ断面図）である。
【図１９】図１９は、実施の形態２における電池２１００の概略構成を示すｙ−ｚ図（１７Ｂ断面図）である。
【図２０】図２０は、実施の形態２における電池２２００の概略構成を示す斜視図である。
【図２１】図２１は、実施の形態２における電池２２００の概略構成を示すｘ−ｚ図（２０Ａ断面図）である。
【図２２】図２２は、実施の形態２における電池２２００の概略構成を示すｙ−ｚ図（２０Ｂ断面図）である。
【図２３】図２３は、実施の形態２における電池２３００の概略構成を示すｘ−ｚ図（断面図）である。
【図２４】図２４は、実施の形態２における電池の概略構成を示す斜視図である。
【図２５】図２５は、実施の形態３における電池製造装置３０００の概略構成を示す図である。
【図２６】図２６は、実施の形態３における電池製造方法の一例を示すフローチャートである。
【図２７】図２７は、実施の形態３における電池製造装置３１００の概略構成を示す図である。
【図２８】図２８は、実施の形態３における電池製造方法の一例を示すフローチャートである。
【図２９】図２９は、実施の形態３における電池製造方法の一例を示すフローチャートである。
【図３０】図３０は、実施の形態３における電池製造装置３２００の概略構成を示す図である。
【図３１】図３１は、実施の形態３における電池製造方法の一例を示すフローチャートである。
【図３２】図３２は、実施の形態３における第１集電体１０１の一例の概略構成を示す図である。
【図３３】図３３は、第１電極層形成工程Ｓ１１１１と第２電極層形成工程Ｓ１１１２の一例を示す図である。
【図３４】図３４は、第１対極層形成工程Ｓ１２１１と第２対極層形成工程Ｓ１２１２の一例を示す図である。
【図３５】図３５は、第１固体電解質層形成工程Ｓ１６１１と第２固体電解質層形成工程Ｓ１６１２の一例を示す図である。
【図３６】図３６は、第１折曲領域折曲工程Ｓ１３１１と第１絶縁部分折曲工程Ｓ１４１１と第２絶縁部分折曲工程Ｓ１４１２の一例を示すｘ−ｚ図（断面図）である。
【図３７】図３７は、電極層と対極層と固体電解質層とが形成された第１集電体１０１の概略構成を示すｘ−ｚ図（断面図）である。
【図３８】図３８は、実施の形態３における電池製造方法の一例を示すフローチャートである。
【図３９】図３９は、実施の形態３における電池製造装置３３００の概略構成を示す図である。
【図４０】図４０は、実施の形態３における電池製造方法の一例を示すフローチャートである。
【図４１】図４１は、実施の形態３における電池製造方法の一例を示すフローチャートである。
【図４２】図４２は、実施の形態３における第１積層工程Ｓ１７０１の一例を示す図である。
【図４３】図４３は、実施の形態３における電池製造方法の一例を示すフローチャートである。
【図４４】図４４は、実施の形態３における電池製造方法の一例を示すフローチャートである。
【図４５】図４５は、実施の形態３における第１積層工程Ｓ１７０１および第２積層工程Ｓ１７０２の一例を示す図である。
【図４６】図４６は、実施の形態３における電池製造方法の一例を示すフローチャートである。
【図４７】図４７は、実施の形態３における電池製造方法の一例を示すフローチャートである。
【図４８】図４８は、実施の形態３における第１積層工程Ｓ１７０１および第２積層工程Ｓ１７０２および第３積層工程Ｓ１７０３の一例を示す図である。
【図４９】図４９は、実施の形態３における電池製造装置３４００の概略構成を示す図である。
【図５０】図５０は、実施の形態３における電池製造方法の一例を示すフローチャートである。
【図５１】図５１は、比較例１における電池９０００の概略構成を示す断面図である。
【図５２】図５２は、比較例２における電池９１００の概略構成を示す断面図である。
【発明を実施するための形態】
【００１４】
以下、実施の形態が、図面を参照しながら、説明される。
【００１５】
（実施の形態１）
図１は、実施の形態１における電池１０００の概略構成を示す図である。
【００１６】
図１（ａ）は、実施の形態１における電池１０００の概略構成を示すｘ−ｚ図（１Ａ断面図）である。
【００１７】
図１（ｂ）は、実施の形態１における電池１０００の概略構成を示すｘ−ｙ図（１Ｂ断面図）である。
【００１８】
実施の形態１における電池１０００は、第１集電体１０１と、第１電極層２２１と、第１対極層２３１と、第２電極層２２２と、を備える。
【００１９】
第１対極層２３１は、第１電極層２２１および第２電極層２２２の対極である。
【００２０】
第１集電体１０１は、第１導電部分１１１と、第１絶縁部分１２１と、第２導電部分１１２と、を有する。
【００２１】
第２導電部分１１２は、第１端部領域１４１と、第１表面領域１５１と、第１裏面領域１６１と、第１折曲部分１３１と、第２表面領域１５２と、第２裏面領域１６２と、第２端部領域１４２と、を有する。
【００２２】
第１表面領域１５１は、第１端部領域１４１と第１折曲部分１３１との間に位置する領域である。
【００２３】
第１裏面領域１６１は、第１表面領域１５１の裏面に位置する領域である。
【００２４】
第２表面領域１５２は、第２端部領域１４２と第１折曲部分１３１との間に位置する領域である。
【００２５】
第２裏面領域１６２は、第２表面領域１５２の裏面に位置する領域である。
【００２６】
第１集電体１０１が第１折曲部分１３１において折り曲げられている。これにより、第１裏面領域１６１と第２裏面領域１６２とは、互いに、対向して位置する。
【００２７】
第１電極層２２１は、第１導電部分１１１に接して、配置される。
【００２８】
第１対極層２３１は、第１表面領域１５１に接して、配置される。
【００２９】
第２電極層２２２は、第２表面領域１５２に接して、配置される。
【００３０】
第１絶縁部分１２１は、第１導電部分１１１と第１端部領域１４１とを連結する部材である。
【００３１】
第１集電体１０１が第１絶縁部分１２１において折り曲げられている。これにより、第１電極層２２１と第１対極層２３１とは、互いに対向して、位置する。
【００３２】
以上の構成によれば、電池の構成部材の間の接合強度を高めることができる。すなわち、第１絶縁部分１２１により互いに連結される第１導電部分１１１と第２導電部分１１２とに、それぞれ、第１電極層２２１と第１対極層２３１とを、配置することができる。これにより、第１導電部分１１１に配置される第１電極層２２１と第２導電部分１１２に配置される第１対極層２３１との位置関係を、第１絶縁部分１２１により（言い換えれば、１つの構成部材である第１集電体１０１により）、強固に維持することができる。これにより、例えば、電池製造時または電池使用時における衝撃または振動などによって、電池を構成する各層（または、各素電池）が位置ずれまたは分離することを防止できる。すなわち、電池を構成する各層（例えば、第１電極層２２１と第１対極層２３１）の接合の強度を、第１集電体１０１により、高めることができる。これにより、電池の信頼性を向上させることができる。
【００３３】
また、以上の構成によれば、第１表面領域１５１および第２表面領域１５２（すなわち、第１集電体１０１の一部の領域であり、かつ、第１折曲部分１３１により連結している２つの領域）に、それぞれ、第１対極層２３１と第２電極層２２２とを、配置することができる。これにより、第１表面領域１５１に配置される第１対極層２３１と第２表面領域１５２に配置される第２電極層２２２との位置関係を、第１折曲部分１３１により（言い換えれば、１つの構成部材である第１集電体１０１により）、強固に維持することができる。したがって、例えば、第１集電体１０１を用いて積層型電池が構成される場合には、電池を構成する２つの電池セル（素電池）を、第１集電体１０１により、互いに、連結することができる。
【００３４】
また、以上の構成によれば、第１対極層２３１が配置される第１表面領域１５１と第２電極層２２２が配置される第２表面領域１５２とを、第１折曲部分１３１により、低抵抗に接続できる。すなわち、第１表面領域１５１と第２表面領域１５２との間の抵抗を、低減することができる。これにより、例えば、電池を大電流で動作させる場合でも、第１裏面領域１６１と第２裏面領域１６２との接触抵抗に起因する発熱などを生じ難くできる。このため、例えば、第１集電体１０１として薄い集電体を用いても、性能低下が生じ難い。したがって、電池の軽量化を実現できる。
【００３５】
また、以上の構成によれば、電池の側面のうち、第１絶縁部分１２１が位置する側面を、第１絶縁部分１２１により、覆うことができる。これにより、電池外部に存在しうる部材（例えば、別の電池、など）と、第１絶縁部分１２１が位置する電池の側面とが、互いに接触することを、第１絶縁部分１２１により、防ぐことができる。したがって、電池同士の接触による短絡を抑制できる。また、電池と電池外部に存在しうる部材との接触による電池の側面の部分的な破壊を抑制できる。また、電池の側面の一部が第１絶縁部分１２１により覆われることで、電池の構成部材（例えば、第１電極層２２１に含まれる電極材料、第１対極層２３１に含まれる対極材料、など）の一部が崩落した場合であっても、第１絶縁部分１２１により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【００３６】
なお、実施の形態１における電池１０００は、図１に示されるように、第２対極層２３２をさらに備えてもよい。
【００３７】
第２対極層２３２は、第１電極層２２１および第２電極層２２２の対極である。
【００３８】
第１集電体１０１は、第２絶縁部分１２２と、第３導電部分１１３と、を有してもよい。
【００３９】
第２対極層２３２は、第３導電部分１１３に接して、配置される。
【００４０】
第２絶縁部分１２２は、第２端部領域１４２と第３導電部分１１３とを連結する部材である。
【００４１】
第１集電体１０１が第２絶縁部分１２２において折り曲げられている。これにより、第２電極層２２２と第２対極層２３２とは、互いに対向して、位置する。
【００４２】
以上の構成によれば、電池の構成部材の間の接合強度を、より高めることができる。すなわち、第２絶縁部分１２２により互いに連結される第２導電部分１１２と第３導電部分１１３とに、それぞれ、第２電極層２２２と第２対極層２３２とを、配置することができる。これにより、第２導電部分１１２に配置される第２電極層２２２と第３導電部分１１３に配置される第２対極層２３２との位置関係を、第２絶縁部分１２２により（言い換えれば、１つの構成部材である第１集電体１０１により）、強固に維持することができる。これにより、例えば、電池製造時または電池使用時における衝撃または振動などによって、電池を構成する各層（例えば、第２電極層２２２と第２対極層２３２）が位置ずれまたは分離することを防止できる。
【００４３】
また、以上の構成によれば、第１集電体１０１を用いて、積層型電池を構成することができる。すなわち、第１電極層２２１と第１対極層２３１とを含む発電要素（第１発電要素２１１）と、第２電極層２２２と第２対極層２３２とを含む発電要素（第２発電要素２１２）とを、第１集電体１０１（すなわち、第１集電体１０１の第２導電部分１１２）を介して、直列接続で積層することができる。これにより、第１発電要素２１１の構成部材と第２発電要素２１２の構成部材との位置関係を、第１絶縁部分１２１と第２絶縁部分１２２とにより（言い換えれば、１つの構成部材である第１集電体１０１により）、強固に維持することができる。したがって、例えば、電池製造時または電池使用時における衝撃または振動などによって、電池を構成する各発電要素（例えば、第１発電要素２１１と第２発電要素２１２）が位置ずれまたは分離することを防止できる。これにより、第１発電要素２１１と第２発電要素２１２との直列接続により電池電圧を高めながら、電池の信頼性を向上させることができる。
【００４４】
また、以上の構成によれば、電池の側面のうち、第２絶縁部分１２２が位置する側面を、第２絶縁部分１２２により、覆うことができる。これにより、電池外部に存在しうる部材（例えば、別の電池、など）と、第２絶縁部分１２２が位置する電池の側面とが、互いに接触することを、第２絶縁部分１２２により、防ぐことができる。したがって、電池同士の接触による短絡を抑制できる。また、電池と電池外部に存在しうる部材との接触による電池の側面の部分的な破壊を抑制できる。また、電池の側面の一部が第２絶縁部分１２２により覆われることで、電池の構成部材（例えば、第２電極層２２２に含まれる電極材料、第２対極層２３２に含まれる対極材料、など）の一部が崩落した場合であっても、第２絶縁部分１２２により、当該崩落した構成部材が、電池内部の別の単電池セル部分（例えば、第１発電要素２１１、など）または電池外部に移動することを抑制できる。したがって、電池の構成部材の崩落による、電池内部の短絡を抑制できる。これらにより、電池の信頼性を、より向上させることができる。
【００４５】
なお、実施の形態１における電池１０００は、図１に示されるように、第１固体電解質層２４１をさらに備えてもよい。
【００４６】
第１固体電解質層２４１は、第１電極層２２１と第１対極層２３１の間に位置する。
【００４７】
以上の構成によれば、第１電極層２２１と第１対極層２３１と第１固体電解質層２４１とにより、１つの固体電池セル（第１発電要素２１１）を構成することができる。
【００４８】
なお、実施の形態１における電池１０００においては、図１に示されるように、第１固体電解質層２４１は、第１導電部分１１１と第２導電部分１１２とに接して、配置されてもよい。
【００４９】
以上の構成によれば、電池の構成部材の間の接合強度を、より高めることができる。すなわち、第１固体電解質層２４１により、第１導電部分１１１と第２導電部分１１２との間の接合強度を高めることができる。これにより、第１集電体１０１から第１電極層２２１と第１対極層２３１とが剥がれることを抑制できる。このため、例えば、電池製造時または電池使用時における衝撃または振動などによって、第１発電要素２１１を構成する各層が位置ずれまたは分離することを防止できる。これにより、電池の信頼性を、より向上させることができる。
【００５０】
なお、実施の形態１における電池１０００は、図１に示されるように、第２固体電解質層２４２をさらに備えてもよい。
【００５１】
第２固体電解質層２４２は、第２電極層２２２と第２対極層２３２の間に位置する。
【００５２】
以上の構成によれば、第２電極層２２２と第２対極層２３２と第２固体電解質層２４２とにより、１つの固体電池セル（第２発電要素２１２）を構成することができる。これにより、第１集電体１０１を介して第１発電要素２１１と第２発電要素２１２とが直列接続されて成る積層型電池を構成することができる。このとき、第１発電要素２１１（すなわち、第１電極層２２１と第１対極層２３１と第１固体電解質層２４１）と第２発電要素２１２（すなわち、第２電極層２２２と第２対極層２３２と第２固体電解質層２４２）とを、第１集電体１０１により、強固に連結することができる。これにより、例えば、電池製造時または電池使用時における衝撃または振動などによって、電池を構成する各電池セル（第１発電要素２１１と第２発電要素２１２）が位置ずれまたは分離することを防止できる。すなわち、電池を構成する各電池セル（第１発電要素２１１と第２発電要素２１２）の接合の強度を、第１集電体１０１により、高めることができる。これにより、第１発電要素２１１と第２発電要素２１２との直列接続により電池電圧を高めながら、電池の信頼性を向上させることができる。
【００５３】
なお、実施の形態１における電池１０００においては、図１に示されるように、第２固体電解質層２４２は、第２導電部分１１２と第３導電部分１１３とに接して、配置されてもよい。
【００５４】
以上の構成によれば、電池の構成部材の間の接合強度を、より高めることができる。すなわち、第２固体電解質層２４２により、第２導電部分１１２と第３導電部分１１３との間の接合強度を高めることができる。これにより、第１集電体１０１から第２電極層２２２と第２対極層２３２とが剥がれることを抑制できる。このため、例えば、電池製造時または電池使用時における衝撃または振動などによって、第２発電要素２１２を構成する各層が位置ずれまたは分離することを防止できる。これにより、電池の信頼性を、より向上させることができる。
【００５５】
以上の効果の詳細が、下記の比較例１および２を用いて、説明される。
【００５６】
図５１は、比較例１における電池９０００の概略構成を示す断面図である。
【００５７】
比較例１における電池９０００は、集電体９００と集電体９１０と集電体９２０と集電体９３０とを備える。集電体９１０の表面領域９１１には、第１対極層２３１が配置される。また、集電体９２０の表面領域９２１には、第２電極層２２２が配置される。このとき、集電体９１０の裏面領域９１２と集電体９２０の裏面領域９２２とは、互いに接触して配置される。
【００５８】
ここで、比較例１における電池９０００は、実施の形態１の電池１０００における第１集電体１０１を備えていない。言い換えれば、集電体９１０と集電体９２０とは、第１折曲部分１３１に相当する部材により、互いに連結されていない。
【００５９】
このため、比較例１においては、電池の構成部材の間の接合強度を高めることができない。すなわち、互いに連結されていない集電体９１０と集電体９２０との位置関係にずれが生じる可能性が高まる。このため、例えば、電池製造時または電池使用時における衝撃または振動などによって、集電体９１０の表面領域９１１側に位置する構成部材（例えば、第２発電要素２１２）と、集電体９２０の表面領域９２１側に位置する構成部材（例えば、第１発電要素２１１）と、の位置関係にずれが生じる可能性が高まる。このため、比較例１の電池９０００においては、電池の信頼性を向上させることができない。
【００６０】
これに対して、実施の形態１によれば、上述したように、第１折曲部分１３１を有する第１集電体１０１を備えることにより、電池の構成部材の間の接合強度を高めることができる。例えば、比較例１における電池９０００において集電体９１０の裏面領域９１２と集電体９２０の裏面領域９２２との間に単に接着層が設けられる場合と比較して、実施の形態１によれば、第１折曲部分１３１により、より強固に電池の構成部材（例えば、第１発電要素２１１と第２発電要素２１２）の位置関係を維持できる。また、第１折曲部分１３１により、第１表面領域１５１と第２表面領域１５２との間の抵抗を、低減することができる。
【００６１】
さらに、比較例１における電池９０００においては、集電体９００と集電体９１０とは、第１絶縁部分１２１に相当する部材により、互いに連結されていない。
【００６２】
このため、比較例１においては、電池の構成部材の間の接合強度を高めることができない。すなわち、互いに連結されていない集電体９００と集電体９１０との位置関係にずれが生じる可能性が高まる。このため、例えば、電池製造時または電池使用時における衝撃または振動などによって、集電体９００側に位置する構成部材（例えば、第１電極層２２１）と、集電体９１０側に位置する構成部材（例えば、第１対極層２３１）と、の位置関係にずれが生じる可能性が高まる。このため、比較例１の電池９０００においては、電池の信頼性を向上させることができない。
【００６３】
これに対して、実施の形態１によれば、上述したように、第１絶縁部分１２１を有する第１集電体１０１を備えることにより、電池の構成部材の間の接合強度を高めることができる。
【００６４】
さらに、比較例１における電池９０００においては、集電体９２０と集電体９３０とは、第２絶縁部分１２２に相当する部材により、互いに連結されていない。
【００６５】
このため、比較例１においては、電池の構成部材の間の接合強度を高めることができない。すなわち、互いに連結されていない集電体９２０と集電体９３０との位置関係にずれが生じる可能性が高まる。このため、例えば、電池製造時または電池使用時における衝撃または振動などによって、集電体９２０側に位置する構成部材（例えば、第２電極層２２２）と、集電体９３０側に位置する構成部材（例えば、第２対極層２３２）と、の位置関係にずれが生じる可能性が高まる。このため、比較例１の電池９０００においては、電池の信頼性を向上させることができない。
【００６６】
これに対して、実施の形態１によれば、上述したように、第２絶縁部分１２２を有する第１集電体１０１を備えることにより、電池の構成部材の間の接合強度を高めることができる。
【００６７】
図５２は、比較例２における電池９１００の概略構成を示す断面図である。
【００６８】
比較例２における電池９１００は、集電体９００を備える。集電体９００は、裏面領域９０５と裏面領域９０６とが接触するように、折り曲げられている。集電体９００の各表面領域（９０１、９０２、９０３、９０４）に接して、各発電要素（９４０ａ、９４０ｂ、９４０ｃ、９４０ｄ）が配置される。すなわち、集電体９００の各表面領域（９０１、９０２、９０３、９０４）に接して、各電極層（９４１ａ、９４１ｂ、９４１ｃ、９４１ｄ）が、それぞれ、配置される。また、各電極層（９４１ａ、９４１ｂ、９４１ｃ、９４１ｄ）に接して、各固体電解質層（９４３ａ、９４３ｂ、９４３ｃ、９４３ｄ）が、それぞれ、配置される。また、各個体電解質層（９４３ａ、９４３ｂ、９４３ｃ、９４３ｄ）に接して、各対極層（９４２ａ、９４２ｂ、９４２ｃ、９４２ｄ）が、それぞれ、配置される。また、各対極層（９４２ａ、９４２ｂ、９４２ｃ、９４２ｄ）に接して、各集電体（９３１、９３２、９３３、９３４）が、それぞれ、配置される。
【００６９】
ここで、比較例２における電池９１００は、集電体９００の折り曲げ部分を挟んで、互いに同極となる２つの電極層（すなわち、電極層９４１ｂと電極層９４１ｃ）が配置される。すなわち、比較例２における電池９１００は、実施の形態１の電池１０００における第１集電体１０１を含むバイポーラ電極構造を備えていない。言い換えれば、比較例２における電池９１００は、実施の形態１の電池１０００のように、第１集電体１０１の第１折曲部分１３１を挟んで、互いに対極となる２つの電極層（すなわち、第２電極層２２２と第１対極層２３１）が、配置される構成ではない。
【００７０】
このため、比較例２においては、各発電要素が直列接続されて成る積層型電池を構成することができない。すなわち、比較例２における電池９１００は、各発電要素（９４０ａ、９４０ｂ、９４０ｃ、９４０ｄ）を並列に接続させることしかできない。このため、比較例２においては、各発電要素を直列接続することで、電池電圧を高めることができない。
【００７１】
これに対して、実施の形態１によれば、上述したように、第１集電体１０１を介して第１発電要素２１１と第２発電要素２１２とが直列接続されて成る積層型電池を構成することができる。さらに、電池を構成する各電池セル（第１発電要素２１１と第２発電要素２１２）の接合の強度を、第１集電体１０１により、高めることができる。これにより、第１発電要素２１１と第２発電要素２１２との直列接続により電池電圧を高めながら、電池の信頼性を向上させることができる。
【００７２】
また、比較例２における電池９１００においては、集電体９００の表面領域９０１と表面領域９０２との間には、集電体９００と対極となる集電体（９３１と９３２）が配置される。また、比較例２における電池９１００においては、集電体９００の表面領域９０３と表面領域９０４との間には、集電体９００と対極となる集電体（９３３と９３４）が配置される。すなわち、比較例２における電池９１００は、実施の形態１の電池１０００のように、両側の集電体に接して配置される固体電解質層を備えていない。
【００７３】
このため、比較例２においては、電池の構成部材の間の接合強度を高めることができない。すなわち、比較例２における電池９１００においては、例えば、集電体９３１と集電体９３２とが（もしくは、集電体９３３と集電体９３４とが）剥がれ易い。また、比較例２における電池９１００においては、各対極層（９４２ａ、９４２ｂ、９４２ｃ、９４２ｄ）が、各集電体（９３１、９３２、９３３、９３４）から、剥がれ易い。このため、各発電要素間の位置ずれまたは分離が生じる可能性がある。
【００７４】
これに対して、実施の形態１によれば、上述したように、両側の集電体に接して配置される固体電解質層（すなわち、第１固体電解質層２４１と第２固体電解質層２４２）により、電池の構成部材の間の接合強度を、より高めることができる。すなわち、第１固体電解質層２４１により、第１導電部分１１１と第２導電部分１１２との間の接合強度を高めることができる。また、第２固体電解質層２４２により、第２導電部分１１２と第３導電部分１１３との間の接合強度を高めることができる。
【００７５】
第１導電部分１１１と第２導電部分１１２と第３導電部分１１３とは、導電性を有する部材である。第１導電部分１１１と第２導電部分１１２と第３導電部分１１３とは、例えば、導電性を有する薄膜であってもよい。第１導電部分１１１と第２導電部分１１２と第３導電部分１１３とを構成する材料としては、例えば、金属（ＳＵＳ、Ａｌ、Ｃｕ、など）が用いられうる。また、第１導電部分１１１と第２導電部分１１２と第３導電部分１１３とにおいて、電極層が配置される主面の材質は、対極層が配置される主面の材質と、異なってもよい。すなわち、第１導電部分１１１と第２導電部分１１２と第３導電部分１１３としては、多層構造の金属箔が用いられてもよい。また、電極層または対極層に接する部分に、集電体層（例えば、導電性材料を含む層）を備えてもよい。第１導電部分１１１と第２導電部分１１２と第３導電部分１１３の厚みは、例えば、５〜１００μｍであってもよい。
【００７６】
第１発電要素２１１と第２発電要素２１２とは、例えば、充電および放電の特性を有する発電部（例えば、二次電池）である。例えば、第１発電要素２１１と第２発電要素２１２とは、単電池セルであってもよい。
【００７７】
なお、第１発電要素２１１と第２発電要素２１２とは、固体電解質層を備えてもよい。すなわち、第１発電要素２１１と第２発電要素２１２とは、全固体電池であってもよい。
【００７８】
第１電極層２２１と第２電極層２２２とは、電極材料（例えば、活物質）を含む層である。
【００７９】
第１対極層２３１と第２対極層２３２とは、対極材料（例えば、活物質）を含む層である。対極材料は、電極材料の対極を構成する材料である。
【００８０】
また、図１に示されるように、第１電極層２２１と第１対極層２３１とは、それぞれ、第１導電部分１１１と第２導電部分１１２よりも狭い範囲に、形成されてもよい。
【００８１】
また、図１に示されるように、第２電極層２２２と第２対極層２３２とは、それぞれ、第２導電部分１１２と第３導電部分１１３よりも狭い範囲に、形成されてもよい。
【００８２】
第１固体電解質層２４１と第２固体電解質層２４２とは、固体電解質を含む固体電解質層である。
【００８３】
また、図１に示されるように、第１固体電解質層２４１は、第１電極層２２１と第１対極層２３１よりも大面積に、配置されてもよい。すなわち、第１固体電解質層２４１は、第１電極層２２１と第１対極層２３１とを覆う形で、配置されてもよい。これにより、第１電極層２２１と第１対極層２３１との直接接触による短絡を防止できる。
【００８４】
また、図１に示されるように、第２固体電解質層２４２は、第２電極層２２２と第２対極層２３２よりも大面積に、配置されてもよい。すなわち、第２固体電解質層２４２は、第２電極層２２２と第２対極層２３２とを覆う形で、配置されてもよい。これにより、第２電極層２２２と第２対極層２３２との直接接触による短絡を防止できる。
【００８５】
また、図１に示されるように、第１固体電解質層２４１は、第１導電部分１１１と第２導電部分１１２よりも狭い範囲に、配置されてもよい。もしくは、第１固体電解質層２４１の形成範囲は、第１導電部分１１１と第２導電部分１１２と同じ範囲であってもよい。
【００８６】
また、図１に示されるように、第２固体電解質層２４２は、第２導電部分１１２と第３導電部分１１３よりも狭い範囲に、配置されてもよい。もしくは、第２固体電解質層２４２の形成範囲は、第２導電部分１１２と第３導電部分１１３と同じ範囲であってもよい。
【００８７】
なお、第１電極層２２１と第２電極層２２２は負極活物質層であってもよい。このとき、電極材料は負極活物質である。第１導電部分１１１は負極集電体である。第２導電部分１１２はバイポーラ集電体（すなわち、正極層を備える主面と、負極層を備える主面と、を有する集電体）である。第１対極層２３１と第２対極層２３２は正極活物質層である。対極材料は正極活物質である。第３導電部分１１３は正極集電体である。
【００８８】
もしくは、第１電極層２２１と第２電極層２２２は正極活物質層であってもよい。このとき、電極材料は正極活物質である。第１導電部分１１１は正極集電体である。第２導電部分１１２はバイポーラ集電体である。第１対極層２３１と第２対極層２３２は負極活物質層である。対極材料は負極活物質である。第３導電部分１１３は負極集電体である。
【００８９】
正極活物質層に含有される正極活物質としては、公知の正極活物質（例えば、コバルト酸リチウム、ＬｉＮＯ、など）が用いられうる。正極活物質の材料としては、ＬｉまたはＭｇなどのイオンを離脱および挿入することができる各種材料が用いられうる。
【００９０】
また、正極活物質層の含有材料としては、公知の固体電解質（例えば、無機系固体電解質など）が用いられうる。無機系固体電解質としては、硫化物固体電解質または酸化物固体電解質などが用いられうる。硫化物固体電解質としては、例えば、Ｌｉ２Ｓ：Ｐ２Ｓ５の混合物が用いられうる。正極活物質の表面は、固体電解質でコートされていてもよい。また、正極活物質層の含有材料としては、導電材（例えば、アセチレンブラックなど）、結着用バインダー（例えば、ポリフッ化ビニリデンなど）、など、が用いられうる。
【００９１】
これら正極活物質層の含有材料を溶媒と共に練り込んだペースト状の塗料を正極集電体面上に塗工乾燥して正極活物質層が作製されうる。正極活物質層の密度を高めるために、乾燥後にプレスしておいてもよい。このようにして作製される正極活物質層の厚みは、例えば、５〜３００μｍである。
【００９２】
正極集電体としては、金属箔（例えば、ＳＵＳ箔、Ａｌ箔）、など、が用いられうる。
【００９３】
負極活物質層に含有される負極活物質としては、公知の負極活物質（例えば、グラファイト、など）が用いられうる。負極活物質の材料としては、ＬｉまたはＭｇなどのイオンを離脱および挿入することができる各種材料が用いられうる。
【００９４】
また、負極活物質層の含有材料としては、公知の固体電解質（例えば、無機系固体電解質など）が用いられうる。無機系固体電解質としては、硫化物固体電解質または酸化物固体電解質などが用いられうる。硫化物固体電解質としては、例えば、Ｌｉ２Ｓ：Ｐ２Ｓ５の混合物が用いられうる。また、負極活物質層の含有材料としては、導電材（例えば、アセチレンブラックなど）、結着用バインダー（例えば、ポリフッ化ビニリデンなど）、など、が用いられうる。
【００９５】
これら負極活物質層の含有材料を溶媒と共に練り込んだペースト状の塗料を負極集電体上に塗工乾燥して負極活物質層が作製されうる。負極活物質層の密度を高めるために、負極板をプレスしておいてもよい。このようにして作製される負極活物質層の厚みは、例えば、５〜３００μｍである。
【００９６】
負極集電体としては、金属箔（例えば、ＳＵＳ箔、Ｃｕ箔）、など、が用いられうる。
【００９７】
正極活物質層と負極活物質層との形成範囲は、同じであってもよい。もしくは、正極活物質層の形成範囲よりも、負極活物質層の形成範囲を、大きくしてもよい。これにより、例えば、リチウム析出（または、マグネシウム析出）による電池の信頼性低下を防止することができる。
【００９８】
固体電解質層に含有される固体電解質としては、公知の固体電解質（例えば、無機系固体電解質など）が用いられうる。無機系固体電解質としては、硫化物固体電解質または酸化物固体電解質などが用いられうる。硫化物固体電解質としては、例えば、Ｌｉ２Ｓ：Ｐ２Ｓ５の混合物が用いられうる。
【００９９】
また、固体電解質層の含有材料としては、結着用バインダー（例えば、ポリフッ化ビニリデンなど）、など、が用いられうる。
【０１００】
これらの含有材料を溶媒と共に練り込んだペースト状の塗料を正極活物質層または負極活物質層上に塗工乾燥して固体電解質層が作製されうる。
【０１０１】
第１絶縁部分１２１と第２絶縁部分１２２とは、絶縁性の材料（すなわち、導電性が無い材料、または、導電性が十分に低い材料）から構成される部材である。第１絶縁部分１２１と第２絶縁部分１２２の材料としては、例えば、樹脂などが用いられうる。第１絶縁部分１２１と第２絶縁部分１２２とは、例えば、樹脂からなる膜（もしくは、メッシュ）であってもよい。第１絶縁部分１２１と第２絶縁部分１２２の厚みは、例えば、５〜１００μｍであってもよい。
【０１０２】
第１絶縁部分１２１は、第１導電部分１１１と第２導電部分１１２とに連結される。すなわち、第１絶縁部分１２１の一端は、第１導電部分１１１（例えば、第１導電部分１１１の端部）に接続（例えば、接合）される。さらに、第１絶縁部分１２１の別の一端は、第２導電部分１１２の端部である第１端部領域１４１に接続（例えば、接合）される。
【０１０３】
第１集電体１０１は、それぞれ個別に準備された、第１導電部分１１１と第２導電部分１１２と第３導電部分１１３と第１絶縁部分１２１と第２絶縁部分１２２とを組み合わせる（すなわち、互いに接続する）ことで、作製されてもよい。
【０１０４】
図２は、第１集電体１０１の一例の概略構成を示す図である。
【０１０５】
図２（ａ）は、第１集電体１０１の一例の概略構成を示すｘ−ｚ図（２Ａ断面図）である。
【０１０６】
図２（ｂ）は、第１集電体１０１の一例の概略構成を示すｘ−ｙ図（上面図）である。
【０１０７】
図２に示されるように、第１導電部分１１１と第２導電部分１１２とのうちの少なくとも一方（もしくは、両方）は、第１絶縁部分１２１と、突き合せ接続されてもよい。すなわち、第１導電部分１１１と第２導電部分１１２の側面と第１絶縁部分１２１とが、接続（例えば、接合）されてもよい。
【０１０８】
以上の構成によれば、第１集電体１０１における段差を小さくできる。このため、例えば、電池の製造時の巻き取り後の形状が改善できる。これにより、より高エネルギー密度の電池を実現できる。
【０１０９】
図３は、第１集電体１０１の一例の概略構成を示す図である。
【０１１０】
図３（ａ）は、第１集電体１０１の一例の概略構成を示すｘ−ｚ図（３Ａ断面図）である。
【０１１１】
図３（ｂ）は、第１集電体１０１の一例の概略構成を示すｘ−ｙ図（上面図）である。
【０１１２】
図３に示されるように、第１導電部分１１１と第２導電部分１１２との端部（図３に示されるＳ１とＳ２）のうちの少なくとも一方（もしくは、両方）に、第１絶縁部分１２１が重ね合わされて、接続されてもよい。  
【０１１３】
以上の構成によれば、接合面積を大きくすることができる。このため、接合強度を高めることができる。
【０１１４】
図４は、第１集電体１０１の一例の概略構成を示す図である。
【０１１５】
図４（ａ）は、第１集電体１０１の一例の概略構成を示すｘ−ｚ図（４Ａ断面図）である。
【０１１６】
図４（ｂ）は、第１集電体１０１の一例の概略構成を示すｘ−ｙ図（上面図）である。
【０１１７】
図４に示されるように、第１導電部分１１１と第２導電部分１１２とのうちの少なくとも一方（もしくは、両方）は、第１絶縁部分１２１と、嵌合接続されてもよい。すなわち、第１導電部分１１１と第２導電部分１１２とが、第１絶縁部分１２１に形成された開口部分に、それぞれ、嵌め込まれてもよい。これにより、第１絶縁部分１２１の開口部分に、第１導電部分１１１と第２導電部分１１２とが固定されてもよい。
【０１１８】
以上の構成によれば、第１集電体１０１における段差を小さくできる。このため、例えば、電池の製造時の巻き取り後の形状が改善できる。これにより、より高エネルギー密度の電池を実現できる。さらに、第１集電体１０１の全体に渡って、第１絶縁部分１２１を連続体として構成することができる。これにより、第１集電体１０１の引っ張り強度を高めることができる。
【０１１９】
第２絶縁部分１２２は、第２導電部分１１２と第３導電部分１１３とに連結される。すなわち、第２絶縁部分１２２の一端は、第２導電部分１１２の端部である第２端部領域１４２に接続（例えば、接合）される。さらに、第２絶縁部分１２２の別の一端は、第３導電部分１１３（例えば、第３導電部分１１３の端部）に接続（例えば、接合）される。
【０１２０】
なお、第２導電部分１１２と第３導電部分１１３のうちの少なくとも一方（例えば、両方）と第２絶縁部分１２２との接続方法は、第１導電部分１１１と第２導電部分１１２のうちの少なくとも一方（例えば、両方）と第１絶縁部分１２１との接続方法と、異なってもよいし、同じであってもよい。
【０１２１】
なお、図１に示される通り、第２絶縁部分１２２が接続される第２導電部分１１２の第２端部領域１４２（すなわち、第２導電部分１１２が矩形である場合には、その矩形の一辺）は、第１絶縁部分１２１が接続される第２導電部分１１２の第１端部領域１４１の向かいに位置する端部（第１端部領域１４１と平行する向きの端部）であってもよい。もしくは、第２絶縁部分１２２が接続される第２導電部分１１２の第２端部領域１４２は、第１絶縁部分１２１が接続される第２導電部分１１２の第１端部領域１４１の向かいに位置しない端部（第１端部領域１４１と直交する向きの端部）であってもよい。
【０１２２】
なお、第１絶縁部分１２１と第２絶縁部分１２２とは、第１集電体１０１の一部（導電部分）が、例えば、化学処理（酸化、など）により非導電性とされる（例えば、導電性が十分に低減される）ことで形成される部分であってもよい。
【０１２３】
図５は、実施の形態１における電池１１００の概略構成を示す図である。
【０１２４】
図５（ａ）は、実施の形態１における電池１１００の概略構成を示すｘ−ｚ図（５Ａ断面図）である。
【０１２５】
図５（ｂ）は、実施の形態１における電池１１００の概略構成を示すｘ−ｙ図（５Ｂ断面図）である。
【０１２６】
実施の形態１における電池１１００は、上述の実施の形態１における電池１０００の構成に加えて、下記の構成をさらに備える。
【０１２７】
すなわち、実施の形態１における電池１１００においては、第１折曲部分１３１は、第１固体電解質層２４１と第２固体電解質層２４２とのうちの少なくとも一方により、覆われる。
【０１２８】
以上の構成によれば、第１折曲部分１３１が露出することを防止できる。このため、例えば、第２導電部分１１２と隣接する他の集電体（例えば、第１導電部分１１１または第３導電部分１１３）と第２導電部分１１２とが、第１折曲部分１３１において、互いに接触することを、第１固体電解質層２４１または第２固体電解質層２４２により、防止できる。したがって、第２導電部分１１２と隣接する他の集電体（例えば、第１導電部分１１１または第３導電部分１１３）と第２導電部分１１２とが、短絡する可能性を低減することができる。これにより、電池の信頼性を、より向上させることができる。
【０１２９】
例えば、図５に示されるように、第１折曲部分１３１は、第１固体電解質層２４１と第２固体電解質層２４２との両方により、覆われてもよい。より具体的には、第１折曲部分１３１の一部（すなわち、第１表面領域１５１に隣接する部分）は、第１固体電解質層２４１により、覆われてもよい。さらに、第１折曲部分１３１の一部（すなわち、第２表面領域１５２に隣接する部分）は、第２固体電解質層２４２により、覆われてもよい。
【０１３０】
なお、実施の形態１においては、第１折曲部分１３１は、第１固体電解質層２４１のみにより、覆われてもよい。もしくは、第１折曲部分１３１は、第２固体電解質層２４２のみにより、覆われてもよい。
【０１３１】
なお、図１および図５に示されるように、第１裏面領域１６１と第２裏面領域１６２とは、互いに、接触してもよい。
【０１３２】
以上の構成によれば、互いに接触する第１裏面領域１６１および第２裏面領域１６２の間における導電が可能となる。これにより、第１折曲部分１３１により電池の構成部材の間の接合強度を高めながら、第１折曲部分１３１において電子の移動が可能であるとともに、互いに接触する第１裏面領域１６１および第２裏面領域１６２の間においても、電子の移動が可能となる。
【０１３３】
なお、図１および図５に示されるように、第１裏面領域１６１と第２裏面領域１６２との全面が、互いに、接触してもよい。もしくは、第１裏面領域１６１と第２裏面領域１６２との一部が、互いに、接触してもよい。もしくは、第１裏面領域１６１と第２裏面領域１６２とは、互いに、接触していなくてもよい。このとき、第１裏面領域１６１と第２裏面領域１６２との間に、別の部材が配置されていてもよい。
【０１３４】
図６は、実施の形態１における電池１２００の概略構成を示す図である。
【０１３５】
図６（ａ）は、実施の形態１における電池１２００の概略構成を示すｘ−ｚ図（６Ａ断面図）である。
【０１３６】
図６（ｂ）は、実施の形態１における電池１２００の概略構成を示すｘ−ｙ図（６Ｂ断面図）である。
【０１３７】
実施の形態１における電池１２００は、上述の実施の形態１における電池１０００の構成に加えて、下記の構成をさらに備える。
【０１３８】
すなわち、実施の形態１における電池１２００は、第１接着部分３０１を、さらに備える。
【０１３９】
第１接着部分３０１は、第１裏面領域１６１と第２裏面領域１６２とを接着する部材である。
【０１４０】
第１接着部分３０１は、第１裏面領域１６１と第２裏面領域１６２との間に、配置される。
【０１４１】
以上の構成によれば、電池の構成部材の間の接合強度を、より高めることができる。すなわち、第１表面領域１５１に配置される第１対極層２３１と第２表面領域１５２に配置される第２電極層２２２との位置関係を、第１折曲部分１３１に加えて、第１接着部分３０１により、より強固に維持することができる。これにより、例えば、電池製造時または電池使用時における衝撃または振動などによって、電池を構成する各層（または、各素電池）が位置ずれまたは分離することを防止できる。これにより、電池の信頼性を向上させることができる。
【０１４２】
なお、第１接着部分３０１は、導電性接着材料を含んでもよい。
【０１４３】
以上の構成によれば、第１接着部分３０１に導電性を持たせることができる。すなわち、第１接着部分３０１において導電が可能となる。これにより、第１対極層２３１が配置される第１表面領域１５１と第２電極層２２２が配置される第２表面領域１５２とを、第１折曲部分１３１に加えて、第１接着部分３０１により、低抵抗に接続できる。すなわち、第１表面領域１５１と第２表面領域１５２との間の接触抵抗を、低減することができる。これにより、例えば、電池を大電流で動作させる場合でも、第１表面領域１５１と第２表面領域１５２との間の接触抵抗に起因する発熱などを生じ難くできる。
【０１４４】
なお、図６に示されるように、第１接着部分３０１は、第１裏面領域１６１と第２裏面領域１６２とが対向する領域の全体に、配置されてもよい。このとき、第１接着部分３０１は、一様に連続する膜状に形成されてもよい。
【０１４５】
もしくは、第１接着部分３０１は、第１裏面領域１６１と第２裏面領域１６２とが対向する領域の一部に、配置されてもよい。このとき、第１接着部分３０１は、複数の島状に分かれて形成されてもよい。このとき、複数の島状に分かれて形成された第１接着部分３０１が配置されていない位置においては、第１裏面領域１６１と第２裏面領域１６２とは、互いに、接触していてもよい。
【０１４６】
なお、第１接着部分３０１に含まれる接着材料としては、一般に公知の接着剤が用いられうる。例えば、接着材料としては、導電性接着材料である、シリコーン系軟質導電性接着剤（例えば、スリーボンド製のＴＢ３３０３ＧまたはＴＢ３３３３Ｃ、など）、銀入りエポキシ導電性接着剤（例えば、藤倉化成製のＸＡ−８７４またはＸＡ−９１０、など）、など、が用いられうる。
【０１４７】
図７は、実施の形態１における第２導電部分１１２の一例の概略構成を示す断面図である。
【０１４８】
図７に示される第２導電部分１１２は、第１表面領域１５１に、材料１１２ａを含む。
【０１４９】
また、図７に示される第２導電部分１１２は、第２表面領域１５２に、材料１１２ｂを含む。このとき、材料１１２ｂは、材料１１２ａとは異なる材料である。
【０１５０】
また、図７に示される第２導電部分１１２は、第１裏面領域１６１と第２裏面領域１６２と第１折曲部分１３１とを含む領域に、材料１１２ｃを含む。このとき、材料１１２ｃは、材料１１２ａおよび材料１１２ｂとは異なる材料である。
【０１５１】
図８は、実施の形態１における第２導電部分１１２の一例の概略構成を示す断面図である。
【０１５２】
図８に示される第２導電部分１１２は、第１表面領域１５１に、材料１１２ａを含む。
【０１５３】
また、図８に示される第２導電部分１１２は、第２表面領域１５２と第１裏面領域１６１と第２裏面領域１６２と第１折曲部分１３１とを含む領域に、材料１１２ｃを含む。このとき、材料１１２ｃは、材料１１２ａとは異なる材料である。
【０１５４】
図９は、実施の形態１における第２導電部分１１２の一例の概略構成を示す断面図である。
【０１５５】
図９に示される第２導電部分１１２は、第２表面領域１５２に、材料１１２ｂを含む。
【０１５６】
また、図９に示される第２導電部分１１２は、第１表面領域１５１と第１裏面領域１６１と第２裏面領域１６２と第１折曲部分１３１とを含む領域に、材料１１２ｃを含む。このとき、材料１１２ｃは、材料１１２ｂとは異なる材料である。
【０１５７】
図１０は、実施の形態１における第２導電部分１１２の一例の概略構成を示す断面図である。
【０１５８】
図１０に示される第２導電部分１１２は、第１裏面領域１６１と第２裏面領域１６２と第１折曲部分１３１の一部とを含む領域（例えば、折り曲げ構造の内側の領域）に、材料１１２ｃを含む。
【０１５９】
また、図１０に示される第２導電部分１１２は、第１表面領域１５１と第２表面領域１５２と第１折曲部分１３１の一部とを含む領域（例えば、折り曲げ構造の外側の領域）に、材料１１２ｄを含む。このとき、材料１１２ｄは、材料１１２ｃとは異なる材料である。
【０１６０】
なお、実施の形態１においては、第１表面領域１５１は、第１材料を含んでもよい。例えば、第１表面領域１５１は、第１材料からなるか、または、第１材料を主成分として含んでもよい。
【０１６１】
また、第２表面領域１５２は、第２材料を含んでもよい。例えば、第２表面領域１５２は、第２材料からなるか、または、第２材料を主成分として含んでもよい。
【０１６２】
このとき、図７から図９のいずれかに示される例のように、第２材料は、第１材料とは異なる材料であってもよい。
【０１６３】
以上の構成によれば、第１材料として第１対極層２３１との電気的な接続に適した材料を用いることができる。同時に、第２材料として第２電極層２２２との電気的な接続に適した材料を用いることができる。これらにより、第１折曲部分１３１により電池の構成部材の間の接合強度を高めながら、第１表面領域１５１と第１対極層２３１との電気的接続、および、第２表面領域１５２と第２電極層２２２との電気的接続を、より良好にできる。
【０１６４】
なお、図７に示される例においては、第１材料は材料１１２ａであり、第２材料は材料１１２ｂである。
【０１６５】
また、図８に示される例においては、第１材料は材料１１２ａであり、第２材料は材料１１２ｃである。
【０１６６】
また、図９に示される例においては、第１材料は材料１１２ｃであり、第２材料は材料１１２ｂである。
【０１６７】
なお、実施の形態１においては、図７から図１０のいずれかに示される例のように、第１裏面領域１６１と第２裏面領域１６２とは、第３材料を含んでもよい。例えば、第１裏面領域１６１と第２裏面領域１６２とは、第３材料からなるか、または、第３材料を主成分として含んでもよい。すなわち、第１裏面領域１６１と第２裏面領域１６２とは、同じ材料１１２ｃを含んでもよい。
【０１６８】
以上の構成によれば、第１折曲部分１３１により電池の構成部材の間の接合強度を高めながら、発電要素間の接続の信頼性を高めることができる。すなわち、第１裏面領域１６１を第２裏面領域１６２と同じ第３材料により構成することで、第１裏面領域１６１と第２裏面領域１６２との間における不具合の発生を、低減できる。より具体的には、例えば、第１裏面領域１６１と第２裏面領域１６２との間の微小な空隙領域に、環境ガス（例えば、第１発電要素２１１と第２発電要素２１２との積層体を内包する容器の中に、残存または侵入または発生するガス成分）が入り込んだ場合であっても、第１裏面領域１６１と第２裏面領域１６２とが同じ第３材料であることで、微小電位差またはイオン化率の違いなどが生じない。このため、例えば、長期使用時であっても、第１裏面領域１６１と第２裏面領域１６２との間に、腐食現象などの不具合は発生しない。
【０１６９】
なお、実施の形態１においては、図７と図８と図１０のいずれかに示される例のように、第１材料は、第３材料とは異なる材料であってもよい。
【０１７０】
以上の構成によれば、第１材料として第１対極層２３１との電気的な接続に適した材料を用いることができる。これにより、第１折曲部分１３１により電池の構成部材の間の接合強度を高めながら、かつ、第１表面領域１５１と第１対極層２３１との電気的接続を第１材料の利用により良好としながら、第１裏面領域１６１を第２裏面領域１６２と同じ第３材料により構成できる。
【０１７１】
また、第１表面領域１５１と第１裏面領域１６１とが１つの部材（すなわち、第１集電体１０１）として一体化（一体形成）されることで、第１表面領域１５１と第１裏面領域１６１との間には、微小な空隙領域が生じない（例えば、第１表面領域１５１と第１裏面領域１６１とは密着される）。このため、第１表面領域１５１と第１裏面領域１６１との間への環境ガスの侵入を防止できる。これにより、互いに構成する材料が異なる層間である第１表面領域１５１と第１裏面領域１６１との間においても、腐食現象などの不具合の発生を防止できる。
【０１７２】
なお、図７に示される例においては、第１材料は材料１１２ａであり、第３材料は材料１１２ｃである。
【０１７３】
また、図８に示される例においては、第１材料は材料１１２ａであり、第３材料は材料１１２ｃである。
【０１７４】
また、図１０に示される例においては、第１材料は材料１１２ｄであり、第３材料は材料１１２ｃである。
【０１７５】
なお、実施の形態１においては、図７と図９と図１０のいずれかに示される例のように、第２材料は、第３材料とは異なる材料であってもよい。
【０１７６】
以上の構成によれば、第２材料として第２電極層２２２との電気的な接続に適した材料を用いることができる。これにより、第１折曲部分１３１により電池の構成部材の間の接合強度を高めながら、かつ、第２表面領域１５２と第２電極層２２２との電気的接続を第２材料の利用により良好としながら、第１裏面領域１６１を第２裏面領域１６２と同じ第３材料により構成できる。
【０１７７】
また、第２表面領域１５２と第２裏面領域１６２とが１つの部材（すなわち、第１集電体１０１）として一体化（一体形成）されることで、第２表面領域１５２と第２裏面領域１６２との間には、微小な空隙領域が生じない（例えば、第２表面領域１５２と第２裏面領域１６２とは密着される）。このため、第２表面領域１５２と第２裏面領域１６２との間への環境ガスの侵入を防止できる。これにより、互いに構成する材料が異なる層間である第２表面領域１５２と第２裏面領域１６２との間においても、腐食現象などの不具合の発生を防止できる。
【０１７８】
なお、図７に示される例においては、第２材料は材料１１２ｂであり、第３材料は材料１１２ｃである。
【０１７９】
また、図９に示される例においては、第２材料は材料１１２ｂであり、第３材料は材料１１２ｃである。
【０１８０】
また、図１０に示される例においては、第２材料は材料１１２ｄであり、第３材料は材料１１２ｃである。
【０１８１】
なお、第１対極層２３１が正極活物質層である場合（すなわち、対極材料が正極活物質である場合）には、第１表面領域１５１に含まれる第１材料としては、ＳＵＳ（ステンレス鋼）、Ａｌ（アルミニウム）、など、が用いられうる。
【０１８２】
もしくは、第１対極層２３１が負極活物質層である場合（すなわち、対極材料が負極活物質である場合）には、第１表面領域１５１に含まれる第１材料としては、ＳＵＳ（ステンレス鋼）、Ｃｕ（銅）、など、が用いられうる。
【０１８３】
なお、第２電極層２２２が正極活物質層である場合（すなわち、電極材料が正極活物質である場合）には、第２表面領域１５２に含まれる第２材料としては、ＳＵＳ（ステンレス鋼）、Ａｌ（アルミニウム）、など、が用いられうる。
【０１８４】
もしくは、第２電極層２２２が負極活物質層である場合（すなわち、電極材料が負極活物質である場合）には、第２表面領域１５２に含まれる第２材料としては、ＳＵＳ（ステンレス鋼）、Ｃｕ（銅）、など、が用いられうる。
【０１８５】
また、第１裏面領域１６１と第２裏面領域１６２とに含まれる第３材料としては、Ａｌ（アルミニウム）、Ｃｕ（銅）、Ｐｔ（白金）、Ｎｉ（ニッケル）、および、これらを含む合金、など、が用いられうる。第３材料として、Ｐｔ、Ｎｉ、および、これらを含む合金を用いれば、耐食性を向上させることができる。もしくは、第３材料としては、発電要素の周囲に微量に存在する可能性のある環境ガス（例えば、Ｈ２Ｓガス）などに対して、化学的耐性の高い材料であってもよい。例えば、第３材料としては、タンタル、金、インコネル、および、これらを含む合金、など、であってもよい。
【０１８６】
なお、実施の形態１において、「所定の領域が、所定材料を、主成分として、含む」とは、例えば、「所定の領域が、所定材料を、当該所定の領域の全体に対して５０重量％以上、含む」ことを意味する。
【０１８７】
図１１は、実施の形態１における電池１３００の概略構成を示す断面図である。
【０１８８】
実施の形態１における電池１３００は、上述の実施の形態１における電池１０００の構成に加えて、下記の構成をさらに備える。
【０１８９】
すなわち、実施の形態１における電池１３００は、第３電極層２２３と、第３対極層２３３と、をさらに備える。
【０１９０】
第３対極層２３３は、第１電極層２２１および第２電極層２２２および第３電極層２２３の対極である。
【０１９１】
第１集電体１０１は、第３絶縁部分１２３と、第４導電部分１１４と、を有する。
【０１９２】
第３導電部分１１３は、第３端部領域１４３と、第３表面領域１５３と、第３裏面領域１６３と、第２折曲部分１３２と、第４表面領域１５４と、第４裏面領域１６４と、第４端部領域１４４と、を有する。
【０１９３】
第３表面領域１５３は、第３端部領域１４３と第２折曲部分１３２との間に位置する領域である。
【０１９４】
第３裏面領域１６３は、第３表面領域１５３の裏面に位置する領域である。
【０１９５】
第４表面領域１５４は、第４端部領域１４４と第２折曲部分１３２との間に位置する領域である。
【０１９６】
第４裏面領域１６４は、第４表面領域１５４の裏面に位置する領域である。
【０１９７】
第１集電体１０１が第２折曲部分１３２において折り曲げられている。これにより、第３裏面領域１６３と第４裏面領域１６４とは、互いに、対向して位置する。
【０１９８】
第２対極層２３２は、第３表面領域１５３に接して、配置される。
【０１９９】
第３電極層２２３は、第４表面領域１５４に接して、配置される。
【０２００】
第３対極層２３３は、第４導電部分１１４に接して、配置される。
【０２０１】
第２絶縁部分１２２は、第２端部領域１４２と第３端部領域１４３とを連結する部材である。
【０２０２】
第３絶縁部分１２３は、第４端部領域１４４と第４導電部分１１４とを連結する部材である。
【０２０３】
第１集電体１０１が第３絶縁部分１２３において折り曲げられている。これにより、第３電極層２２３と第３対極層２３３とは、互いに対向して、位置する。
【０２０４】
以上の構成によれば、電池の構成部材の間の接合強度を、より高めることができる。すなわち、第３絶縁部分１２３により互いに連結される第３導電部分１１３と第４導電部分１１４とに、それぞれ、第３電極層２２３と第３対極層２３３とを、配置することができる。これにより、第３導電部分１１３に配置される第３電極層２２３と第４導電部分１１４に配置される第３対極層２３３との位置関係を、第３絶縁部分１２３により（言い換えれば、１つの構成部材である第１集電体１０１により）、強固に維持することができる。これにより、例えば、電池製造時または電池使用時における衝撃または振動などによって、電池を構成する各層（または、各素電池）が位置ずれまたは分離することを防止できる。すなわち、電池を構成する各層（例えば、第３電極層２２３と第３対極層２３３）の接合の強度を、第１集電体１０１により、高めることができる。これにより、電池の信頼性を向上させることができる。
【０２０５】
また、以上の構成によれば、第３表面領域１５３および第４表面領域１５４（すなわち、第１集電体１０１の一部の領域であり、かつ、第２折曲部分１３２により連結している２つの領域）に、それぞれ、第２対極層２３２と第３電極層２２３とを、配置することができる。これにより、第３表面領域１５３に配置される第２対極層２３２と第４表面領域１５４に配置される第３電極層２２３との位置関係を、第２折曲部分１３２により（言い換えれば、１つの構成部材である第１集電体１０１により）、強固に維持することができる。したがって、例えば、第１集電体１０１を用いて積層型電池が構成される場合には、電池を構成する２つの電池セル（素電池）を、第１集電体１０１により、互いに、連結することができる。
【０２０６】
また、以上の構成によれば、第２対極層２３２が配置される第３表面領域１５３と第３電極層２２３が配置される第４表面領域１５４とを、第２折曲部分１３２により、低抵抗に接続できる。すなわち、第３表面領域１５３と第４表面領域１５４との間の抵抗を、低減することができる。これにより、例えば、電池を大電流で動作させる場合でも、第３裏面領域１６３と第４裏面領域１６４との接触抵抗に起因する発熱などを生じ難くできる。このため、例えば、第１集電体１０１として薄い集電体を用いても、性能低下が生じ難い。したがって、電池の軽量化を実現できる。
【０２０７】
また、以上の構成によれば、電池の側面のうち、第３絶縁部分１２３が位置する側面を、第３絶縁部分１２３により、覆うことができる。これにより、電池外部に存在しうる部材（例えば、別の電池、など）と、第３絶縁部分１２３が位置する電池の側面とが、互いに接触することを、第３絶縁部分１２３により、防ぐことができる。したがって、電池同士の接触による短絡を抑制できる。また、電池と電池外部に存在しうる部材との接触による電池の側面の部分的な破壊を抑制できる。また、電池の側面の一部が第３絶縁部分１２３により覆われることで、電池の構成部材（例えば、第３電極層２２３に含まれる電極材料、第３対極層２３３に含まれる対極材料、など）の一部が崩落した場合であっても、第３絶縁部分１２３により、当該崩落した構成部材が、電池内部の別の単電池セル部分または電池外部に移動することを抑制できる。したがって、電池の構成部材の崩落による、電池内部の短絡を抑制できる。これらにより、電池の信頼性を、より向上させることができる。
【０２０８】
なお、実施の形態１における電池１３００は、図１１に示されるように、第３固体電解質層２４３をさらに備えてもよい。
【０２０９】
第３固体電解質層２４３は、第３電極層２２３と第３対極層２３３の間に位置する。
【０２１０】
以上の構成によれば、第３電極層２２３と第３対極層２３３と第３固体電解質層２４３とにより、１つの固体電池セル（第３発電要素２１３）を構成することができる。これにより、第１集電体１０１を介して第１発電要素２１１と第２発電要素２１２と第３発電要素２１３とが直列接続されて成る積層型電池を構成することができる。このとき、第２発電要素２１２（すなわち、第２電極層２２２と第２対極層２３２と第２固体電解質層２４２）と第３発電要素２１３（すなわち、第３電極層２２３と第３対極層２３３と第３固体電解質層２４３）とを、第１集電体１０１により、強固に連結することができる。これにより、例えば、電池製造時または電池使用時における衝撃または振動などによって、電池を構成する各電池セル（第２発電要素２１２と第３発電要素２１３）が位置ずれまたは分離することを防止できる。すなわち、電池を構成する各電池セル（第２発電要素２１２と第３発電要素２１３）の接合の強度を、第１集電体１０１により、高めることができる。これにより、第２発電要素２１２と第３発電要素２１３との直列接続により電池電圧を高めながら、電池の信頼性を向上させることができる。
【０２１１】
なお、実施の形態１における電池１３００においては、第３固体電解質層２４３は、第３導電部分１１３と第４導電部分１１４とに接して、配置されてもよい。
【０２１２】
以上の構成によれば、電池の構成部材の間の接合強度を、より高めることができる。すなわち、第３固体電解質層２４３により、第３導電部分１１３と第４導電部分１１４との間の接合強度を高めることができる。これにより、第４導電部分１１４から第３対極層２３３が剥がれることを抑制できる。さらに、第３導電部分１１３から第３電極層２２３が剥がれることを抑制できる。このため、例えば、電池製造時または電池使用時における衝撃または振動などによって、第３発電要素２１３を構成する各層が位置ずれまたは分離することを防止できる。これにより、電池の信頼性を、より向上させることができる。
【０２１３】
なお、図１１に示されるように、第３電極層２２３と第３対極層２３３とは、それぞれ、第３導電部分１１３と第４導電部分１１４よりも狭い範囲に、形成されてもよい。
【０２１４】
また、図１１に示されるように、第３固体電解質層２４３は、第３電極層２２３と第３対極層２３３よりも大面積に、配置されてもよい。すなわち、第３固体電解質層２４３は、第３電極層２２３と第３対極層２３３とを覆う形で、配置されてもよい。これにより、第３電極層２２３と第３対極層２３３との直接接触による短絡を防止できる。
【０２１５】
また、図１１に示されるように、第３固体電解質層２４３は、第３導電部分１１３と第４導電部分１１４よりも狭い範囲に、配置されてもよい。もしくは、第３固体電解質層２４３の形成範囲は、第３導電部分１１３と第４導電部分１１４と同じ範囲であってもよい。
【０２１６】
第３絶縁部分１２３は、第３導電部分１１３と第４導電部分１１４とに連結される。すなわち、第３絶縁部分１２３の一端は、第３導電部分１１３の端部である第４端部領域１４４に接続（例えば、接合）される。さらに、第３絶縁部分１２３の別の一端は、第４導電部分１１４（例えば、第４導電部分１１４の端部）に接続（例えば、接合）される。
【０２１７】
なお、第３導電部分１１３と第４導電部分１１４のうちの少なくとも一方（例えば、両方）と第３絶縁部分１２３との接続方法は、第２導電部分１１２と第３導電部分１１３のうちの少なくとも一方（例えば、両方）と第２絶縁部分１２２との接続方法と、異なってもよいし、同じであってもよい。
【０２１８】
なお、図１１に示される通り、第３絶縁部分１２３が接続される第３導電部分１１３の第４端部領域１４４（すなわち、第３導電部分１１３が矩形である場合には、その矩形の一片）は、第２絶縁部分１２２が接続される第３導電部分１１３の第３端部領域１４３の向かいに位置する端部（第３端部領域１４３と平行する向きの端部）であってもよい。もしくは、第３絶縁部分１２３が接続される第３導電部分１１３の第４端部領域１４４（すなわち、第３導電部分１１３が矩形である場合には、その矩形の一片）は、第２絶縁部分１２２が接続される第３導電部分１１３の第３端部領域１４３の向かいに位置しない端部（第３端部領域１４３と直交する向きの端部）であってもよい。
【０２１９】
なお、第１電極層２２１と第２電極層２２２と第３電極層２２３は負極活物質層であってもよい。このとき、電極材料は負極活物質である。第１導電部分１１１は負極集電体である。第２導電部分１１２と第３導電部分１１３はバイポーラ集電体である。第１対極層２３１と第２対極層２３２と第３対極層２３３は正極活物質層である。対極材料は正極活物質である。第４導電部分１１４は正極集電体である。
【０２２０】
もしくは、第１電極層２２１と第２電極層２２２と第３電極層２２３は正極活物質層であってもよい。このとき、電極材料は正極活物質である。第１導電部分１１１は正極集電体である。第２導電部分１１２と第３導電部分１１３はバイポーラ集電体である。第１対極層２３１と第２対極層２３２と第３対極層２３３は負極活物質層である。対極材料は負極活物質である。第４導電部分１１４は負極集電体である。
【０２２１】
なお、第４導電部分１１４は、導電性を有する部材である。第１導電部分１１１と第２導電部分１１２と第３導電部分１１３と第４導電部分１１４の構成（例えば、厚み、面積、形状、含有材料、など）は、互いに、同じであってもよいし、異なっていてもよい。
【０２２２】
また、第３導電部分１１３には、第２導電部分１１２と同様に、第２接着部分が配置されてもよい。すなわち、第２接着部分は、第３裏面領域１６３と第４裏面領域１６４との間に、配置されてもよい。第２接着部分は、第３裏面領域１６３と第４裏面領域１６４とを接着する部材である。
【０２２３】
また、第３絶縁部分１２３は、絶縁性の材料（すなわち、導電性が無い材料、または、導電性が十分に低い材料）から構成される部材である。第１絶縁部分１２１と第２絶縁部分１２２と第３絶縁部分１２３の構成（例えば、厚み、面積、形状、含有材料、など）は、互いに、同じであってもよいし、異なっていてもよい。
【０２２４】
また、第３発電要素２１３は、例えば、充電および放電の特性を有する発電部（例えば、二次電池）である。例えば、第３発電要素２１３は、単電池セル、または、全固体電池であってもよい。第１発電要素２１１と第２発電要素２１２と第３発電要素２１３の構成（例えば、各層の厚み、形成面積、形状、含有材料、など）は、互いに、同じであってもよいし、異なっていてもよい。
【０２２５】
また、第３電極層２２３は、電極材料（例えば、活物質）を含む層である。第１電極層２２１と第２電極層２２２と第３電極層２２３の構成（例えば、厚み、形成面積、形状、含有材料、など）は、互いに、同じであってもよいし、異なっていてもよい。
【０２２６】
また、第３対極層２３３は、対極材料（例えば、活物質）を含む層である。対極材料は、電極材料の対極を構成する材料である。第１対極層２３１と第２対極層２３２と第３対極層２３３の構成（例えば、各層の厚み、形成面積、形状、含有材料、など）は、互いに、同じであってもよいし、異なっていてもよい。
【０２２７】
また、第３固体電解質層２４３は、固体電解質を含む固体電解質層である。第１固体電解質層２４１と第２固体電解質層２４２と第３固体電解質層２４３の構成（例えば、各層の厚み、形成面積、形状、含有材料、など）は、互いに、同じであってもよいし、異なっていてもよい。
【０２２８】
図１２は、実施の形態１における電池１４００の概略構成を示す断面図である。
【０２２９】
実施の形態１においては、図１２に示されるように、４つ以上の発電要素が積層されて、電池が構成されてもよい。
【０２３０】
図１２に示される電池１４００においては、第４導電部分１１４の上に、さらに４つ目以降の発電要素が積層される。複数の発電要素（単電池）が直列に接続されたバイポーラ電池であれば、例えば、高電圧を得ることができる。
【０２３１】
実施の形態１における電池を構成する発電要素の積層数は、例えば、２〜２００個であってもよい。発電要素の積層数を調整することで、電池の用途（電子機器、電気器具装置、電気車輌、定置蓄電池、など）に応じた出力の調整を実現できる。
【０２３２】
図１３は、実施の形態１における電池１５００の概略構成を示す断面図である。
【０２３３】
実施の形態１においては、図１３に示されるように、複数の絶縁部分は、互いに接合されるように、折り曲げ接合されてもよい。これにより、複数の絶縁部分を壁状に一体化することができる。このため、複数の発電要素が直列接続された構造を、より強固に保持することができる。
【０２３４】
なお、実施の形態１においては、発電要素の積層構造の側面の一部（または、全部）は、絶縁材料（例えば、封止材）で被覆されてもよい。これにより、直列接続された発電要素を封止することができる。このとき、封止材は、例えば、防湿性のラミネートシートであってもよい。これにより、発電要素が水分によって劣化することを、封止材によって、防止できる。また、発電要素の積層構造は、封止ケースに内包されてもよい。封止ケースとしては、一般に公知の電池用ケース（例えば、ラミネート袋、金属缶、樹脂ケース、など）が用いられうる。
【０２３５】
また、実施の形態１における電池は、一対の外部電極をさらに備えてもよい。一対の外部電極は、発電要素の積層構造の全体が封止材により封止される場合には、積層構造の上下面（または、側面）の外側に突出してもよい。外部電極の一方は、例えば、第１導電部分１１１に接続されてもよい。このとき、外部電極のもう一方は、例えば、第２導電部分１１２または第３導電部分１１３または第４導電部分１１４に接続されてもよい。これにより、一対の外部電極に接続される負荷への放電、および、一対の外部電極に接続される充電装置により電池（各発電要素）の充電が可能となる。
【０２３６】
また、本開示において、「所定の層と所定の別の層とが、互いに対向して、位置する」とは、例えば、「各層の積層方向から見た場合に、所定の層の主面の一部（または、主面の全領域）が、所定の別の層の主面の一部（または、主面の全領域）と重なるように、位置する」ことを意味する。
【０２３７】
また、本開示において、「所定の層と所定の別の層とが、互いに対向して、位置する構成」は、「互いに対向する所定の層の主面と所定の別の層と主面の間に、別の部材（例えば、別の材料からなる層）が配置されている構成」も、包含する。
【０２３８】
また、実施の形態１における電池の製造方法は、後述の実施の形態３として、説明される。
【０２３９】
（実施の形態２）
以下、実施の形態２が説明される。上述の実施の形態１と重複する説明は、適宜、省略される。
【０２４０】
図１４は、実施の形態２における電池２０００の概略構成を示す斜視図である。
【０２４１】
図１５は、実施の形態２における電池２０００の概略構成を示すｘ−ｚ図（１４Ａ断面図）である。
【０２４２】
図１６は、実施の形態２における電池２０００の概略構成を示すｙ−ｚ図（１４Ｂ断面図）である。
【０２４３】
実施の形態２における電池２０００は、上述の実施の形態１における電池１０００の構成に加えて、下記の構成をさらに備える。
【０２４４】
すなわち、実施の形態２における電池２０００は、第２集電体１０２と、第２対極層２３２と、第３電極層２２３と、第３対極層２３３と、を備える。
【０２４５】
第２対極層２３２と第３対極層２３３は、第１電極層２２１および第２電極層２２２および第３電極層２２３の対極である。
【０２４６】
第２集電体１０２は、第３導電部分１１３と、第２絶縁部分１２２と、第４導電部分１１４と、を有する。
【０２４７】
第３導電部分１１３は、第３端部領域１４３と、第３表面領域１５３と、第３裏面領域１６３と、第２折曲部分１３２と、第４表面領域１５４と、第４裏面領域１６４と、第４端部領域１４４と、を有する。
【０２４８】
第３表面領域１５３は、第３端部領域１４３と第２折曲部分１３２との間に位置する領域である。
【０２４９】
第３裏面領域１６３は、第３表面領域１５３の裏面に位置する領域である。
【０２５０】
第４表面領域１５４は、第４端部領域１４４と第２折曲部分１３２との間に位置する領域である。
【０２５１】
第４裏面領域１６４は、第４表面領域１５４の裏面に位置する領域である。
【０２５２】
第２集電体１０２が第２折曲部分１３２において折り曲げられている。これにより、第３裏面領域１６３と第４裏面領域１６４とは、互いに、対向して位置する。
【０２５３】
第３導電部分１１３は、第１導電部分１１１と第２導電部分１１２との間に、配置される。
【０２５４】
第２対極層２３２は、第３表面領域１５３に接して、第１電極層２２１と対向する位置に、配置される。
【０２５５】
第３電極層２２３は、第４表面領域１５４に接して、第１対極層２３１と対向する位置に、配置される。
【０２５６】
第３対極層２３３は、第４導電部分１１４に接して、配置される。
【０２５７】
第２絶縁部分１２２は、第４端部領域１４４と第４導電部分１１４とを連結する部材である。
【０２５８】
第２集電体１０２が第２絶縁部分１２２において折り曲げられている。これにより、第２電極層２２２と第３対極層２３３とは、互いに対向して、位置する。
【０２５９】
以上の構成によれば、電池の構成部材の間の接合強度を、より高めることができる。すなわち、第２絶縁部分１２２により互いに連結される第３導電部分１１３と第４導電部分１１４とに、それぞれ、第３電極層２２３と第３対極層２３３とを、配置することができる。さらに、第３表面領域１５３および第４表面領域１５４（すなわち、第２集電体１０２の一部の領域であり、かつ、第２折曲部分１３２により連結している２つの領域）に、それぞれ、第２対極層２３２と第３電極層２２３とを、配置することができる。これにより、それぞれの電極層と対極層とを、互いに、第１絶縁部分１２１と第２絶縁部分１２２および第１折曲部分１３１と第２折曲部分１３２とにより、強固に連結させることができる。このため、第１発電要素２１１（すなわち、第１電極層２２１と第２対極層２３２とを含む発電要素）と第２発電要素２１２（すなわち、第３電極層２２３と第１対極層２３１とを含む発電要素）と第３発電要素２１３（すなわち、第２電極層２２２と第３対極層２３３とを含む発電要素）とを強固に連結させながら、これらの発電要素が直列接続されてなる電池を実現できる。
【０２６０】
また、以上の構成によれば、電池の側面のうち、第２絶縁部分１２２が位置する側面（第１絶縁部分１２１が位置する側面とは異なる電池の側面）を、第２絶縁部分１２２により、覆うことができる。これにより、第１絶縁部分１２１と第２絶縁部分１２２とにより、より多くの電池側面を覆うことができる。このため、電池の信頼性を、より向上させることができる。
【０２６１】
なお、実施の形態２における電池２０００は、図１３〜図１５に示されるように、第１固体電解質層２４１と、第２固体電解質層２４２と、第３固体電解質層２４３と、をさらに備えてもよい。
【０２６２】
第１固体電解質層２４１は、第１電極層２２１と第２対極層２３２の間に位置する。
【０２６３】
以上の構成によれば、第１電極層２２１と第２対極層２３２と第１固体電解質層２４１とにより、１つの固体電池セル（第１発電要素２１１）を構成することができる。
【０２６４】
第２固体電解質層２４２は、第３電極層２２３と第１対極層２３１の間に位置する。
【０２６５】
以上の構成によれば、第３電極層２２３と第１対極層２３１と第２固体電解質層２４２とにより、１つの固体電池セル（第２発電要素２１２）を構成することができる。
【０２６６】
第３固体電解質層２４３は、第２電極層２２２と第３対極層２３３の間に位置する。
【０２６７】
以上の構成によれば、第２電極層２２２と第３対極層２３３と第３固体電解質層２４３とにより、１つの固体電池セル（第３発電要素２１３）を構成することができる。
【０２６８】
なお、図１３〜図１５に示されるように、第１電極層２２１と第２電極層２２２と第３電極層２２３と第１対極層２３１と第２対極層２３２と第３対極層２３３とは、それぞれ、第１導電部分１１１と第２導電部分１１２と第３導電部分１１３と第４導電部分１１４よりも狭い範囲に、形成されてもよい。
【０２６９】
また、図１３〜図１５に示されるように、第１固体電解質層２４１は、第１電極層２２１と第２対極層２３２よりも大面積に、配置されてもよい。すなわち、第１固体電解質層２４１は、第１電極層２２１と第２対極層２３２とを覆う形で、配置されてもよい。これにより、第１電極層２２１と第２対極層２３２との直接接触による短絡を防止できる。
【０２７０】
また、図１３〜図１５に示されるように、第２固体電解質層２４２は、第３電極層２２３と第１対極層２３１よりも大面積に、配置されてもよい。すなわち、第２固体電解質層２４２は、第３電極層２２３と第１対極層２３１とを覆う形で、配置されてもよい。これにより、第３電極層２２３と第１対極層２３１との直接接触による短絡を防止できる。
【０２７１】
また、図１３〜図１５に示されるように、第３固体電解質層２４３は、第２電極層２２２と第３対極層２３３よりも大面積に、配置されてもよい。すなわち、第３固体電解質層２４３は、第２電極層２２２と第３対極層２３３とを覆う形で、配置されてもよい。これにより、第２電極層２２２と第３対極層２３３との直接接触による短絡を防止できる。
【０２７２】
また、図１３〜図１５に示されるように、第１固体電解質層２４１と第２固体電解質層２４２と第３固体電解質層２４３は、第１導電部分１１１と第２導電部分１１２と第３導電部分１１３と第４導電部分１１４よりも狭い範囲に、配置されてもよい。もしくは、第１固体電解質層２４１と第２固体電解質層２４２と第３固体電解質層２４３の形成範囲は、第１導電部分１１１と第２導電部分１１２と第３導電部分１１３と第４導電部分１１４と同じ範囲であってもよい。
【０２７３】
第２絶縁部分１２２は、第３導電部分１１３と第４導電部分１１４とに連結される。すなわち、第２絶縁部分１２２の一端は、第３導電部分１１３の端部である第４端部領域１４４に接続（例えば、接合）される。さらに、第２絶縁部分１２２の別の一端は、第４導電部分１１４（例えば、第４導電部分１１４の端部）に接続（例えば、接合）される。
【０２７４】
なお、第３導電部分１１３と第４導電部分１１４のうちの少なくとも一方（例えば、両方）と第２絶縁部分１２２との接続方法は、第１導電部分１１１と第２導電部分１１２のうちの少なくとも一方（例えば、両方）と第１絶縁部分１２１との接続方法と、異なってもよいし、同じであってもよい。
【０２７５】
なお、図１３〜図１５に示される通り、第２絶縁部分１２２が位置する側面（すなわち、電池２０００の側面の内の１つ）は、第１絶縁部分１２１が位置する側面の向いに位置する側面であってもよい。もしくは、第２絶縁部分１２２が位置する側面は、第１絶縁部分１２１が位置する側面と隣接する側面であってもよい。
【０２７６】
なお、第１電極層２２１と第２電極層２２２と第３電極層２２３は負極活物質層であってもよい。このとき、電極材料は負極活物質である。第１導電部分１１１は負極集電体である。第２導電部分１１２と第３導電部分１１３はバイポーラ集電体である。第１対極層２３１と第２対極層２３２と第３対極層２３３は正極活物質層である。対極材料は正極活物質である。第４導電部分１１４は正極集電体である。
【０２７７】
もしくは、第１電極層２２１と第２電極層２２２と第３電極層２２３は正極活物質層であってもよい。このとき、電極材料は正極活物質である。第１導電部分１１１は正極集電体である。第２導電部分１１２と第３導電部分１１３はバイポーラ集電体である。第１対極層２３１と第２対極層２３２と第３対極層２３３は負極活物質層である。対極材料は負極活物質である。第４導電部分１１４は負極集電体である。
【０２７８】
図１７は、実施の形態２における電池２１００の概略構成を示す斜視図である。
【０２７９】
図１８は、実施の形態２における電池２１００の概略構成を示すｘ−ｚ図（１７Ａ断面図）である。
【０２８０】
図１９は、実施の形態２における電池２１００の概略構成を示すｙ−ｚ図（１７Ｂ断面図）である。
【０２８１】
実施の形態２における電池２１００は、上述の実施の形態２における電池２０００の構成に加えて、下記の構成をさらに備える。
【０２８２】
すなわち、実施の形態２における電池２１００は、第３集電体１０３と、第４電極層２２４と、第４対極層２３４と、第５電極層２２５と、第５対極層２３５と、を備える。
【０２８３】
第４対極層２３４と第５対極層２３５は、第１電極層２２１および第２電極層２２２および第３電極層２２３および第４電極層２２４および第５電極層２２５の対極である。
【０２８４】
第３集電体１０３は、第５導電部分１１５と、第３絶縁部分１２３と、第６導電部分１１６と、を有する。
【０２８５】
第５導電部分１１５は、第５端部領域１４５と、第５表面領域１５５と、第５裏面領域１６５と、第３折曲部分１３３と、第６表面領域１５６と、第６裏面領域１６６と、第６端部領域１４６と、を有する。
【０２８６】
第５表面領域１５５は、第５端部領域１４５と第３折曲部分１３３との間に位置する領域である。
【０２８７】
第５裏面領域１６５は、第５表面領域１５５の裏面に位置する領域である。
【０２８８】
第６表面領域１５６は、第６端部領域１４６と第３折曲部分１３３との間に位置する領域である。
【０２８９】
第６裏面領域１６６は、第６表面領域１５６の裏面に位置する領域である。
【０２９０】
第３集電体１０３が第３折曲部分１３３において折り曲げられている。これにより、第５裏面領域１６５と第６裏面領域１６６とは、互いに、対向して位置する。
【０２９１】
第５導電部分１１５は、第３導電部分１１３と第２導電部分１１２との間に、配置される。
【０２９２】
第４電極層２２４は、第４導電部分１１４に接して、配置される。
【０２９３】
第４対極層２３４は、第５表面領域１５５に接して、第３電極層２２３と対向する位置に、配置される。
【０２９４】
第５電極層２２５は、第６表面領域１５６に接して、第１対極層２３１と対向する位置に、配置される。
【０２９５】
第５対極層２３５は、第６導電部分１１６に接して、配置される。
【０２９６】
第３絶縁部分１２３は、第６端部領域１４６と第６導電部分１１６とを連結する部材である。
【０２９７】
第３集電体１０３が第３絶縁部分１２３において折り曲げられている。これにより、第４電極層２２４と第５対極層２３５とは、互いに対向して、位置する。
【０２９８】
以上の構成によれば、電池の構成部材の間の接合強度を、より高めることができる。すなわち、第３絶縁部分１２３により互いに連結される第５導電部分１１５と第６導電部分１１６とに、それぞれ、第５電極層２２５と第５対極層２３５とを、配置することができる。さらに、第５表面領域１５５および第６表面領域１５６（すなわち、第３集電体１０３の一部の領域であり、かつ、第３折曲部分１３３により連結している２つの領域）に、それぞれ、第４対極層２３４と第５電極層２２５とを、配置することができる。これにより、それぞれの電極層と対極層とを、互いに、第１絶縁部分１２１と第２絶縁部分１２２と第３絶縁部分１２３および第１折曲部分１３１と第２折曲部分１３２と第３折曲部分１３３とにより、強固に連結させることができる。このため、第１発電要素２１１（すなわち、第１電極層２２１と第２対極層２３２とを含む発電要素）と第２発電要素２１２（すなわち、第３電極層２２３と第４対極層２３４とを含む発電要素）と第３発電要素２１３（すなわち、第２電極層２２２と第３対極層２３３とを含む発電要素）と第４発電要素２１４（すなわち、第５電極層２２５と第１対極層２３１とを含む発電要素）と第５発電要素２１５（すなわち、第４電極層２２４と第５対極層２３５とを含む発電要素）とを強固に連結させながら、これらの発電要素が直列接続されてなる電池を実現できる。
【０２９９】
また、以上の構成によれば、電池の側面のうち、第３絶縁部分１２３が位置する側面（第１絶縁部分１２１と第２絶縁部分１２２とが位置する側面とは異なる電池の側面）を、第３絶縁部分１２３により、覆うことができる。これにより、第１絶縁部分１２１と第２絶縁部分１２２と第３絶縁部分１２３とにより、より多くの電池側面を覆うことができる。このため、電池の信頼性を、より向上させることができる。
【０３００】
なお、実施の形態２における電池２１００は、図１７〜図１９に示されるように、第４固体電解質層２４４と、第５固体電解質層２４５と、をさらに備えてもよい。
【０３０１】
第４固体電解質層２４４は、第５電極層２２５と第１対極層２３１の間に位置する。
【０３０２】
以上の構成によれば、第５電極層２２５と第１対極層２３１と第４固体電解質層２４４とにより、１つの固体電池セル（第４発電要素２１４）を構成することができる。
【０３０３】
第５固体電解質層２４５は、第４電極層２２４と第５対極層２３５の間に位置する。
【０３０４】
以上の構成によれば、第４電極層２２４と第５対極層２３５と第５固体電解質層２４５とにより、１つの固体電池セル（第５発電要素２１５）を構成することができる。
【０３０５】
なお、実施の形態２における電池２１００においては、第２固体電解質層２４２は、第３電極層２２３と第４対極層２３４の間に位置する。
【０３０６】
なお、図１７〜図１９に示されるように、第１電極層２２１と第２電極層２２２と第３電極層２２３と第４電極層２２４と第５電極層２２５と第１対極層２３１と第２対極層２３２と第３対極層２３３と第４対極層２３４と第５対極層２３５とは、それぞれ、第１導電部分１１１と第２導電部分１１２と第３導電部分１１３と第４導電部分１１４と第５導電部分１１５と第６導電部分１１６よりも狭い範囲に、形成されてもよい。
【０３０７】
また、図１７〜図１９に示されるように、第２固体電解質層２４２は、第３電極層２２３と第４対極層２３４よりも大面積に、配置されてもよい。すなわち、第２固体電解質層２４２は、第３電極層２２３と第４対極層２３４とを覆う形で、配置されてもよい。これにより、第３電極層２２３と第４対極層２３４との直接接触による短絡を防止できる。
【０３０８】
また、図１７〜図１９に示されるように、第４固体電解質層２４４は、第５電極層２２５と第１対極層２３１よりも大面積に、配置されてもよい。すなわち、第４固体電解質層２４４は、第５電極層２２５と第１対極層２３１とを覆う形で、配置されてもよい。これにより、第５電極層２２５と第１対極層２３１との直接接触による短絡を防止できる。
【０３０９】
また、図１７〜図１９に示されるように、第５固体電解質層２４５は、第４電極層２２４と第５対極層２３５よりも大面積に、配置されてもよい。すなわち、第５固体電解質層２４５は、第４電極層２２４と第５対極層２３５とを覆う形で、配置されてもよい。これにより、第４電極層２２４と第５対極層２３５との直接接触による短絡を防止できる。
【０３１０】
また、図１７〜図１９に示されるように、第１固体電解質層２４１と第２固体電解質層２４２と第３固体電解質層２４３と第４固体電解質層２４４と第５固体電解質層２４５は、第１導電部分１１１と第２導電部分１１２と第３導電部分１１３と第４導電部分１１４と第５導電部分１１５と第６導電部分１１６よりも狭い範囲に、配置されてもよい。もしくは、第１固体電解質層２４１と第２固体電解質層２４２と第３固体電解質層２４３と第４固体電解質層２４４と第５固体電解質層２４５の形成範囲は、第１導電部分１１１と第２導電部分１１２と第３導電部分１１３と第４導電部分１１４と第５導電部分１１５と第６導電部分１１６と同じ範囲であってもよい。
【０３１１】
第３絶縁部分１２３は、第５導電部分１１５と第６導電部分１１６とに連結される。すなわち、第３絶縁部分１２３の一端は、第５導電部分１１５の端部である第６端部領域１４６に接続（例えば、接合）される。さらに、第３絶縁部分１２３の別の一端は、第６導電部分１１６（例えば、第６導電部分１１６の端部）に接続（例えば、接合）される。
【０３１２】
なお、第５導電部分１１５と第６導電部分１１６のうちの少なくとも一方（例えば、両方）と第３絶縁部分１２３との接続方法は、第１導電部分１１１と第２導電部分１１２のうちの少なくとも一方（例えば、両方）と第１絶縁部分１２１との接続方法と、異なってもよいし、同じであってもよい。
【０３１３】
なお、第１電極層２２１と第２電極層２２２と第３電極層２２３と第４電極層２２４と第５電極層２２５は負極活物質層であってもよい。このとき、電極材料は負極活物質である。第１導電部分１１１は負極集電体である。第２導電部分１１２と第３導電部分１１３と第４導電部分１１４と第５導電部分１１５はバイポーラ集電体である。第１対極層２３１と第２対極層２３２と第３対極層２３３と第４対極層２３４と第５対極層２３５は正極活物質層である。対極材料は正極活物質である。第６導電部分１１６は正極集電体である。
【０３１４】
もしくは、第１電極層２２１と第２電極層２２２と第３電極層２２３と第４電極層２２４と第５電極層２２５は正極活物質層であってもよい。このとき、電極材料は正極活物質である。第１導電部分１１１は正極集電体である。第２導電部分１１２と第３導電部分１１３と第４導電部分１１４と第５導電部分１１５はバイポーラ集電体である。第１対極層２３１と第２対極層２３２と第３対極層２３３と第４対極層２３４と第５対極層２３５は負極活物質層である。対極材料は負極活物質である。第６導電部分１１６は負極集電体である。
【０３１５】
図２０は、実施の形態２における電池２２００の概略構成を示す斜視図である。
【０３１６】
図２１は、実施の形態２における電池２２００の概略構成を示すｘ−ｚ図（２０Ａ断面図）である。
【０３１７】
図２２は、実施の形態２における電池２２００の概略構成を示すｙ−ｚ図（２０Ｂ断面図）である。
【０３１８】
実施の形態２における電池２２００は、上述の実施の形態２における電池２１００の構成に加えて、下記の構成をさらに備える。
【０３１９】
すなわち、実施の形態２における電池２２００は、第４集電体１０４と、第６電極層２２６と、第６対極層２３６と、第７電極層２２７と、第７対極層２３７と、を備える。
【０３２０】
第６対極層２３６と第７対極層２３７は、第１電極層２２１および第２電極層２２２および第３電極層２２３および第４電極層２２４および第５電極層２２５および第６電極層２２６および第７電極層２２７の対極である。
【０３２１】
第４集電体１０４は、第７導電部分１１７と、第４絶縁部分１２４と、第８導電部分１１８と、を有する。
【０３２２】
第７導電部分１１７は、第７端部領域１４７と、第７表面領域１５７と、第７裏面領域１６７と、第４折曲部分１３４と、第８表面領域１５８と、第８裏面領域１６８と、第８端部領域１４８と、を有する。
【０３２３】
第７表面領域１５７は、第７端部領域１４７と第４折曲部分１３４との間に位置する領域である。
【０３２４】
第７裏面領域１６７は、第７表面領域１５７の裏面に位置する領域である。
【０３２５】
第８表面領域１５８は、第８端部領域１４８と第４折曲部分１３４との間に位置する領域である。
【０３２６】
第８裏面領域１６８は、第８表面領域１５８の裏面に位置する領域である。
【０３２７】
第４集電体１０４が第４折曲部分１３４において折り曲げられている。これにより、第７裏面領域１６７と第８裏面領域１６８とは、互いに、対向して位置する。
【０３２８】
第７導電部分１１７は、第５導電部分１１５と第２導電部分１１２との間に、配置される。
【０３２９】
第６電極層２２６は、第６導電部分１１６に接して、配置される。
【０３３０】
第６対極層２３６は、第７表面領域１５７に接して、第５電極層２２５と対向する位置に、配置される。
【０３３１】
第７電極層２２７は、第８表面領域１５８に接して、第１対極層２３１と対向する位置に、配置される。
【０３３２】
第７対極層２３７は、第８導電部分１１８に接して、配置される。
【０３３３】
第４絶縁部分１２４は、第８端部領域１４８と第８導電部分１１８とを連結する部材である。
【０３３４】
第４集電体１０４が第４絶縁部分１２４において折り曲げられている。これにより、第６電極層２２６と第７対極層２３７とは、互いに対向して、位置する。
【０３３５】
以上の構成によれば、電池の構成部材の間の接合強度を、より高めることができる。すなわち、第４絶縁部分１２４により互いに連結される第７導電部分１１７と第８導電部分１１８とに、それぞれ、第７電極層２２７と第７対極層２３７とを、配置することができる。さらに、第７表面領域１５７および第８表面領域１５８（すなわち、第４集電体１０４の一部の領域であり、かつ、第４折曲部分１３４により連結している２つの領域）に、それぞれ、第６対極層２３６と第７電極層２２７とを、配置することができる。これにより、それぞれの電極層と対極層とを、互いに、第１絶縁部分１２１と第２絶縁部分１２２と第３絶縁部分１２３と第４絶縁部分１２４および第１折曲部分１３１と第２折曲部分１３２と第３折曲部分１３３と第４折曲部分１３４とにより、強固に連結させることができる。このため、第１発電要素２１１（すなわち、第１電極層２２１と第２対極層２３２とを含む発電要素）と第２発電要素２１２（すなわち、第３電極層２２３と第４対極層２３４とを含む発電要素）と第３発電要素２１３（すなわち、第２電極層２２２と第３対極層２３３とを含む発電要素）と第４発電要素２１４（すなわち、第５電極層２２５と第６対極層２３６とを含む発電要素）と第５発電要素２１５（すなわち、第４電極層２２４と第３対極層２３３とを含む発電要素）と第６発電要素２１６（すなわち、第７電極層２２７と第１対極層２３１とを含む発電要素）と第７発電要素２１７（すなわち、第６電極層２２６と第７対極層２３７とを含む発電要素）とを強固に連結させながら、これらの発電要素が直列接続されてなる電池を実現できる。
【０３３６】
また、以上の構成によれば、電池の側面のうち、第４絶縁部分１２４が位置する側面（第１絶縁部分１２１と第２絶縁部分１２２と第３絶縁部分１２３とが位置する側面とは異なる電池の側面）を、第４絶縁部分１２４により、覆うことができる。これにより、第１絶縁部分１２１と第２絶縁部分１２２と第３絶縁部分１２３と第４絶縁部分１２４とにより、より多くの電池側面を覆うことができる。このため、電池の信頼性を、より向上させることができる。
【０３３７】
なお、実施の形態２における電池２２００は、図２０〜図２２に示されるように、第６固体電解質層２４６と、第７固体電解質層２４７と、をさらに備えてもよい。
【０３３８】
第６固体電解質層２４６は、第７電極層２２７と第１対極層２３１の間に位置する。
【０３３９】
以上の構成によれば、第７電極層２２７と第１対極層２３１と第６固体電解質層２４６とにより、１つの固体電池セル（第６発電要素２１６）を構成することができる。
【０３４０】
第７固体電解質層２４７は、第６電極層２２６と第７対極層２３７の間に位置する。
【０３４１】
以上の構成によれば、第６電極層２２６と第７対極層２３７と第７固体電解質層２４７とにより、１つの固体電池セル（第７発電要素２１７）を構成することができる。
【０３４２】
なお、実施の形態２における電池２２００においては、第４固体電解質層２４４は、第５電極層２２５と第６対極層２３６の間に位置する。
【０３４３】
なお、図２０〜図２２に示されるように、第１電極層２２１と第２電極層２２２と第３電極層２２３と第４電極層２２４と第５電極層２２５と第６電極層２２６と第７電極層２２７と第１対極層２３１と第２対極層２３２と第３対極層２３３と第４対極層２３４と第５対極層２３５と第６対極層２３６と第７対極層２３７とは、それぞれ、第１導電部分１１１と第２導電部分１１２と第３導電部分１１３と第４導電部分１１４と第５導電部分１１５と第６導電部分１１６と第７導電部分１１７と第８導電部分１１８よりも狭い範囲に、形成されてもよい。
【０３４４】
また、図２０〜図２２に示されるように、第４固体電解質層２４４は、第５電極層２２５と第６対極層２３６よりも大面積に、配置されてもよい。すなわち、第４固体電解質層２４４は、第５電極層２２５と第６対極層２３６とを覆う形で、配置されてもよい。これにより、第５電極層２２５と第６対極層２３６との直接接触による短絡を防止できる。
【０３４５】
また、図２０〜図２２に示されるように、第６固体電解質層２４６は、第７電極層２２７と第１対極層２３１よりも大面積に、配置されてもよい。すなわち、第６固体電解質層２４６は、第７電極層２２７と第１対極層２３１とを覆う形で、配置されてもよい。これにより、第７電極層２２７と第１対極層２３１との直接接触による短絡を防止できる。
【０３４６】
また、図２０〜図２２に示されるように、第７固体電解質層２４７は、第６電極層２２６と第７対極層２３７よりも大面積に、配置されてもよい。すなわち、第７固体電解質層２４７は、第６電極層２２６と第７対極層２３７とを覆う形で、配置されてもよい。これにより、第６電極層２２６と第７対極層２３７との直接接触による短絡を防止できる。
【０３４７】
また、図２０〜図２２に示されるように、第１固体電解質層２４１と第２固体電解質層２４２と第３固体電解質層２４３と第４固体電解質層２４４と第５固体電解質層２４５と第６固体電解質層２４６と第７固体電解質層２４７は、第１導電部分１１１と第２導電部分１１２と第３導電部分１１３と第４導電部分１１４と第５導電部分１１５と第６導電部分１１６と第７導電部分１１７と第８導電部分１１８よりも狭い範囲に、配置されてもよい。もしくは、第１固体電解質層２４１と第２固体電解質層２４２と第３固体電解質層２４３と第４固体電解質層２４４と第５固体電解質層２４５と第６固体電解質層２４６と第７固体電解質層２４７の形成範囲は、第１導電部分１１１と第２導電部分１１２と第３導電部分１１３と第４導電部分１１４と第５導電部分１１５と第６導電部分１１６と第７導電部分１１７と第８導電部分１１８と同じ範囲であってもよい。
【０３４８】
第４絶縁部分１２４は、第７導電部分１１７と第８導電部分１１８とに連結される。すなわち、第４絶縁部分１２４の一端は、第７導電部分１１７の端部である第８端部領域１４８に接続（例えば、接合）される。さらに、第４絶縁部分１２４の別の一端は、第８導電部分１１８（例えば、第８導電部分１１８の端部）に接続（例えば、接合）される。
【０３４９】
なお、第７導電部分１１７と第８導電部分１１８のうちの少なくとも一方（例えば、両方）と第４絶縁部分１２４との接続方法は、第１導電部分１１１と第２導電部分１１２のうちの少なくとも一方（例えば、両方）と第１絶縁部分１２１との接続方法と、異なってもよいし、同じであってもよい。
【０３５０】
なお、第１電極層２２１と第２電極層２２２と第３電極層２２３と第４電極層２２４と第５電極層２２５と第６電極層２２６と第７電極層２２７は負極活物質層であってもよい。このとき、電極材料は負極活物質である。第１導電部分１１１は負極集電体である。第２導電部分１１２と第３導電部分１１３と第４導電部分１１４と第５導電部分１１５と第６導電部分１１６と第７導電部分１１７はバイポーラ集電体である。第１対極層２３１と第２対極層２３２と第３対極層２３３と第４対極層２３４と第５対極層２３５と第６対極層２３６と第７対極層２３７は正極活物質層である。対極材料は正極活物質である。第８導電部分１１８は正極集電体である。
【０３５１】
もしくは、第１電極層２２１と第２電極層２２２と第３電極層２２３と第４電極層２２４と第５電極層２２５と第７電極層２２７は正極活物質層であってもよい。このとき、電極材料は正極活物質である。第１導電部分１１１は正極集電体である。第２導電部分１１２と第３導電部分１１３と第４導電部分１１４と第５導電部分１１５と第６導電部分１１６と第７導電部分１１７はバイポーラ集電体である。第１対極層２３１と第２対極層２３２と第３対極層２３３と第４対極層２３４と第５対極層２３５と第６対極層２３６と第７対極層２３７は負極活物質層である。対極材料は負極活物質である。第８導電部分１１８は負極集電体である。
【０３５２】
なお、第３導電部分１１３と第４導電部分１１４と第５導電部分１１５と第６導電部分１１６と第７導電部分１１７と第８導電部分１１８は、導電性を有する部材である。第１導電部分１１１と第２導電部分１１２と第３導電部分１１３と第４導電部分１１４と第５導電部分１１５と第６導電部分１１６と第７導電部分１１７と第８導電部分１１８の構成（例えば、厚み、面積、形状、含有材料、など）は、互いに、同じであってもよいし、異なっていてもよい。
【０３５３】
また、第３導電部分１１３には、第２導電部分１１２と同様の接着部分（すなわち、第２接着部分）が配置されてもよい。すなわち、第２接着部分は、第３裏面領域１６３と第４裏面領域１６４との間に、配置されてもよい。第２接着部分は、第３裏面領域１６３と第４裏面領域１６４とを接着する部材である。
【０３５４】
また、第５導電部分１１５には、第２導電部分１１２と同様の接着部分（すなわち、第３接着部分）が配置されてもよい。すなわち、第３接着部分は、第５裏面領域１６５と第６裏面領域１６６との間に、配置されてもよい。第３接着部分は、第５裏面領域１６５と第６裏面領域１６６とを接着する部材である。
【０３５５】
また、第７導電部分１１７には、第２導電部分１１２と同様の接着部分（すなわち、第４接着部分）が配置されてもよい。すなわち、第４接着部分は、第７裏面領域１６７と第８裏面領域１６８との間に、配置されてもよい。第４接着部分は、第７裏面領域１６７と第８裏面領域１６８とを接着する部材である。
【０３５６】
また、第２絶縁部分１２２と第３絶縁部分１２３と第４絶縁部分１２４は、絶縁性の材料（すなわち、導電性が無い材料、または、導電性が十分に低い材料）から構成される部材である。第１絶縁部分１２１と第２絶縁部分１２２と第３絶縁部分１２３と第４絶縁部分１２４の構成（例えば、厚み、面積、形状、含有材料、など）は、互いに、同じであってもよいし、異なっていてもよい。
【０３５７】
また、第３発電要素２１３と第４発電要素２１４と第５発電要素２１５と第６発電要素２１６と第７発電要素２１７は、例えば、充電および放電の特性を有する発電部（例えば、二次電池）である。例えば、第３発電要素２１３と第４発電要素２１４と第５発電要素２１５と第６発電要素２１６と第７発電要素２１７は、単電池セル、または、全固体電池であってもよい。第１発電要素２１１と第４発電要素２１４と第５発電要素２１５と第６発電要素２１６と第７発電要素２１７と第８発電要素の構成（例えば、各層の厚み、形成面積、形状、含有材料、など）は、互いに、同じであってもよいし、異なっていてもよい。
【０３５８】
また、第３電極層２２３と第４電極層２２４と第５電極層２２５と第７電極層２２７は、電極材料（例えば、活物質）を含む層である。第１電極層２２１と第２電極層２２２と第３電極層２２３と第４電極層２２４と第５電極層２２５と第７電極層２２７の構成（例えば、厚み、形成面積、形状、含有材料、など）は、互いに、同じであってもよいし、異なっていてもよい。
【０３５９】
また、第３対極層２３３と第４対極層２３４と第５対極層２３５と第６対極層２３６と第７対極層２３７は、対極材料（例えば、活物質）を含む層である。対極材料は、電極材料の対極を構成する材料である。第１対極層２３１と第２対極層２３２と第３対極層２３３と第４対極層２３４と第５対極層２３５と第６対極層２３６と第７対極層２３７の構成（例えば、各層の厚み、形成面積、形状、含有材料、など）は、互いに、同じであってもよいし、異なっていてもよい。
【０３６０】
また、第３固体電解質層２４３と第４固体電解質層２４４と第５固体電解質層２４５と第６固体電解質層２４６と第７固体電解質層２４７は、固体電解質を含む固体電解質層である。第１固体電解質層２４１と第２固体電解質層２４２と第３固体電解質層２４３と第４固体電解質層２４４と第５固体電解質層２４５と第６固体電解質層２４６と第７固体電解質層２４７の構成（例えば、各層の厚み、形成面積、形状、含有材料、など）は、互いに、同じであってもよいし、異なっていてもよい。
【０３６１】
図２３は、実施の形態２における電池２３００の概略構成を示すｘ−ｚ図（断面図）である。
【０３６２】
実施の形態２における電池２３００は、第１絶縁部分１２１が位置する側面（すなわち、電池２３００の側面の内の１つ）に、複数の絶縁部分を備える。さらに、当該複数の絶縁部分により互いに連結される複数の導電部分を備える。これらの複数の導電部分と複数の絶縁部分とは、第１導電部分１１１と第２導電部分１１２と第１絶縁部分１２１とともに、第１集電体１０１を構成する。
【０３６３】
また、実施の形態２における電池２３００は、第２絶縁部分１２２が位置する側面（すなわち、電池２３００の側面の内の１つ）に、複数の絶縁部分を備える。さらに、当該複数の絶縁部分により互いに連結される複数の導電部分を備える。これらの複数の導電部分と複数の絶縁部分とは、第３導電部分１１３と第４導電部分１１４と第２絶縁部分１２２とともに、第２集電体１０２を構成する。
【０３６４】
なお、実施の形態２においては、第３集電体１０３および第４集電体１０４も、複数の導電部分と複数の絶縁部分とを備える構成であってもよい。
【０３６５】
図２４は、実施の形態２における電池の概略構成を示す斜視図である。
【０３６６】
図２４（ａ）は、第１絶縁部分１２１が位置する側面における複数の絶縁部分が、互いに接合されるように、折り曲げ接合されている構成を示す。
【０３６７】
図２４（ｂ）は、さらに、第２絶縁部分１２２が位置する側面における複数の絶縁部分が、互いに接合されるように、折り曲げ接合されている構成を示す。
【０３６８】
図２４（ｃ）は、さらに、第３絶縁部分１２３が位置する側面における複数の絶縁部分が、互いに接合されるように、折り曲げ接合されている構成を示す。
【０３６９】
図２４（ｄ）は、さらに、第４絶縁部分１２４が位置する側面における複数の絶縁部分が、互いに接合されるように、折り曲げ接合されている構成を示す。
【０３７０】
以上のように、２個または３個または４個の電極ストリップ（集電体）を用いた場合においても、図２４に示すように、直列積層された電池の側面を、更に多方向から一体化した絶縁部の壁で覆うことができる。このため、より強固な直列積層電池を得ることができる。
【０３７１】
なお、実施の形態２における電池の製造方法は、後述の実施の形態３として、説明される。
【０３７２】
（実施の形態３）
以下、実施の形態３が説明される。上述の実施の形態１または２と重複する説明は、適宜、省略される。
【０３７３】
図２５は、実施の形態３における電池製造装置３０００の概略構成を示す図である。
【０３７４】
実施の形態３における電池製造装置３０００は、電極層形成部４１０と、対極層形成部４２０と、集電体折曲部４３０と、を備える。
【０３７５】
集電体折曲部４３０は、第１集電体１０１を折り曲げる。
【０３７６】
第１集電体１０１は、第１導電部分１１１と、第１絶縁部分１２１と、第２導電部分１１２と、を有する。
【０３７７】
第２導電部分１１２は、第１端部領域１４１と、第１表面領域１５１と、第１裏面領域１６１と、第１折曲領域１７１と、第２表面領域１５２と、第２裏面領域１６２と、第２端部領域１４２と、を有する。
【０３７８】
第１表面領域１５１は、第１端部領域１４１と第１折曲領域１７１との間に位置する領域である。
【０３７９】
第１裏面領域１６１は、第１表面領域１５１の裏面に位置する領域である。
【０３８０】
第２表面領域１５２は、第２端部領域１４２と第１折曲領域１７１との間に位置する領域である。
【０３８１】
第２裏面領域１６２は、第２表面領域１５２の裏面に位置する領域である。
【０３８２】
第１絶縁部分１２１は、第１導電部分１１１と第１端部領域１４１とを連結する部材である。
【０３８３】
電極層形成部４１０は、第１導電部分１１１に接して、第１電極層２２１を形成する。また、電極層形成部４１０は、第２表面領域１５２に接して、第２電極層２２２を形成する。
【０３８４】
対極層形成部４２０は、第１表面領域１５１に接して、第１電極層２２１の対極である第１対極層２３１を形成する。
【０３８５】
集電体折曲部４３０は、第１折曲領域１７１を折り曲げる。また、集電体折曲部４３０は、第１絶縁部分１２１を折り曲げる。
【０３８６】
図２６は、実施の形態３における電池製造方法の一例を示すフローチャートである。
【０３８７】
実施の形態３における電池製造方法は、実施の形態３における電池製造装置を用いた電池製造方法である。例えば、実施の形態３における電池製造方法は、実施の形態３における電池製造装置において実行される電池製造方法である。
【０３８８】
実施の形態３における電池製造方法は、第１電極層形成工程Ｓ１１１１（＝工程（ａ１１））と、第２電極層形成工程Ｓ１１１２（＝工程（ａ１２））と、第１対極層形成工程Ｓ１２１１（＝工程（ｂ１１））と、第１折曲領域折曲工程Ｓ１３１１（＝工程（ｃ１１））と、第１絶縁部分折曲工程Ｓ１４１１（＝工程（ｄ１１））と、を包含する。
【０３８９】
第１電極層形成工程Ｓ１１１１は、電極層形成部４１０により、第１導電部分１１１に接して、第１電極層２２１を形成する工程である。
【０３９０】
第２電極層形成工程Ｓ１１１２は、電極層形成部４１０により、第２表面領域１５２に接して、第２電極層２２２を形成する工程である。
【０３９１】
第１対極層形成工程Ｓ１２１１は、対極層形成部４２０により、第１表面領域１５１に接して、第１電極層２２１の対極である第１対極層２３１を形成する工程である。
【０３９２】
第１折曲領域折曲工程Ｓ１３１１は、集電体折曲部４３０により、第１折曲領域１７１を折り曲げる工程である。
【０３９３】
第１折曲領域折曲工程Ｓ１３１１において、集電体折曲部４３０により第１集電体１０１が第１折曲領域１７１において折り曲げられることで、第１裏面領域１６１と第２裏面領域１６２とは、互いに対向して、位置する。
【０３９４】
第１絶縁部分折曲工程Ｓ１４１１は、集電体折曲部４３０により、第１絶縁部分１２１を折り曲げる工程である。
【０３９５】
第１絶縁部分折曲工程Ｓ１４１１において、集電体折曲部４３０により第１集電体１０１が第１絶縁部分１２１において折り曲げられることで、第１電極層２２１と第１対極層２３１とは、互いに対向して、位置する。
【０３９６】
以上の構成によれば、電池の構成部材の間の接合強度を高めることができる。すなわち、第１絶縁部分１２１により互いに連結される第１導電部分１１１と第２導電部分１１２とに、それぞれ、第１電極層２２１と第１対極層２３１とを、形成することができる。これにより、第１導電部分１１１に配置される第１電極層２２１と第２導電部分１１２に配置される第１対極層２３１との位置関係を、第１絶縁部分１２１により（言い換えれば、１つの構成部材である第１集電体１０１により）、強固に維持することができる。また、第１表面領域１５１および第２表面領域１５２（すなわち、第１集電体１０１の一部の領域であり、かつ、第１折曲部分１３１により連結している２つの領域）に、それぞれ、第１対極層２３１と第２電極層２２２とを、形成することができる。これにより、第１表面領域１５１に配置される第１対極層２３１と第２表面領域１５２に配置される第２電極層２２２との位置関係を、第１折曲部分１３１により（言い換えれば、１つの構成部材である第１集電体１０１により）、強固に維持することができる。これらにより、例えば、電池製造時における衝撃または振動などによって、電池を構成する各層（または、各素電池）が位置ずれまたは分離することを防止できる。すなわち、電池を構成する各層（例えば、第１電極層２２１と第１対極層２３１）の接合の強度を、第１集電体１０１により、高めることができる。これにより、電池の信頼性を向上させることができる。
【０３９７】
また、以上の構成によれば、簡便な片面成膜のプロセスで、バイポーラ構造の電極を作製できる。すなわち、第１集電体１０１の片面（すなわち、第１表面領域１５１と第２表面領域１５２とが位置する集電体の表面）に第１対極層２３１と第２電極層２２２とを形成する工程と、第１折曲領域１７１を折り曲げる工程とにより、第１対極層２３１と第２電極層２２２との２極を備えるバイポーラ集電体を作製することができる。これにより、集電体の両面に成膜するプロセスを用いる場合と比較して、簡便かつ低コストに、バイポーラ構造の電極を作製できる。
【０３９８】
なお、第１集電体１０１の構成（例えば、材料、厚み、など）としては、上述の実施の形態１または２における第１集電体１０１として示された構成が、適宜、採用されうる。このとき、第１集電体１０１の一部は、上述の図７から図１０のいずれかに示す構成（材質）を有していてもよい。
【０３９９】
なお、図２６に示されるように、第１電極層形成工程Ｓ１１１１と第２電極層形成工程Ｓ１１１２と第１対極層形成工程Ｓ１２１１と第１折曲領域折曲工程Ｓ１３１１とを包含する工程は、第１集電体準備工程Ｓ１０１と表記される。第１集電体準備工程Ｓ１０１を構成する各工程の実行順序は、図２６に示される実行順序と同じであってもよいし、異なってもよい。
【０４００】
なお、第１折曲領域折曲工程Ｓ１３１１において、集電体折曲部４３０により第１集電体１０１が第１折曲領域１７１において折り曲げられることで、第１裏面領域１６１と第２裏面領域１６２とは、互いに、接触されてもよい。
【０４０１】
以上の構成によれば、簡便なプロセス（折曲工程）により、第１裏面領域１６１と第２裏面領域１６２とを接触させることができる。これにより、互いに接触する第１裏面領域１６１および第２裏面領域１６２の間における導電が可能となる。これにより、第１折曲領域１７１により電池の構成部材の間の接合強度を高めながら、第１折曲領域１７１において電子の移動が可能であるとともに、互いに接触する第１裏面領域１６１および第２裏面領域１６２の間においても、電子の移動が可能となる。
【０４０２】
図２７は、実施の形態３における電池製造装置３１００の概略構成を示す図である。
【０４０３】
実施の形態３における電池製造装置３１００は、上述の実施の形態３における電池製造装置３０００の構成に加えて、下記の構成をさらに備える。
【０４０４】
すなわち、実施の形態３における電池製造装置３１００は、接着部分形成部６００を備える。
【０４０５】
接着部分形成部６００は、第１裏面領域１６１と第２裏面領域１６２とを接着する第１接着部分３０１を形成する。
【０４０６】
図２８は、実施の形態３における電池製造方法の一例を示すフローチャートである。
【０４０７】
図２８に示される電池製造方法は、上述の図２６に示される電池製造方法の工程に加えて、下記の工程をさらに備える。
【０４０８】
すなわち、図２８に示される電池製造方法は、第１接着部分形成工程Ｓ１５１１（＝工程（ｅ１））を、さらに包含する。
【０４０９】
第１接着部分形成工程Ｓ１５１１は、第１裏面領域１６１と第２裏面領域１６２とのうちの少なくとも一方に接して、第１接着部分３０１を形成する工程である。
【０４１０】
以上の構成によれば、電池の構成部材の間の接合強度を、より高めることができる。すなわち、第１表面領域１５１に配置される第１対極層２３１と第２表面領域１５２に配置される第２電極層２２２との位置関係を、第１折曲領域１７１に加えて、第１接着部分３０１により、より強固に維持することができる。これにより、例えば、電池製造時または電池使用時における衝撃または振動などによって、電池を構成する各層（または、各素電池）が位置ずれまたは分離することを防止できる。これにより、電池の信頼性を向上させることができる。
【０４１１】
なお、図２８に示されるように、第１接着部分形成工程Ｓ１５１１は、第１折曲領域折曲工程Ｓ１３１１よりも、前に実行されてもよい。この場合、第１接着部分形成工程Ｓ１５１１が実行されることにより、接着部分形成部６００により、第１裏面領域１６１と第２裏面領域１６２とのうちの少なくとも一方に接して、第１接着部分３０１が形成される。接着部分形成部６００は、例えば、塗工材料（すなわち、第１接着部分３０１を構成する接着材料）を、第１裏面領域１６１と第２裏面領域１６２とのうちの少なくとも一方の上に、塗工してもよい。なお、第１接着部分形成工程Ｓ１５１１においては、接着部分形成部６００により、第１裏面領域１６１と第２裏面領域１６２との両方に接して、第１接着部分３０１が形成されてもよい。もしくは、接着部分形成部６００により、第１裏面領域１６１と第２裏面領域１６２とのうちの一方のみに接して、第１接着部分３０１が形成されてもよい。第１接着部分３０１が形成された第１集電体１０１を折り曲げることで、第１裏面領域１６１と第２裏面領域１６２との間に、第１接着部分３０１を配置することができる。
【０４１２】
もしくは、第１接着部分形成工程Ｓ１５１１は、第１折曲領域折曲工程Ｓ１３１１よりも、後に実行されてもよい。このとき、第１接着部分形成工程Ｓ１５１１は、接着部分形成部６００により、第１裏面領域１６１と第２裏面領域１６２との間の隙間に接着材料を注入することで、第１接着部分３０１を形成する工程であってもよい。
【０４１３】
なお、第１接着部分形成工程Ｓ１５１１において、接着部分形成部６００により、第１裏面領域１６１と第２裏面領域１６２とのうちの少なくとも一方に接して、第１接着部分３０１が非連続に（例えば、島状に）形成されてもよい。
【０４１４】
なお、図２８に示されるように、第１集電体準備工程Ｓ１０１は、第１接着部分形成工程Ｓ１５１１を包含してもよい。第１集電体準備工程Ｓ１０１を構成する各工程の実行順序は、図２８に示される実行順序と同じであってもよいし、異なってもよい。
【０４１５】
なお、第１集電体１０１は、第２絶縁部分１２２と、第３導電部分１１３と、を有してもよい。
【０４１６】
第２絶縁部分１２２は、第２端部領域１４２と第３導電部分１１３とを連結する部材である。
【０４１７】
また、対極層形成部４２０は、第３導電部分１１３に接して、第２電極層２２２の対極である第２対極層２３２を形成してもよい。
【０４１８】
また、集電体折曲部４３０は、第２絶縁部分１２２を折り曲げてもよい。
【０４１９】
図２９は、実施の形態３における電池製造方法の一例を示すフローチャートである。
【０４２０】
図２９に示される電池製造方法は、上述の図２６に示される電池製造方法の工程に加えて、下記の工程をさらに備える。
【０４２１】
すなわち、図２９に示される電池製造方法は、第２対極層形成工程Ｓ１２１２（＝工程（ｂ１２））と、第２絶縁部分折曲工程Ｓ１４１２（＝工程（ｄ１２））と、をさらに包含する。
【０４２２】
第２対極層形成工程Ｓ１２１２は、対極層形成部４２０により、第３導電部分１１３に接して、第２電極層２２２の対極である第２対極層２３２を形成する工程である。
【０４２３】
第２絶縁部分折曲工程Ｓ１４１２は、集電体折曲部４３０により、第２絶縁部分１２２を折り曲げる工程である。
【０４２４】
第２絶縁部分折曲工程Ｓ１４１２において、集電体折曲部４３０により第１集電体１０１が第２絶縁部分１２２において折り曲げられることで、第２電極層２２２と第２対極層２３２とは、互いに対向して、位置する。
【０４２５】
以上の構成によれば、電池の構成部材の間の接合強度を、より高めることができる。すなわち、第２絶縁部分１２２により互いに連結される第２導電部分１１２と第３導電部分１１３とに、それぞれ、第２電極層２２２と第２対極層２３２とを、形成することができる。これにより、第２導電部分１１２に配置される第２電極層２２２と第３導電部分１１３に配置される第２対極層２３２との位置関係を、第２絶縁部分１２２により（言い換えれば、１つの構成部材である第１集電体１０１により）、強固に維持することができる。これにより、例えば、電池製造時における衝撃または振動などによって、電池を構成する各層（または、各素電池）が位置ずれまたは分離することを防止できる。すなわち、電池を構成する各層（例えば、第２電極層２２２と第２対極層２３２）の接合の強度を、第１集電体１０１により、高めることができる。これにより、電池の信頼性を向上させることができる。
【０４２６】
また、以上の構成によれば、簡便な折り畳みプロセスで、バイポーラ構造の電極が積層された積層電池を作製できる。すなわち、バイポーラ構造の電極（すなわち、第１集電体１０１に各対極層と各電極層とを形成する工程により作製される電極）が付設された第１集電体１０１の第１絶縁部分１２１と第２絶縁部分１２２とを折り曲げる工程により、各発電要素が直列に積層された積層電池を作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０４２７】
なお、図２９に示されるように、第１集電体準備工程Ｓ１０１は、第２対極層形成工程Ｓ１２１２を包含してもよい。第１集電体準備工程Ｓ１０１を構成する各工程の実行順序は、図２９に示される実行順序と同じであってもよいし、異なってもよい。
【０４２８】
図３０は、実施の形態３における電池製造装置３２００の概略構成を示す図である。
【０４２９】
実施の形態３における電池製造装置３２００は、上述の実施の形態３における電池製造装置３０００の構成に加えて、下記の構成をさらに備える。
【０４３０】
すなわち、実施の形態３における電池製造装置３２００は、固体電解質層形成部４４０を備える。
【０４３１】
固体電解質層形成部４４０は、第１電極層２２１と第１対極層２３１とのうちの少なくとも一方の上に、第１固体電解質層２４１を形成する。また、固体電解質層形成部４４０は、第２電極層２２２と第２対極層２３２とのうちの少なくとも一方の上に、第２固体電解質層２４２を形成する。
【０４３２】
図３１は、実施の形態３における電池製造方法の一例を示すフローチャートである。
【０４３３】
図３１に示される電池製造方法は、上述の図２９に示される電池製造方法の工程に加えて、下記の工程をさらに備える。
【０４３４】
すなわち、図３１に示される電池製造方法は、第１固体電解質層形成工程Ｓ１６１１（＝工程（ｆ１１））と、第２固体電解質層形成工程Ｓ１６１２（＝工程（ｆ１２））と、をさらに包含する。
【０４３５】
第１固体電解質層形成工程Ｓ１６１１は、固体電解質層形成部４４０により、第１電極層２２１と第１対極層２３１とのうちの少なくとも一方の上に、第１固体電解質層２４１を形成する工程である。
【０４３６】
第２固体電解質層形成工程Ｓ１６１２は、固体電解質層形成部４４０により、第２電極層２２２と第２対極層２３２とのうちの少なくとも一方の上に、第２固体電解質層２４２を形成する工程である。
【０４３７】
以上の構成によれば、簡便な折り畳みプロセスで、固体電池セル（第１発電要素２１１と第２発電要素２１２）を作製できる。これにより、個別の各構成部材を多数積層するプロセスを用いる場合と比較して、各構成部材の位置ずれを抑制しながら、第１発電要素２１１と第２発電要素２１２を作製できる。
【０４３８】
以上の製造装置または製造方法によれば、実施の形態１における電池１０００を製造することができる。
【０４３９】
なお、図３１に示されるように、第１集電体準備工程Ｓ１０１は、第１固体電解質層形成工程Ｓ１６１１と第２固体電解質層形成工程Ｓ１６１２とを包含してもよい。第１集電体準備工程Ｓ１０１を構成する各工程の実行順序は、図３１に示される実行順序と同じであってもよいし、異なってもよい。
【０４４０】
以下に、実施の形態３における電池製造方法の具体的な一例が、説明される。
【０４４１】
図３２は、実施の形態３における第１集電体１０１の一例の概略構成を示す図である。
【０４４２】
図３２（ａ）は、実施の形態３における第１集電体１０１の一例の概略構成を示すｘ−ｚ図（３２Ａ断面図）である。
【０４４３】
図３２（ｂ）は、実施の形態３における第１集電体１０１の一例の概略構成を示すｘ−ｙ図（上面図）である。
【０４４４】
図３３は、第１電極層形成工程Ｓ１１１１と第２電極層形成工程Ｓ１１１２の一例を示す図である。
【０４４５】
第１電極層形成工程Ｓ１１１１と第２電極層形成工程Ｓ１１１２とが実行されることにより、第１集電体１０１の一方の主面（例えば、表面）に接して、第１電極層２２１と第２電極層２２２とが、それぞれ形成される。
【０４４６】
電極層形成部４１０は、例えば、塗工材料（すなわち、各電極層を構成する電極材料と溶媒とを共に練り込んだペースト状の塗料）を、予め準備された第１集電体１０１の主面に、塗工してもよい。その後、塗工材料は乾燥されてもよい。さらに、塗工材料は、乾燥後にプレスされてもよい。これにより、各電極層における材料の密度を高めることができる。
【０４４７】
なお、第１電極層形成工程Ｓ１１１１と第２電極層形成工程Ｓ１１１２の実行順序は、任意に決定されうる。
【０４４８】
以上のように、各電極層は、第１集電体１０１の主面上に、規則性を持って断続的に形成されてもよい。例えば、図３３に示すように、一定間隔で、矩形の領域に、各電極層が形成されてもよい。
【０４４９】
図３４は、第１対極層形成工程Ｓ１２１１と第２対極層形成工程Ｓ１２１２の一例を示す図である。
【０４５０】
第１対極層形成工程Ｓ１２１１と第２対極層形成工程Ｓ１２１２とが実行されることにより、第１集電体１０１の一方の主面（例えば、表面）に接して、第１対極層２３１と第２対極層２３２とが、それぞれ形成される。
【０４５１】
対極層形成部４２０は、例えば、塗工材料（すなわち、各対極層を構成する対極材料と溶媒とを共に練り込んだペースト状の塗料）を、予め準備された第１集電体１０１の主面に、塗工してもよい。その後、塗工材料は乾燥されてもよい。さらに、塗工材料は、乾燥後にプレスされてもよい。これにより、各対極層における材料の密度を高めることができる。
【０４５２】
なお、第１対極層形成工程Ｓ１２１１と第２対極層形成工程Ｓ１２１２の実行順序は、任意に決定されうる。
【０４５３】
以上のように、各対極層は、第１集電体１０１の主面上に、規則性を持って断続的に形成されてもよい。例えば、図３４に示すように、一定間隔で、矩形の領域に、各対極層が形成されてもよい。
【０４５４】
なお、第１対極層形成工程Ｓ１２１１と第２対極層形成工程Ｓ１２１２とは、第１電極層形成工程Ｓ１１１１と第２電極層形成工程Ｓ１１１２よりも、前に実行されてもよいし、後に実行されてもよい。
【０４５５】
図３５は、第１固体電解質層形成工程Ｓ１６１１と第２固体電解質層形成工程Ｓ１６１２の一例を示す図である。
【０４５６】
固体電解質層形成部４４０は、例えば、塗工材料（すなわち、各固体電解質層を構成する材料と溶媒とを共に練り込んだペースト状の塗料）を、各対極層と各電極層とのうちの少なくとも一方の上に、塗工してもよい。その後、塗工材料は乾燥されてもよい。さらに、塗工材料は、乾燥後にプレスされてもよい。これにより、各固体電解質層における材料の密度を高めることができる。
【０４５７】
なお、第１固体電解質層形成工程Ｓ１６１１においては、図３５に示されるように、第１固体電解質層２４１は、第１電極層２２１および第１対極層２３１よりも広い範囲に形成されてもよい。これにより、第１導電部分１１１と第２導電部分１１２とに接して、第１固体電解質層２４１を配置することができる。
【０４５８】
また、第２固体電解質層形成工程Ｓ１６１２においては、図３５に示されるように、第２固体電解質層２４２は、第２電極層２２２および第２対極層２３２よりも広い範囲に形成されてもよい。これにより、第２導電部分１１２と第３導電部分１１３とに接して、第２固体電解質層２４２を配置することができる。
【０４５９】
なお、第１固体電解質層形成工程Ｓ１６１１と第２固体電解質層形成工程Ｓ１６１２の実行順序は、任意に決定されうる。
【０４６０】
図３６は、第１折曲領域折曲工程Ｓ１３１１と第１絶縁部分折曲工程Ｓ１４１１と第２絶縁部分折曲工程Ｓ１４１２の一例を示すｘ−ｚ図（断面図）である。
【０４６１】
集電体折曲部４３０は、例えば、第１折曲用部材６１１と第２折曲用部材６１２と第３折曲用部材６１３（例えば、ロッド部材、ワイヤ部材、など）を備えてもよい。このとき、集電体折曲部４３０は、第１折曲領域１７１と第１絶縁部分１２１と第２絶縁部分１２２とに各折曲用部材を当てて、第１集電体１０１と折曲用部材とのうちの少なくとも一方を移動させることで、第１折曲領域１７１と第１絶縁部分１２１と第２絶縁部分１２２とを折り曲げてもよい。
【０４６２】
第１折曲領域折曲工程Ｓ１３１１において、第１折曲領域１７１が折り曲げられることで、上述の実施の形態１または２において示された第１折曲部分１３１が形成される。
【０４６３】
なお、第１折曲領域折曲工程Ｓ１３１１と第１絶縁部分折曲工程Ｓ１４１１と第２絶縁部分折曲工程Ｓ１４１２の実行順序は、任意に決定されうる。例えば、図３６に示されるように、第１折曲領域折曲工程Ｓ１３１１と第１絶縁部分折曲工程Ｓ１４１１と第２絶縁部分折曲工程Ｓ１４１２とは、同時に実行されてもよい。
【０４６４】
以上の実施の形態３における電池製造方法の具体的な一例によれば、上述の実施の形態１における電池１０００を作製することができる。
【０４６５】
なお、図３５に示されるように、各固体電解質層形成工程が実行されることにより、各固体電解質層が、各電極層および各対極層の両方の上に、形成されてもよい。この場合、各固体電解質層形成工程は、各電極層形成工程および各対極層形成工程よりも、後に実行される。
【０４６６】
図３７は、電極層と対極層と固体電解質層とが形成された第１集電体１０１の概略構成を示すｘ−ｚ図（断面図）である。
【０４６７】
図３７（ａ）に示されるように、各固体電解質層形成工程が実行されることにより、各固体電解質層は、各電極層の上にのみ、形成されてもよい。この場合、各固体電解質層形成工程は、各電極層形成工程よりも、後に実行される。
【０４６８】
もしくは、図３７（ｂ）に示されるように、各固体電解質層形成工程が実行されることにより、各固体電解質層は、各対極層の上にのみ、形成されてもよい。この場合、各固体電解質層形成工程は、各対極層形成工程よりも、後に実行される。
【０４６９】
もしくは、図３７（ｃ）に示されるように、各固体電解質層形成工程が実行されることにより、各固体電解質層は、各電極層および各対極層の両方の上とともに、第１折曲領域１７１および各導電部分および各絶縁部分の上にも、形成されてもよい。この場合、各固体電解質層形成工程は、各電極層形成工程および各対極層形成工程よりも、後に実行される。これにより、各固体電解質層を連続的に形成することができる。このため、各固体電解質層を形成する工程を、より簡便化できる。さらに、第１固体電解質層２４１と第２固体電解質層２４２とを構成する材料が同じである場合（すなわち、第１固体電解質層２４１と第２固体電解質層２４２となる塗工材料が同じである場合）には、第１固体電解質層形成工程Ｓ１６１１と第２固体電解質層形成工程Ｓ１６１２とは、連続的に、実行されうる。これにより、固体電解質層を形成する工程を、より簡便化できる。
【０４７０】
なお、図３７（ａ）および図３７（ｂ）に示されるように、各固体電解質層が不連続に形成される場合には、塗布する材料の量を低減できる。また、各絶縁部分の上に各固体電解質層を塗布しないことにより、各絶縁部分の折り曲げする際に、各固体電解質層に割れが発生し難くできる。
【０４７１】
なお、実施の形態３においては、第１固体電解質層形成工程Ｓ１６１１において固体電解質層形成部４４０により第１折曲領域１７１の一部の上に第１固体電解質層２４１が形成されるか、もしくは、第２固体電解質層形成工程Ｓ１６１２において固体電解質層形成部４４０により第１折曲領域１７１の一部の上に第２固体電解質層２４２が形成されてもよい。
【０４７２】
以上の構成によれば、固体電解質層（第１固体電解質層２４１と第２固体電解質層２４２とのうちの少なくとも一方）を形成する工程において、第１折曲領域１７１が露出することを防止する処理を実行できる。すなわち、簡便なプロセスにより、第１折曲領域１７１が露出することを防止できる。
【０４７３】
なお、図３７（ｃ）に示されるように、第１折曲領域１７１の一部の上に、第１固体電解質層２４１と第２固体電解質層２４２との両方が、形成されてもよい。
【０４７４】
以上の電池製造方法によれば、上述の実施の形態１における電池１１００を作製することができる。
【０４７５】
なお、第１集電体１０１は、第３絶縁部分１２３と、第４導電部分１１４と、を有してもよい。
【０４７６】
また、第３導電部分１１３は、第３端部領域１４３と、第３表面領域１５３と、第３裏面領域１６３と、第２折曲領域１７２と、第４表面領域１５４と、第４裏面領域１６４と、第４端部領域１４４と、を有してもよい。
【０４７７】
第３表面領域１５３は、第３端部領域１４３と第２折曲領域１７２との間に位置する領域である。
【０４７８】
第３裏面領域１６３は、第３表面領域１５３の裏面に位置する領域である。
【０４７９】
第４表面領域１５４は、第４端部領域１４４と第２折曲領域１７２との間に位置する領域である。
【０４８０】
第４裏面領域１６４は、第４表面領域１５４の裏面に位置する領域である。
【０４８１】
第２絶縁部分１２２は、第２端部領域１４２と第３端部領域１４３とを連結する部材である。
【０４８２】
第３絶縁部分１２３は、第４端部領域１４４と第４導電部分１１４とを連結する部材である。
【０４８３】
また、電極層形成部４１０は、第４表面領域１５４に接して、第３電極層２２３を形成してもよい。
【０４８４】
また、対極層形成部４２０は、第４導電部分１１４に接して、第３電極層２２３の対極である第３対極層２３３を形成してもよい。
【０４８５】
また、集電体折曲部４３０は、第２折曲領域１７２を折り曲げてもよい。また、集電体折曲部４３０は、第３絶縁部分１２３を折り曲げてもよい。
【０４８６】
図３８は、実施の形態３における電池製造方法の一例を示すフローチャートである。
【０４８７】
図３８に示される電池製造方法は、上述の図３１に示される電池製造方法の工程に加えて、下記の工程をさらに備える。
【０４８８】
すなわち、図３８に示される電池製造方法は、第３電極層形成工程Ｓ１１１３（＝工程（ａ１３））と、第３対極層形成工程Ｓ１２１３（＝工程（ｂ１３））と、第３固体電解質層形成工程Ｓ１６１３（＝工程（ｆ１３））と、第２折曲領域折曲工程Ｓ１３１２（＝工程（ｃ１２））と、第３絶縁部分折曲工程Ｓ１４１３（＝工程（ｄ１３））と、をさらに包含する。
【０４８９】
第３電極層形成工程Ｓ１１１３は、電極層形成部４１０により、第４表面領域１５４に接して、第３電極層２２３を形成する工程である。
【０４９０】
第３対極層形成工程Ｓ１２１３は、対極層形成部４２０により、第４導電部分１１４に接して、第３電極層２２３の対極である第３対極層２３３を形成する工程である。
【０４９１】
第２折曲領域折曲工程Ｓ１３１２は、集電体折曲部４３０により、第２折曲領域１７２を折り曲げる工程である。
【０４９２】
第２折曲領域折曲工程Ｓ１３１２において、集電体折曲部４３０により第１集電体１０１が第２折曲領域１７２において折り曲げられることで、第３裏面領域１６３と第４裏面領域１６４とは、互いに対向して、位置する。
【０４９３】
第３絶縁部分折曲工程Ｓ１４１３は、集電体折曲部４３０により、第３絶縁部分１２３を折り曲げる工程である。
【０４９４】
第３絶縁部分折曲工程Ｓ１４１３において、集電体折曲部４３０により第１集電体１０１が第３絶縁部分１２３において折り曲げられることで、第３電極層２２３と第３対極層２３３とは、互いに対向して、位置する。
【０４９５】
以上の構成によれば、電池の構成部材の間の接合強度を、より高めることができる。すなわち、第３絶縁部分１２３により互いに連結される第３導電部分１１３と第４導電部分１１４とに、それぞれ、第３電極層２２３と第３対極層２３３とを、形成することができる。これにより、第３導電部分１１３に配置される第３電極層２２３と第４導電部分１１４に配置される第３対極層２３３との位置関係を、第３絶縁部分１２３により（言い換えれば、１つの構成部材である第１集電体１０１により）、強固に維持することができる。また、第３表面領域１５３および第４表面領域１５４（すなわち、第１集電体１０１の一部の領域であり、かつ、第２折曲部分１３２により連結している２つの領域）に、それぞれ、第２対極層２３２と第３電極層２２３とを、形成することができる。これにより、第３表面領域１５３に配置される第２対極層２３２と第４表面領域１５４に配置される第３電極層２２３との位置関係を、第２折曲部分１３２により（言い換えれば、１つの構成部材である第１集電体１０１により）、強固に維持することができる。これらにより、例えば、電池製造時における衝撃または振動などによって、電池を構成する各層（または、各素電池）が位置ずれまたは分離することを防止できる。すなわち、電池を構成する各層（例えば、第３電極層２２３と第３対極層２３３）の接合の強度を、第１集電体１０１により、高めることができる。これにより、電池の信頼性を向上させることができる。
【０４９６】
また、以上の構成によれば、簡便な片面成膜のプロセスで、バイポーラ構造の電極を作製できる。すなわち、第１集電体１０１の片面（すなわち、第３表面領域１５３と第４表面領域１５４とが位置する集電体の表面）に第２対極層２３２と第３電極層２２３とを形成する工程と、第２折曲領域１７２を折り曲げる工程とにより、第２対極層２３２と第３電極層２２３との２極を備えるバイポーラ集電体を作製することができる。これにより、集電体の両面に成膜するプロセスを用いる場合と比較して、簡便かつ低コストに、バイポーラ構造の電極を作製できる。
【０４９７】
第２折曲領域折曲工程Ｓ１３１２において、第２折曲領域１７２が折り曲げられることで、上述の実施の形態１または２において示された第２折曲部分１３２が形成される。
【０４９８】
第３固体電解質層形成工程Ｓ１６１３は、固体電解質層形成部４４０により、第３電極層２２３と第３対極層２３３とのうちの少なくとも一方の上に、第３固体電解質層２４３を形成する工程である。
【０４９９】
以上の構成によれば、簡便な折り畳みプロセスで、それぞれの固体電池セル（それぞれの発電要素）を作製できる。これにより、個別の各構成部材を多数積層するプロセスを用いる場合と比較して、各構成部材の位置ずれを抑制しながら、複数の固体電池セルが直列に積層された積層電池を作製できる。
【０５００】
以上の製造装置または製造方法によれば、実施の形態１における電池１３００を製造することができる。
【０５０１】
なお、図３８に示されるように、第１集電体準備工程Ｓ１０１は、第３電極層形成工程Ｓ１１１３と第３対極層形成工程Ｓ１２１３と第３固体電解質層形成工程Ｓ１６１３と第２折曲領域折曲工程Ｓ１３１２とを包含してもよい。第１集電体準備工程Ｓ１０１を構成する各工程の実行順序は、図３８に示される実行順序と同じであってもよいし、異なってもよい。
【０５０２】
図３９は、実施の形態３における電池製造装置３３００の概略構成を示す図である。
【０５０３】
実施の形態３における電池製造装置３３００は、上述の実施の形態３における電池製造装置３２００の構成に加えて、下記の構成をさらに備える。
【０５０４】
すなわち、実施の形態３における電池製造装置３３００は、積層部７００を備える。
【０５０５】
積層部７００は、第１集電体１０１と第２集電体１０２とを積層する。
【０５０６】
第２集電体１０２は、第３導電部分１１３と、第２絶縁部分１２２と、第４導電部分１１４と、を有する。
【０５０７】
第３導電部分１１３は、第３端部領域１４３と、第３表面領域１５３と、第３裏面領域１６３と、第２折曲領域１７２と、第４表面領域１５４と、第４裏面領域１６４と、第４端部領域１４４と、を有する。
【０５０８】
第３表面領域１５３は、第３端部領域１４３と第２折曲領域１７２との間に位置する領域である。
【０５０９】
第３裏面領域１６３は、第３表面領域１５３の裏面に位置する領域である。
【０５１０】
第４表面領域１５４は、第４端部領域１４４と第２折曲領域１７２との間に位置する領域である。
【０５１１】
第４裏面領域１６４は、第４表面領域１５４の裏面に位置する領域である。
【０５１２】
第２絶縁部分１２２は、第４端部領域１４４と第４導電部分１１４とを連結する部材である。
【０５１３】
電極層形成部４１０は、第４表面領域１５４に接して、第３電極層２２３を形成してもよい。
【０５１４】
対極層形成部４２０は、第３表面領域１５３に接して、第３電極層２２３の対極である第２対極層２３２を形成してもよい。また、対極層形成部４２０は、第４導電部分１１４に接して、第３電極層２２３の対極である第３対極層２３３を形成してもよい。
【０５１５】
集電体折曲部４３０は、第２折曲領域１７２を折り曲げてもよい。また、集電体折曲部４３０は、第２絶縁部分１２２を折り曲げてもよい。
【０５１６】
積層部７００は、第１電極層２２１と第２対極層２３２とを互いに対向させて、第１集電体１０１と第２集電体１０２とを積層する。
【０５１７】
図４０は、実施の形態３における電池製造方法の一例を示すフローチャートである。
【０５１８】
図４０に示される電池製造方法は、上述の第１集電体準備工程Ｓ１０１と、第２集電体準備工程Ｓ１０２と、第１積層工程Ｓ１７０１（＝工程（ｓ１））と、第１絶縁部分折曲工程Ｓ１４１１（＝工程（ｄ１１））と、第２絶縁部分折曲工程Ｓ１４２２（＝工程（ｄ２２））と、を包含する。
【０５１９】
第２集電体準備工程Ｓ１０２は、第３電極層形成工程Ｓ１１２３（＝工程（ａ２３））と、第２対極層形成工程Ｓ１２２２（＝工程（ｂ２２））と、第３対極層形成工程Ｓ１２２３（＝工程（ｂ２３））と、第２折曲領域折曲工程Ｓ１３２２（＝工程（ｃ２２））と、を包含する。
【０５２０】
第３電極層形成工程Ｓ１１２３は、電極層形成部４１０により、第４表面領域１５４に接して、第３電極層２２３を形成する工程である。
【０５２１】
第２対極層形成工程Ｓ１２２２は、対極層形成部４２０により、第３表面領域１５３に接して、第３電極層２２３の対極である第２対極層２３２を形成する工程である。
【０５２２】
第３対極層形成工程Ｓ１２２３は、対極層形成部４２０により、第４導電部分１１４に接して、第３電極層２２３の対極である第３対極層２３３を形成する工程である。
【０５２３】
第２折曲領域折曲工程Ｓ１３２２は、集電体折曲部４３０により、第２折曲領域１７２を折り曲げる工程である。
【０５２４】
第２折曲領域折曲工程Ｓ１３２２において、集電体折曲部４３０により第２集電体１０２が第２折曲領域１７２において折り曲げられることで、第３裏面領域１６３と第４裏面領域１６４とは、互いに対向して、位置する。
【０５２５】
第２絶縁部分折曲工程Ｓ１４２２は、集電体折曲部４３０により、第２絶縁部分１２２を折り曲げる工程である。
【０５２６】
第２絶縁部分折曲工程Ｓ１４２２において、集電体折曲部４３０により第２集電体１０２が第２絶縁部分１２２において折り曲げられることで、第３電極層２２３と第３対極層２３３とは、互いに対向して、位置する。
【０５２７】
第１積層工程Ｓ１７０１は、積層部７００により、第１電極層２２１と第２対極層２３２とを互いに対向させて、第１集電体１０１と第２集電体１０２とを積層する工程である。
【０５２８】
以上の構成によれば、電池の構成部材の間の接合強度を、より高めることができる。すなわち、第２絶縁部分１２２により互いに連結される第３導電部分１１３と第４導電部分１１４とに、それぞれ、第３電極層２２３と第３対極層２３３とを、形成することができる。これにより、第３導電部分１１３に配置される第３電極層２２３と第４導電部分１１４に配置される第３対極層２３３との位置関係を、第２絶縁部分１２２により（言い換えれば、１つの構成部材である第２集電体１０２により）、強固に維持することができる。これにより、例えば、電池製造時における衝撃または振動などによって、電池を構成する各層（例えば、第３電極層２２３と第３対極層２３３）が位置ずれまたは分離することを防止できる。
【０５２９】
また、以上の構成によれば、簡便な折り畳みプロセスで、バイポーラ構造の電極が積層された積層電池を作製できる。すなわち、バイポーラ構造の電極が付設された第１集電体１０１の第１絶縁部分１２１と、バイポーラ構造の電極が付設された第２集電体１０２の第２絶縁部分１２２とを折り曲げる工程により、各発電要素が直列に積層された積層電池を作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０５３０】
第２折曲領域折曲工程Ｓ１３２２において、第２折曲領域１７２が折り曲げられることで、上述の実施の形態１または２において示された第２折曲部分１３２が形成される。
【０５３１】
なお、図４０に示されるように、第１絶縁部分折曲工程Ｓ１４１１は、第１積層工程Ｓ１７０１および第２折曲領域折曲工程Ｓ１３２２よりも後に、実行されてもよい。
【０５３２】
このとき、第１絶縁部分折曲工程Ｓ１４１１において、集電体折曲部４３０により第１集電体１０１が第１絶縁部分１２１において折り曲げられることで、第３電極層２２３と第１対極層２３１とは、互いに対向して、位置する。
【０５３３】
さらに、第２絶縁部分折曲工程Ｓ１４２２は、第１絶縁部分折曲工程Ｓ１４１１よりも後に、実行されてもよい。
【０５３４】
このとき、第２絶縁部分折曲工程Ｓ１４２２において、集電体折曲部４３０により第２集電体１０２が第２絶縁部分１２２において折り曲げられることで、第２電極層２２２と第３対極層２３３とは、互いに対向して、位置する。
【０５３５】
以上の構成によれば、簡便な折り畳みプロセスで、バイポーラ構造の電極が積層された積層電池を作製できる。すなわち、第１絶縁部分１２１と第２絶縁部分１２２とを順次折り曲げることにより、例えば、それぞれの折曲工程の間に、電極層または対極層または固体電解質層などを形成する工程を実行することができる。これにより、各構成部材の位置ずれを抑制しながら、簡便かつ低コストに、直列構造の積層電池を作製できる。
【０５３６】
図４１は、実施の形態３における電池製造方法の一例を示すフローチャートである。
【０５３７】
図４１に示される電池製造方法においては、第１積層工程Ｓ１７０１は、第１折曲領域折曲工程Ｓ１３１１および第２折曲領域折曲工程Ｓ１３２２および第１絶縁部分折曲工程Ｓ１４１１および第２絶縁部分折曲工程Ｓ１４２２よりも後に、実行される。
【０５３８】
このとき、第１積層工程Ｓ１７０１において、第３導電部分１１３が第１導電部分１１１と第２導電部分１１２との間に差し込まれ、かつ、第２導電部分１１２が第３導電部分１１３と第４導電部分１１４との間に差し込まれることで、第１集電体１０１と第２集電体１０２とが積層される。
【０５３９】
以上の構成によれば、簡便な折り畳みプロセスと積層プロセス（差し込みプロセス）により、バイポーラ構造の電極が積層された積層電池を作製できる。すなわち、長い電極ストリップを直交させて交互に折り畳む方法と比較して、差し込みプロセスを用いることで、プロセスタクトを短くできる。このため、プロセスタクトを短くするための高速の折り畳みが不要にできる。これにより、高速の折り畳み時の折り畳み位置ずれを抑制できる。また、折り畳み対象の電池部材の損傷を抑制できる。
【０５４０】
図４２は、実施の形態３における第１積層工程Ｓ１７０１の一例を示す図である。
【０５４１】
図４２に示されるように、２個の櫛形構造の電極ストリップ（第１集電体１０１および第２集電体１０２）を図４２に示される上下関係で、かつ、例えば、９０度または１８０度ずらした向きで、互いに差し込み、接合プレスしてもよい。差し込みのための各集電体の移動は、例えば、上述の折曲用部材（例えば、ロッド部材、ワイヤ部材、など）を用いて、実現されてもよい。それぞれ個別の部材である２個の電極ストリップを用いることにより、１つの電極ストリップあたりのバイポーラ電極の必要数を減らすことができる。これにより、製造プロセスをより容易にできる。また、積層電池の強度を向上できる。例えば、積層電池の側面からの機械的衝撃に対する強度を、より向上させることができる。
【０５４２】
なお、第２集電体準備工程Ｓ１０２は、第１集電体準備工程Ｓ１０１よりも後に実行されてもよい。もしくは、第２集電体準備工程Ｓ１０２は、第１集電体準備工程Ｓ１０１よりも前に実行されてもよい。もしくは、第１集電体準備工程Ｓ１０１と第２集電体準備工程Ｓ１０２とは、同時に実行されてもよい。
【０５４３】
第２集電体準備工程Ｓ１０２が包含する各工程の具体的な方法としては、上述の第１集電体準備工程Ｓ１０１が包含する各工程の具体的な方法として示された方法が、適宜、採用されうる。
【０５４４】
なお、図４０および図４１に示されるように、第２集電体準備工程Ｓ１０２は、第１固体電解質層形成工程Ｓ１６２１（＝工程（ｆ２１））と、第２固体電解質層形成工程Ｓ１６２２（＝工程（ｆ２２））と、第３固体電解質層形成工程Ｓ１６２３（＝工程（ｆ２３））と、をさらに包含してもよい。
【０５４５】
第１固体電解質層形成工程Ｓ１６２１は、固体電解質層形成部４４０により、第１電極層２２１と第２対極層２３２とのうちの少なくとも一方の上に、第１固体電解質層２４１を形成する工程である。
【０５４６】
第２固体電解質層形成工程Ｓ１６２２は、固体電解質層形成部４４０により、第３電極層２２３と第１対極層２３１とのうちの少なくとも一方の上に、第２固体電解質層２４２を形成する工程である。
【０５４７】
第３固体電解質層形成工程Ｓ１６２３は、固体電解質層形成部４４０により、第２電極層２２２と第３対極層２３３とのうちの少なくとも一方の上に、第３固体電解質層２４３を形成する工程である。
【０５４８】
以上の構成によれば、簡便な折り畳みプロセスで、それぞれの固体電池セル（それぞれの発電要素）を作製できる。これにより、個別の各構成部材を多数積層するプロセスを用いる場合と比較して、各構成部材の位置ずれを抑制しながら、複数の固体電池セルが直列に積層された積層電池を作製できる。
【０５４９】
各固体電解質層形成工程が第２集電体準備工程Ｓ１０２に包含される場合には、第２集電体１０２に形成される各電極層と各対極層の上に、各固体電解質層が形成される。
【０５５０】
なお、第１固体電解質層形成工程Ｓ１６２１と第２固体電解質層形成工程Ｓ１６２２と第３固体電解質層形成工程Ｓ１６２３とは、第１集電体準備工程Ｓ１０１に包含されてもよい。この場合には、第１集電体１０１に形成される各電極層と各対極層の上に、各固体電解質層が形成される。
【０５５１】
なお、各固体電解質層は、第１集電体１０１および第２集電体１０２に形成される各電極層と各対極層の上に、形成されてもよい。
【０５５２】
以上の図４０または図４１に示される製造方法によれば、実施の形態２における電池２０００を製造することができる。
【０５５３】
なお、積層部７００は、第１集電体１０１と第２集電体１０２と第３集電体１０３とを積層してもよい。
【０５５４】
第３集電体１０３は、第５導電部分１１５と、第３絶縁部分１２３と、第６導電部分１１６と、を有する。
【０５５５】
第５導電部分１１５は、第５端部領域１４５と、第５表面領域１５５と、第５裏面領域１６５と、第３折曲領域１７３と、第６表面領域１５６と、第６裏面領域１６６と、第６端部領域１４６と、を有する。
【０５５６】
第５表面領域１５５は、第５端部領域１４５と第３折曲領域１７３との間に位置する領域である。
【０５５７】
第５裏面領域１６５は、第５表面領域１５５の裏面に位置する領域である。
【０５５８】
第６表面領域１５６は、第６端部領域１４６と第３折曲領域１７３との間に位置する領域である。
【０５５９】
第６裏面領域１６６は、第６表面領域１５６の裏面に位置する領域である。
【０５６０】
第３絶縁部分１２３は、第６端部領域１４６と第６導電部分１１６とを連結する部材である。
【０５６１】
また、電極層形成部４１０は、第４導電部分１１４に接して、第４電極層２２４を形成してもよい。また、電極層形成部４１０は、第６表面領域１５６に接して、第５電極層２２５を形成してもよい。
【０５６２】
また、対極層形成部４２０は、第５表面領域１５５に接して、第５電極層２２５の対極である第４対極層２３４を形成してもよい。また、対極層形成部４２０は、第６導電部分１１６に接して、第５電極層２２５の対極である第５対極層２３５を形成してもよい。
【０５６３】
また、集電体折曲部４３０は、第３折曲領域１７３を折り曲げてもよい。また、集電体折曲部４３０は、第３絶縁部分１２３を折り曲げてもよい。
【０５６４】
また、積層部７００は、第３電極層２２３と第４対極層２３４とを互いに対向させて、第２集電体１０２と第３集電体１０３とを積層してもよい。
【０５６５】
図４３は、実施の形態３における電池製造方法の一例を示すフローチャートである。
【０５６６】
図４３に示される電池製造方法は、上述の図４０に示される電池製造方法の工程に加えて、下記の工程をさらに備える。
【０５６７】
すなわち、図４３に示される電池製造方法は、第４電極層形成工程Ｓ１１２４（＝工程（ａ２４））と、第３集電体準備工程Ｓ１０３と、第２積層工程Ｓ１７０２（＝工程（ｓ２））と、第３絶縁部分折曲工程Ｓ１４２３（＝工程（ｄ２３））と、をさらに包含する。
【０５６８】
第３集電体準備工程Ｓ１０３は、第５電極層形成工程Ｓ１１２５（＝工程（ａ２５））と、第４対極層形成工程Ｓ１２２４（＝工程（ｂ２４））と、第５対極層形成工程Ｓ１２２５（＝工程（ｂ２５））と、第３折曲領域折曲工程Ｓ１３２３（＝工程（ｃ２３））と、を包含する。
【０５６９】
第４電極層形成工程Ｓ１１２４は、電極層形成部４１０により、第４導電部分１１４に接して、第４電極層２２４を形成する工程である。
【０５７０】
第５電極層形成工程Ｓ１１２５は、電極層形成部４１０により、第６表面領域１５６に接して、第５電極層２２５を形成する工程である。
【０５７１】
第４対極層形成工程Ｓ１２２４は、対極層形成部４２０により、第５表面領域１５５に接して、第５電極層２２５の対極である第４対極層２３４を形成する工程である。
【０５７２】
第５対極層形成工程Ｓ１２２５は、対極層形成部４２０により、第６導電部分１１６に接して、第５電極層２２５の対極である第５対極層２３５を形成する工程である。
【０５７３】
第３折曲領域折曲工程Ｓ１３２３は、集電体折曲部４３０により、第３折曲領域１７３を折り曲げる工程である。
【０５７４】
第３折曲領域折曲工程Ｓ１３２３において、集電体折曲部４３０により第３集電体１０３が第３折曲領域１７３において折り曲げられることで、第５裏面領域１６５と第６裏面領域１６６とは、互いに対向して、位置する。
【０５７５】
第３絶縁部分折曲工程Ｓ１４２３は、集電体折曲部４３０により、第３絶縁部分１２３を折り曲げる工程である。
【０５７６】
第３絶縁部分折曲工程Ｓ１４２３において、集電体折曲部４３０により第３集電体１０３が第３絶縁部分１２３において折り曲げられることで、第５電極層２２５と第５対極層２３５とは、互いに対向して、位置する。
【０５７７】
第２積層工程Ｓ１７０２は、積層部７００により、第３電極層２２３と第４対極層２３４とを互いに対向させて、第２集電体１０２と第３集電体１０３とを積層する工程である。
【０５７８】
以上の構成によれば、電池の構成部材の間の接合強度を、より高めることができる。すなわち、第３絶縁部分１２３により互いに連結される第５導電部分１１５と第６導電部分１１６とに、それぞれ、第５電極層２２５と第５対極層２３５とを、形成することができる。これにより、第５導電部分１１５に配置される第５電極層２２５と第６導電部分１１６に配置される第５対極層２３５との位置関係を、第３絶縁部分１２３により（言い換えれば、１つの構成部材である第３集電体１０３により）、強固に維持することができる。これにより、例えば、電池製造時における衝撃または振動などによって、電池を構成する各層（例えば、第５電極層２２５と第５対極層２３５）が位置ずれまたは分離することを防止できる。
【０５７９】
また、以上の構成によれば、簡便な折り畳みプロセスで、バイポーラ構造の電極が積層された積層電池を作製できる。すなわち、バイポーラ構造の電極が付設された第１集電体１０１の第１絶縁部分１２１と、バイポーラ構造の電極が付設された第２集電体１０２の第２絶縁部分１２２と、バイポーラ構造の電極が付設された第３集電体１０３の第３絶縁部分１２３とを折り曲げる工程により、各発電要素が直列に積層された積層電池を作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０５８０】
第３折曲領域折曲工程Ｓ１３２３において、第３折曲領域１７３が折り曲げられることで、上述の実施の形態１または２において示された第３折曲部分１３３が形成される。
【０５８１】
なお、図４３に示されるように、第１絶縁部分折曲工程Ｓ１４１１は、第１積層工程Ｓ１７０１および第２積層工程Ｓ１７０２および第２折曲領域折曲工程Ｓ１３２２および第３折曲領域折曲工程Ｓ１３２３よりも後に、実行されてもよい。
【０５８２】
このとき、第１絶縁部分折曲工程Ｓ１４１１において、集電体折曲部４３０により第１集電体１０１が第１絶縁部分１２１において折り曲げられることで、第５電極層２２５と第１対極層２３１とは、互いに対向して、位置する。
【０５８３】
さらに、第２絶縁部分折曲工程Ｓ１４２２は、第１絶縁部分折曲工程Ｓ１４１１よりも後に、実行されてもよい。
【０５８４】
このとき、第２絶縁部分折曲工程Ｓ１４２２において、集電体折曲部４３０により第２集電体１０２が第２絶縁部分１２２において折り曲げられることで、第２電極層２２２と第３対極層２３３とは、互いに対向して、位置する。
【０５８５】
さらに、第３絶縁部分折曲工程Ｓ１４２３は、第２絶縁部分折曲工程Ｓ１４２２よりも後に、実行されてもよい。
【０５８６】
このとき、第３絶縁部分折曲工程Ｓ１４２３において、集電体折曲部４３０により第３集電体１０３が第３絶縁部分１２３において折り曲げられることで、第４電極層２２４と第５対極層２３５とは、互いに対向して、位置する。
【０５８７】
以上の構成によれば、簡便な折り畳みプロセスで、バイポーラ構造の電極が積層された積層電池を作製できる。すなわち、第１絶縁部分１２１と第２絶縁部分１２２と第３絶縁部分１２３とを順次折り曲げることにより、例えば、それぞれの折曲工程の間に、電極層または対極層または固体電解質層などを形成する工程を実行することができる。これにより、各構成部材の位置ずれを抑制しながら、簡便かつ低コストに、直列構造の積層電池を作製できる。
【０５８８】
図４４は、実施の形態３における電池製造方法の一例を示すフローチャートである。
【０５８９】
図４４に示される電池製造方法においては、第１積層工程Ｓ１７０１は、第１折曲領域折曲工程Ｓ１３１１および第２折曲領域折曲工程Ｓ１３２２および第１絶縁部分折曲工程Ｓ１４１１および第２絶縁部分折曲工程Ｓ１４２２よりも後に、実行される。
【０５９０】
このとき、第１積層工程Ｓ１７０１において、第３導電部分１１３が第１導電部分１１１と第２導電部分１１２との間に差し込まれ、かつ、第２導電部分１１２が第３導電部分１１３と第４導電部分１１４との間に差し込まれることで、第１集電体１０１と第２集電体１０２とが積層される。
【０５９１】
さらに、図４４に示される電池製造方法においては、第２積層工程Ｓ１７０２は、第１積層工程Ｓ１７０１および第３折曲領域折曲工程Ｓ１３２３および第３絶縁部分折曲工程Ｓ１４２３よりも後に、実行される。
【０５９２】
このとき、第２積層工程Ｓ１７０２において、第５導電部分１１５が第３導電部分１１３と第２導電部分１１２との間に差し込まれ、かつ、第２導電部分１１２および第４導電部分１１４が第５導電部分１１５と第６導電部分１１６との間に差し込まれることで、第２集電体１０２と第３集電体１０３とが積層される。
【０５９３】
以上の構成によれば、簡便な折り畳みプロセスと積層プロセス（差し込みプロセス）により、バイポーラ構造の電極が積層された積層電池を作製できる。すなわち、長い電極ストリップを直交させて交互に折り畳む方法と比較して、差し込みプロセスを用いることで、プロセスタクトを短くできる。このため、プロセスタクトを短くするための高速の折り畳みが不要にできる。これにより、高速の折り畳み時の折り畳み位置ずれを抑制できる。また、折り畳み対象の電池部材の損傷を抑制できる。
【０５９４】
図４５は、実施の形態３における第１積層工程Ｓ１７０１および第２積層工程Ｓ１７０２の一例を示す図である。
【０５９５】
図４５に示されるように、３個の櫛形構造の電極ストリップ（第１集電体１０１および第２集電体１０２および第３集電体１０３）を図４５に示される上下関係で、かつ、例えば、互いに９０度ずらした向きで、互いに差し込み、接合プレスしてもよい。差し込みのための各集電体の移動は、例えば、上述の折曲用部材（例えば、ロッド部材、ワイヤ部材、など）を用いて、実現されてもよい。それぞれ個別の部材である３個の電極ストリップを用いることにより、１つの電極ストリップあたりのバイポーラ電極の必要数を減らすことができる。これにより、製造プロセスをより容易にできる。また、積層電池の強度を向上できる。例えば、積層電池の側面からの機械的衝撃に対する強度を、より向上させることができる。
【０５９６】
なお、第３集電体準備工程Ｓ１０３は、第１集電体準備工程Ｓ１０１および第２集電体準備工程Ｓ１０２よりも後に実行されてもよい。もしくは、第３集電体準備工程Ｓ１０３は、第１集電体準備工程Ｓ１０１および第２集電体準備工程Ｓ１０２よりも前に実行されてもよい。もしくは、第１集電体準備工程Ｓ１０１と第２集電体準備工程Ｓ１０２と第３集電体準備工程Ｓ１０３とは、同時に実行されてもよい。
【０５９７】
第３集電体準備工程Ｓ１０３が包含する各工程の具体的な方法としては、上述の第１集電体準備工程Ｓ１０１が包含する各工程の具体的な方法として示された方法が、適宜、採用されうる。
【０５９８】
なお、図４３および図４４に示されるように、第３集電体準備工程Ｓ１０３は、第４固体電解質層形成工程Ｓ１６２４（＝工程（ｆ２４））と、第５固体電解質層形成工程Ｓ１６２５（＝工程（ｆ２５））と、をさらに包含してもよい。
【０５９９】
第４固体電解質層形成工程Ｓ１６２４は、固体電解質層形成部４４０により、第５電極層２２５と第１対極層２３１とのうちの少なくとも一方の上に、第４固体電解質層２４４を形成する工程である。
【０６００】
第５固体電解質層形成工程Ｓ１６２５は、固体電解質層形成部４４０により、第４電極層２２４と第５対極層２３５とのうちの少なくとも一方の上に、第５固体電解質層２４５を形成する工程である。
【０６０１】
以上の構成によれば、簡便な折り畳みプロセスで、それぞれの固体電池セル（それぞれの発電要素）を作製できる。これにより、個別の各構成部材を多数積層するプロセスを用いる場合と比較して、各構成部材の位置ずれを抑制しながら、複数の固体電池セルが直列に積層された積層電池を作製できる。
【０６０２】
各固体電解質層形成工程が第３集電体準備工程Ｓ１０３に包含される場合には、第３集電体１０３に形成される各電極層と各対極層の上に、各固体電解質層が形成される。
【０６０３】
なお、第４固体電解質層形成工程Ｓ１６２４は、第１集電体準備工程Ｓ１０１に包含されてもよい。この場合には、第１集電体１０１に形成される第１対極層２３１の上に、第４固体電解質層２４４が形成される。
【０６０４】
また、第５固体電解質層形成工程Ｓ１６２５は、第２集電体準備工程Ｓ１０２に包含されてもよい。この場合には、第２集電体１０２に形成される第４電極層２２４の上に、第５固体電解質層２４５が形成される。
【０６０５】
なお、各固体電解質層は、第１集電体１０１および第２集電体１０２および第３集電体１０３に形成される各電極層と各対極層の上に、形成されてもよい。
【０６０６】
なお、図４３または図４４に示される製造方法においては、第２固体電解質層形成工程Ｓ１６２２は、固体電解質層形成部４４０により、第３電極層２２３と第４対極層２３４とのうちの少なくとも一方の上に、第２固体電解質層２４２を形成する工程となる。
【０６０７】
以上の図４３または図４４に示される製造方法によれば、実施の形態２における電池２１００を製造することができる。
【０６０８】
なお、積層部７００は、第１集電体１０１と第２集電体１０２と第３集電体１０３と第４集電体１０４とを積層してもよい。
【０６０９】
第４集電体１０４は、第７導電部分１１７と、第４絶縁部分１２４と、第８導電部分１１８と、を有する。
【０６１０】
第７導電部分１１７は、第７端部領域１４７と、第７表面領域１５７と、第７裏面領域１６７と、第４折曲領域１７４と、第８表面領域１５８と、第８裏面領域１６８と、第８端部領域１４８と、を有する。
【０６１１】
第７表面領域１５７は、第７端部領域１４７と第４折曲領域１７４との間に位置する領域である。
【０６１２】
第７裏面領域１６７は、第７表面領域１５７の裏面に位置する領域である。
【０６１３】
第８表面領域１５８は、第８端部領域１４８と第４折曲領域１７４との間に位置する領域である。
【０６１４】
第８裏面領域１６８は、第８表面領域１５８の裏面に位置する領域である。
【０６１５】
第４絶縁部分１２４は、第８端部領域１４８と第８導電部分１１８とを連結する部材である。
【０６１６】
また、電極層形成部４１０は、第６導電部分１１６に接して、第６電極層２２６を形成してもよい。また、電極層形成部４１０は、第８表面領域１５８に接して、第７電極層２２７を形成してもよい。
【０６１７】
また、対極層形成部４２０は、第７表面領域１５７に接して、第７電極層２２７の対極である第６対極層２３６を形成してもよい。また、対極層形成部４２０は、第８導電部分１１８に接して、第７電極層２２７の対極である第７対極層２３７を形成してもよい。
【０６１８】
また、集電体折曲部４３０は、第４折曲領域１７４を折り曲げてもよい。また、集電体折曲部４３０は、第４絶縁部分１２４を折り曲げてもよい。
【０６１９】
また、積層部７００は、第５電極層２２５と第６対極層２３６とを互いに対向させて、第３集電体１０３と第４集電体１０４とを積層してもよい。
【０６２０】
図４６は、実施の形態３における電池製造方法の一例を示すフローチャートである。
【０６２１】
図４６に示される電池製造方法は、上述の図４３に示される電池製造方法の工程に加えて、下記の工程をさらに備える。
【０６２２】
すなわち、図４６に示される電池製造方法は、第６電極層形成工程Ｓ１１２６（＝工程（ａ２６））と、第４集電体準備工程Ｓ１０４と、第３積層工程Ｓ１７０３（＝工程（ｓ３））と、第４絶縁部分折曲工程Ｓ１４２４（＝工程（ｄ２４））と、をさらに包含する。
【０６２３】
第４集電体準備工程Ｓ１０４は、第７電極層形成工程Ｓ１１２７（＝工程（ａ２７））と、第６対極層形成工程Ｓ１２２６（＝工程（ｂ２６））と、第７対極層形成工程Ｓ１２２７（＝工程（ｂ２７））と、第４折曲領域折曲工程Ｓ１３２４（＝工程（ｃ２４））と、を包含する。
【０６２４】
第６電極層形成工程Ｓ１１２６は、電極層形成部４１０により、第６導電部分１１６に接して、第６電極層２２６を形成する工程である。
【０６２５】
第７電極層形成工程Ｓ１１２７は、電極層形成部４１０により、第８表面領域１５８に接して、第７電極層２２７を形成する工程である。
【０６２６】
第６対極層形成工程Ｓ１２２６は、対極層形成部４２０により、第７表面領域１５７に接して、第７電極層２２７の対極である第６対極層２３６を形成する工程である。
【０６２７】
第７対極層形成工程Ｓ１２２７は、対極層形成部４２０により、第８導電部分１１８に接して、第７電極層２２７の対極である第７対極層２３７を形成する工程である。
【０６２８】
第４折曲領域折曲工程Ｓ１３２４は、集電体折曲部４３０により、第４折曲領域１７４を折り曲げる工程である。
【０６２９】
第４折曲領域折曲工程Ｓ１３２４において、集電体折曲部４３０により第４集電体１０４が第４折曲領域１７４において折り曲げられることで、第７裏面領域１６７と第８裏面領域１６８とは、互いに対向して、位置する。
【０６３０】
第４絶縁部分折曲工程Ｓ１４２４は、集電体折曲部４３０により、第４絶縁部分１２４を折り曲げる工程である。
【０６３１】
第４絶縁部分折曲工程Ｓ１４２４において、集電体折曲部４３０により第４集電体１０４が第４絶縁部分１２４において折り曲げられることで、第７電極層２２７と第７対極層２３７とは、互いに対向して、位置する。
【０６３２】
第３積層工程Ｓ１７０３は、積層部７００により、第５電極層２２５と第６対極層２３６とを互いに対向させて、第３集電体１０３と第４集電体１０４とを積層する工程である。
【０６３３】
以上の構成によれば、電池の構成部材の間の接合強度を、より高めることができる。すなわち、第４絶縁部分１２４により互いに連結される第７導電部分１１７と第８導電部分１１８とに、それぞれ、第７電極層２２７と第７対極層２３７とを、形成することができる。これにより、第７導電部分１１７に配置される第７電極層２２７と第８導電部分１１８に配置される第７対極層２３７との位置関係を、第４絶縁部分１２４により（言い換えれば、１つの構成部材である第４集電体１０４により）、強固に維持することができる。これにより、例えば、電池製造時における衝撃または振動などによって、電池を構成する各層（例えば、第７電極層２２７と第７対極層２３７）が位置ずれまたは分離することを防止できる。
【０６３４】
また、以上の構成によれば、簡便な折り畳みプロセスで、バイポーラ構造の電極が積層された積層電池を作製できる。すなわち、バイポーラ構造の電極が付設された第１集電体１０１の第１絶縁部分１２１と、バイポーラ構造の電極が付設された第２集電体１０２の第２絶縁部分１２２と、バイポーラ構造の電極が付設された第３集電体１０３の第３絶縁部分１２３と、バイポーラ構造の電極が付設された第４集電体１０４の第４絶縁部分１２４とを折り曲げる工程により、各発電要素が直列に積層された積層電池を作製することができる。これにより、個別に分離された複数のバイポーラ構造の電極を積層するプロセスを用いる場合と比較して、各構成部材の位置ずれを抑制しながら、簡便かつ低コストに、直列構造の積層電池を作製できる。
【０６３５】
第４折曲領域折曲工程Ｓ１３２４において、第４折曲領域１７４が折り曲げられることで、上述の実施の形態１または２において示された第４折曲部分１３４が形成される。
【０６３６】
なお、図４６に示されるように、第１絶縁部分折曲工程Ｓ１４１１は、第１積層工程Ｓ１７０１および第２積層工程Ｓ１７０２および第３積層工程Ｓ１７０３および第２折曲領域折曲工程Ｓ１３２２および第３折曲領域折曲工程Ｓ１３２３および第４折曲領域折曲工程Ｓ１３２４よりも後に、実行されてもよい。
【０６３７】
このとき、第１絶縁部分折曲工程Ｓ１４１１において、集電体折曲部４３０により第１集電体１０１が第１絶縁部分１２１において折り曲げられることで、第７電極層２２７と第１対極層２３１とは、互いに対向して、位置する。
【０６３８】
さらに、第２絶縁部分折曲工程Ｓ１４２２は、第１絶縁部分折曲工程Ｓ１４１１よりも後に、実行されてもよい。
【０６３９】
このとき、第２絶縁部分折曲工程Ｓ１４２２において、集電体折曲部４３０により第２集電体１０２が第２絶縁部分１２２において折り曲げられることで、第２電極層２２２と第３対極層２３３とは、互いに対向して、位置する。
【０６４０】
さらに、第３絶縁部分折曲工程Ｓ１４２３は、第２絶縁部分折曲工程Ｓ１４２２よりも後に、実行されてもよい。
【０６４１】
このとき、第３絶縁部分折曲工程Ｓ１４２３において、集電体折曲部４３０により第３集電体１０３が第３絶縁部分１２３において折り曲げられることで、第４電極層２２４と第５対極層２３５とは、互いに対向して、位置する。
【０６４２】
さらに、第４絶縁部分折曲工程Ｓ１４２４は、第３絶縁部分折曲工程Ｓ１４２３よりも後に、実行されてもよい。
【０６４３】
このとき、第４絶縁部分折曲工程Ｓ１４２４において、集電体折曲部４３０により第４集電体１０４が第４絶縁部分１２４において折り曲げられることで、第６電極層２２６と第７対極層２３７とは、互いに対向して、位置する。
【０６４４】
以上の構成によれば、簡便な折り畳みプロセスで、バイポーラ構造の電極が積層された積層電池を作製できる。すなわち、第１絶縁部分１２１と第２絶縁部分１２２と第３絶縁部分１２３と第４絶縁部分１２４とを順次折り曲げることにより、例えば、それぞれの折曲工程の間に、電極層または対極層または固体電解質層などを形成する工程を実行することができる。これにより、各構成部材の位置ずれを抑制しながら、簡便かつ低コストに、直列構造の積層電池を作製できる。
【０６４５】
図４７は、実施の形態３における電池製造方法の一例を示すフローチャートである。
【０６４６】
図４７に示される電池製造方法においては、第１積層工程Ｓ１７０１は、第１折曲領域折曲工程Ｓ１３１１および第２折曲領域折曲工程Ｓ１３２２および第１絶縁部分折曲工程Ｓ１４１１および第２絶縁部分折曲工程Ｓ１４２２よりも後に、実行される。
【０６４７】
このとき、第１積層工程Ｓ１７０１において、第３導電部分１１３が第１導電部分１１１と第２導電部分１１２との間に差し込まれ、かつ、第２導電部分１１２が第３導電部分１１３と第４導電部分１１４との間に差し込まれることで、第１集電体１０１と第２集電体１０２とが積層される。
【０６４８】
さらに、図４７に示される電池製造方法においては、第２積層工程Ｓ１７０２は、第１積層工程Ｓ１７０１および第３折曲領域折曲工程Ｓ１３２３および第３絶縁部分折曲工程Ｓ１４２３よりも後に、実行される。
【０６４９】
このとき、第２積層工程Ｓ１７０２において、第５導電部分１１５が第３導電部分１１３と第２導電部分１１２との間に差し込まれ、かつ、第２導電部分１１２および第４導電部分１１４が第５導電部分１１５と第６導電部分１１６との間に差し込まれることで、第２集電体１０２と第３集電体１０３とが積層される。
【０６５０】
さらに、図４７に示される電池製造方法においては、第３積層工程Ｓ１７０３は、第２積層工程Ｓ１７０２および第４折曲領域折曲工程Ｓ１３２４および第４絶縁部分折曲工程Ｓ１４２４よりも後に、実行される。
【０６５１】
このとき、第３積層工程Ｓ１７０３において、第７導電部分１１７が第５導電部分１１５と第２導電部分１１２との間に差し込まれ、かつ、第２導電部分１１２および第４導電部分１１４および第６導電部分１１６が第７導電部分１１７と第８導電部分１１８との間に差し込まれることで、第３集電体１０３と第４集電体１０４とが積層される。
【０６５２】
以上の構成によれば、簡便な折り畳みプロセスと積層プロセス（差し込みプロセス）により、バイポーラ構造の電極が積層された積層電池を作製できる。すなわち、長い電極ストリップを直交させて交互に折り畳む方法と比較して、差し込みプロセスを用いることで、プロセスタクトを短くできる。このため、プロセスタクトを短くするための高速の折り畳みが不要にできる。これにより、高速の折り畳み時の折り畳み位置ずれを抑制できる。また、折り畳み対象の電池部材の損傷を抑制できる。
【０６５３】
図４８は、実施の形態３における第１積層工程Ｓ１７０１および第２積層工程Ｓ１７０２および第３積層工程Ｓ１７０３の一例を示す図である。
【０６５４】
図４８に示されるように、４個の櫛形構造の電極ストリップ（第１集電体１０１および第２集電体１０２および第３集電体１０３および第４集電体１０４）を図４８に示される上下関係で、かつ、例えば、互いに９０度ずらした向きで、互いに差し込み、接合プレスしてもよい。差し込みのための各集電体の移動は、例えば、上述の折曲用部材（例えば、ロッド部材、ワイヤ部材、など）を用いて、実現されてもよい。それぞれ個別の部材である４個の電極ストリップを用いることにより、１つの電極ストリップあたりのバイポーラ電極の必要数を減らすことができる。これにより、製造プロセスをより容易にできる。また、積層電池の強度を向上できる。例えば、積層電池の側面からの機械的衝撃に対する強度を、より向上させることができる。
【０６５５】
なお、第４集電体準備工程Ｓ１０４は、第１集電体準備工程Ｓ１０１および第２集電体準備工程Ｓ１０２および第３集電体準備工程Ｓ１０３よりも後に実行されてもよい。もしくは、第４集電体準備工程Ｓ１０４は、第１集電体準備工程Ｓ１０１および第２集電体準備工程Ｓ１０２および第３集電体準備工程Ｓ１０３よりも前に実行されてもよい。もしくは、第１集電体準備工程Ｓ１０１と第２集電体準備工程Ｓ１０２と第３集電体準備工程Ｓ１０３と第４集電体準備工程Ｓ１０４とは、同時に実行されてもよい。
【０６５６】
第４集電体準備工程Ｓ１０４が包含する各工程の具体的な方法としては、上述の第１集電体準備工程Ｓ１０１が包含する各工程の具体的な方法として示された方法が、適宜、採用されうる。
【０６５７】
なお、図４６および図４７に示されるように、第４集電体準備工程Ｓ１０４は、第６固体電解質層形成工程Ｓ１６２６（＝工程（ｆ２６））と、第７固体電解質層形成工程Ｓ１６２７（＝工程（ｆ２７））と、をさらに包含してもよい。
【０６５８】
第６固体電解質層形成工程Ｓ１６２６は、固体電解質層形成部４４０により、第７電極層２２７と第１対極層２３１とのうちの少なくとも一方の上に、第４固体電解質層２４４を形成する工程である。
【０６５９】
第７固体電解質層形成工程Ｓ１６２７は、固体電解質層形成部４４０により、第６電極層２２６と第７対極層２３７とのうちの少なくとも一方の上に、第５固体電解質層２４５を形成する工程である。
【０６６０】
以上の構成によれば、簡便な折り畳みプロセスで、それぞれの固体電池セル（それぞれの発電要素）を作製できる。これにより、個別の各構成部材を多数積層するプロセスを用いる場合と比較して、各構成部材の位置ずれを抑制しながら、複数の固体電池セルが直列に積層された積層電池を作製できる。
【０６６１】
各固体電解質層形成工程が第４集電体準備工程Ｓ１０４に包含される場合には、第４集電体１０４に形成される各電極層と各対極層の上に、各固体電解質層が形成される。
【０６６２】
なお、第６固体電解質層形成工程Ｓ１６２６は、第１集電体準備工程Ｓ１０１に包含されてもよい。この場合には、第１集電体１０１に形成される第１対極層２３１の上に、第６固体電解質層２４６が形成される。
【０６６３】
また、第７固体電解質層形成工程Ｓ１６２７は、第３集電体準備工程Ｓ１０３に包含されてもよい。この場合には、第３集電体１０３に形成される第６電極層２２６の上に、第７固体電解質層２４７が形成される。
【０６６４】
なお、各固体電解質層は、第１集電体１０１および第２集電体１０２および第３集電体１０３および第４集電体１０４に形成される各電極層と各対極層の上に、形成されてもよい。
【０６６５】
なお、図４６または図４７に示される製造方法においては、第４固体電解質層形成工程Ｓ１６２４は、固体電解質層形成部４４０により、第５電極層２２５と第６対極層２３６とのうちの少なくとも一方の上に、第４固体電解質層２４４を形成する工程となる。
【０６６６】
以上の図４６または図４７に示される製造方法によれば、実施の形態２における電池２２００を製造することができる。
【０６６７】
図４９は、実施の形態３における電池製造装置３４００の概略構成を示す図である。
【０６６８】
実施の形態３における電池製造装置３４００は、上述の実施の形態３における電池製造装置３０００の構成に加えて、下記の構成をさらに備える。
【０６６９】
すなわち、実施の形態３における電池製造装置３４００は、絶縁部分加工部８００を備える。絶縁部分加工部８００は、絶縁部分を加工する。
【０６７０】
絶縁部分加工部８００は、絶縁部分を収縮させてもよい。絶縁部分加工部８００は、例えば、絶縁部分収縮用部材（例えば、加熱装置、など）を備えてもよい。また、各絶縁部分は、熱収縮材料を含んでいてもよい。このとき、絶縁部分加工部８００は、加熱装置により各絶縁部分を加熱して、熱収縮材料を収縮させることで、各絶縁部分を収縮させてもよい。
【０６７１】
図５０は、実施の形態３における電池製造方法の一例を示すフローチャートである。
【０６７２】
図５０に示される電池製造方法は、上述の図４７に示される電池製造方法の工程に加えて、下記の工程をさらに備える。
【０６７３】
すなわち、図５０に示される電池製造方法は、第１絶縁部分収縮工程Ｓ１８０１（＝工程（ｇ１））と、第２絶縁部分収縮工程Ｓ１８０２（＝工程（ｇ２））と、第３絶縁部分収縮工程Ｓ１８０３（＝工程（ｇ３））と、第４絶縁部分収縮工程Ｓ１８０４（＝工程（ｇ４））と、をさらに包含する。
【０６７４】
第１絶縁部分収縮工程Ｓ１８０１は、第１絶縁部分折曲工程Ｓ１４１１よりも後に、絶縁部分加工部８００により、第１絶縁部分１２１を収縮させる工程である。
【０６７５】
以上の構成によれば、第１絶縁部分１２１を収縮させることで、第１絶縁部分１２１による電池の構成部材の間の接合を、より強固にすることができる。
【０６７６】
第２絶縁部分収縮工程Ｓ１８０２は、第２絶縁部分折曲工程Ｓ１４２２よりも後に、絶縁部分加工部８００により、第２絶縁部分１２２を収縮させる工程である。
【０６７７】
以上の構成によれば、第２絶縁部分１２２を収縮させることで、第２絶縁部分１２２による電池の構成部材の間の接合を、より強固にすることができる。
【０６７８】
第３絶縁部分収縮工程Ｓ１８０３は、第３絶縁部分折曲工程Ｓ１４２３よりも後に、絶縁部分加工部８００により、第３絶縁部分１２３を収縮させる工程である。
【０６７９】
以上の構成によれば、第３絶縁部分１２３を収縮させることで、第３絶縁部分１２３による電池の構成部材の間の接合を、より強固にすることができる。
【０６８０】
第４絶縁部分収縮工程Ｓ１８０４は、第４絶縁部分折曲工程Ｓ１４２４よりも後に、絶縁部分加工部８００により、第４絶縁部分１２４を収縮させる収縮工程である。
【０６８１】
以上の構成によれば、第４絶縁部分１２４を収縮させることで、第４絶縁部分１２４による電池の構成部材の間の接合を、より強固にすることができる。
【０６８２】
なお、絶縁部分加工部８００は、絶縁部分を互いに接合させてもよい。すなわち、複数の絶縁部分は、互いに接合されるように、折り曲げ接合されてもよい（例えば、図１３）。このとき、絶縁部分加工部８００は、例えば、接合用部材（例えば、プレス板、ローラー、など）を備えてもよい。このとき、絶縁部分加工部８００は、各絶縁部分に接合用部材を押し当てることで、複数の絶縁部分を壁状に一体化してもよい。これにより、複数の絶縁部分を壁状に一体化することができる。このため、複数の発電要素が直列接続された構造を、より強固に保持することができる。
【０６８３】
なお、絶縁部分加工部８００は、絶縁部分を除去してもよい。例えば、各絶縁部分の折曲工程の後などにおいて、各絶縁部分の一部（または、全ての絶縁部分）を、除去（例えば、切断）してもよい。これにより、電池の体積エネルギー密度および重量エネルギー密度を、より向上させることができる。
【０６８４】
なお、実施の形態３においては、電極層形成部４１０と対極層形成部４２０と固体電解質層形成部４４０と接着部分形成部６００は、それぞれ、例えば、塗工材料（例えば、電極材料、対極材料、固体電解質材料、接着材料、など）を吐出する吐出機構（例えば、吐出口）、吐出機構に塗工材料を供給する供給機構（例えば、タンクおよび供給管）、塗工対象などを移動させる移動機構（例えば、ローラー）、加圧圧迫するプレス機構（例えば、プレス台およびシリンダ）、など、を備えてもよい。これらの機構については、一般に公知の装置および部材が、適宜、用いられうる。
【０６８５】
なお、実施の形態３においては、集電体折曲部４３０は、例えば、折曲対象を折り曲げる折曲機構（例えば、ロッド部材、ワイヤ部材、など）、折曲対象などを移動させる移動機構（例えば、ローラー）、など、を備えてもよい。これらの機構については、一般に公知の装置および部材が、適宜、用いられうる。
【０６８６】
なお、実施の形態３においては、積層部７００は、例えば、積層対象（例えば、集電体）などを移動させる移動機構（例えば、ローラー）、積層対象の位置を調整する調整機構、など、を備えてもよい。これらの機構については、一般に公知の装置および部材が、適宜、用いられうる。
【０６８７】
なお、実施の形態３における電池製造装置は、制御部５００を、さらに備えてもよい。制御部５００は、電極層形成部４１０と対極層形成部４２０と集電体折曲部４３０と固体電解質層形成部４４０と接着部分形成部６００と積層部７００と絶縁部分加工部８００の動作を制御する。
【０６８８】
制御部５００は、例えば、プロセッサとメモリとにより、構成されてもよい。当該プロセッサは、例えば、ＣＰＵ（Ｃｅｎｔｒａｌ  Ｐｒｏｃｅｓｓｉｎｇ  Ｕｎｉｔ）またはＭＰＵ（Ｍｉｃｒｏ−Ｐｒｏｃｅｓｓｉｎｇ  Ｕｎｉｔ）などであってもよい。このとき、当該プロセッサは、メモリに記憶されているプログラムを読み出して実行することで、本開示で示される制御方法（電池製造方法）を実行してもよい。
【０６８９】
なお、実施の形態３における電池製造方法においては、電極層と対極層と固体電解質層とは、塗工工法だけでなく、他の工法（例えば、順次積層、貼り合わせ、転写、など）、または、塗工工法と他の工法との組合せ工法、などにより、形成されてもよい。
【０６９０】
なお、実施の形態３における電池製造方法においては、各絶縁部分の折曲工程の後などにおいて、プレス機などにより、各発電要素を加圧プレスしてもよい。これにより、高充填密度化および密着性の強化が実現できる。すなわち、各層の積層方向において、加圧圧迫することにより、各層が緻密となり、かつ、互いに良好な接合状態とすることができる。すなわち、集電体からなる電極ストリップは、接合プレスされてもよい。接合プレスにより、隣接するバイポーラ電極の電極層と対極層とを、固体電解質層を介して、接合することができる。さらに、二重になる集電体の導電部分の間も、一層強固に、接続される。電極層と固体電解質層の間、および、固体電解質層と対極層の間のそれぞれで、良好な電池特性に必要な接合強度および各層の充填率が得られるように、接合プレスの強度が決定されてもよい。また、二重になる導電部分の電気的かつ機械的に良好な接合強度が得られるように、接合プレスの圧力が選ばれ適用されてもよい。
【産業上の利用可能性】
【０６９１】
本開示の電池は、電子機器、電気器具装置、電気車両、など、の電池（例えば、全固体二次電池）として、利用されうる。
【符号の説明】
【０６９２】
１０１    第１集電体
１０２    第２集電体
１０３    第３集電体
１０４    第４集電体
１１１    第１導電部分
１１２    第２導電部分
１１３    第３導電部分
１１４    第４導電部分
１１５    第５導電部分
１１６    第６導電部分
１１７    第７導電部分
１１８    第８導電部分
１２１    第１絶縁部分
１２２    第２絶縁部分
１２３    第３絶縁部分
１２４    第４絶縁部分
１３１    第１折曲部分
１３２    第２折曲部分
１３３    第３折曲部分
１３４    第４折曲部分
１４１    第１端部領域
１４２    第２端部領域
１４３    第３端部領域
１４４    第４端部領域
１４５    第５端部領域
１４６    第６端部領域
１４７    第７端部領域
１４８    第８端部領域
１５１    第１表面領域
１５２    第２表面領域
１５３    第３表面領域
１５４    第４表面領域
１５５    第５表面領域
１５６    第６表面領域
１５７    第７表面領域
１５８    第８表面領域
１６１    第１裏面領域
１６２    第２裏面領域
１６３    第３裏面領域
１６４    第４裏面領域
１６５    第５裏面領域
１６６    第６裏面領域
１６７    第７裏面領域
１６８    第８裏面領域
１７１    第１折曲領域
１７２    第２折曲領域
１７３    第３折曲領域
１７４    第４折曲領域
２１１    第１発電要素
２１２    第２発電要素
２１３    第３発電要素
２１４    第４発電要素
２１５    第５発電要素
２１６    第６発電要素
２１７    第７発電要素
２２１    第１電極層
２２２    第２電極層
２２３    第３電極層
２２４    第４電極層
２２５    第５電極層
２２６    第６電極層
２２７    第７電極層
２３１    第１対極層
２３２    第２対極層
２３３    第３対極層
２３４    第４対極層
２３５    第５対極層
２３６    第６対極層
２３７    第７対極層
２４１    第１固体電解質層
２４２    第２固体電解質層
２４３    第３固体電解質層
２４４    第４固体電解質層
２４５    第５固体電解質層
２４６    第６固体電解質層
２４７    第７固体電解質層
３０１    第１接着部分
４１０    電極層形成部
４２０    対極層形成部
４３０    集電体折曲部
４４０    固体電解質層形成部
５００    制御部
６００    接着部分形成部
７００    積層部
８００    絶縁部分加工部
１０００，１１００，１２００，１３００，１４００，１５００，２０００，２１００，２２００，２３００    電池
３０００，３１００，３２００，３３００，３４００    電池製造装置
【図１】
2019003934.tif 000003
【図２】
2019003934.tif 000004
【図３】
2019003934.tif 000005
【図４】
2019003934.tif 000006
【図５】
2019003934.tif 000007
【図６】
2019003934.tif 000008
【図７】
2019003934.tif 000009
【図８】
2019003934.tif 000010
【図９】
2019003934.tif 000011
【図１０】
2019003934.tif 000012
【図１１】
2019003934.tif 000013
【図１２】
2019003934.tif 000014
【図１３】
2019003934.tif 000015
【図１４】
2019003934.tif 000016
【図１５】
2019003934.tif 000017
【図１６】
2019003934.tif 000018
【図１７】
2019003934.tif 000019
【図１８】
2019003934.tif 000020
【図１９】
2019003934.tif 000021
【図２０】
2019003934.tif 000022
【図２１】
2019003934.tif 000023
【図２２】
2019003934.tif 000024
【図２３】
2019003934.tif 000025
【図２４】
2019003934.tif 000026
【図２５】
2019003934.tif 000027
【図２６】
2019003934.tif 000028
【図２７】
2019003934.tif 000029
【図２８】
2019003934.tif 000030
【図２９】
2019003934.tif 000031
【図３０】
2019003934.tif 000032
【図３１】
2019003934.tif 000033
【図３２】
2019003934.tif 000034
【図３３】
2019003934.tif 000035
【図３４】
2019003934.tif 000036
【図３５】
2019003934.tif 000037
【図３６】
2019003934.tif 000038
【図３７】
2019003934.tif 000039
【図３８】
2019003934.tif 000040
【図３９】
2019003934.tif 000041
【図４０】
2019003934.tif 000042
【図４１】
2019003934.tif 000043
【図４２】
2019003934.tif 000044
【図４３】
2019003934.tif 000045
【図４４】
2019003934.tif 000046
【図４５】
2019003934.tif 000047
【図４６】
2019003934.tif 000048
【図４７】
2019003934.tif 000049
【図４８】
2019003934.tif 000050
【図４９】
2019003934.tif 000051
【図５０】
2019003934.tif 000052
【図５１】
2019003934.tif 000053
【図５２】
2019003934.tif 000054